(57)【特許請求の範囲】
【請求項１】
基地局が免許不要周波数域をリリースしたとユーザ機器が判断したとき、前記基地局が前記免許不要周波数域をリリースしてから前記基地局が前記免許不要周波数域を再取得するまでの時間間隔を示す、前記免許不要周波数域がリリースされるリリース時間を前記ユーザ機器によりモニタリングする段階と、
前記リリース時間が時間閾値を超えていないとき、前記免許不要周波数域にアタッチされたデータ処理プロセスを前記ユーザ機器により一時停止し、前記基地局が前記免許不要周波数域を再取得した後に前記データ処理プロセスを再開する段階と、
前記リリース時間が前記時間閾値を超えているとき、前記免許不要周波数域にアタッチされた前記データ処理プロセスを前記ユーザ機器により終了し、新たなデータ処理プロセスを開始する免許周波数域を選択する、または、前記基地局が前記免許不要周波数域を再取得した後に新たなデータ処理プロセスを開始する段階と
を備え、
前記データ処理プロセスは、連続プロセスであって、中断および再開されることが可能なものである、
免許不要周波数域がリリースされた後にデータを処理するための方法。
【請求項２】
前記データ処理プロセスは、ハイブリッド自動再送要求ＨＡＲＱプロセス、自動再送要求ＡＲＱプロセス、間欠受信ＤＲＸプロセス、ランダムアクセス手順、無線リソース管理（ＲＲＭ）測定プロセスおよびチャネル状態情報（ＣＳＩ）測定プロセスの何れか１つを含む、
請求項１に記載の、免許不要周波数域がリリースされた後にデータを処理するための方法。
【請求項３】
前記データ処理プロセスは、ハイブリッド自動再送要求ＨＡＲＱプロセスおよびランダムアクセス手順の何れかを含む、
請求項２に記載の、免許不要周波数域がリリースされた後にデータを処理するための方法。
【請求項４】
前記データ処理プロセスはハイブリッド自動再送要求ＨＡＲＱプロセスを含み、
前記免許不要周波数域にアタッチされたデータ処理プロセスを前記ユーザ機器により前記一時停止することは、
物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む前記免許不要周波数域にアタッチされたオペレーションのうち少なくとも１つを前記ユーザ機器により実行することを有し、
前記基地局が前記免許不要周波数域を再取得した後に前記データ処理プロセスを前記ユーザ機器により前記再開する段階は、
前記基地局が前記免許不要周波数域を再取得した後に、前記物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む前記免許不要周波数域にアタッチされたオペレーションのうち少なくとも１つを前記ユーザ機器により実行する段階を有する、請求項１から３のいずれか一項に記載の、免許不要周波数域がリリースされた後にデータを処理するための方法。
【請求項５】
前記データ処理プロセスはハイブリッド自動再送要求ＨＡＲＱプロセスを含み、
前記免許不要周波数域にアタッチされた前記データ処理プロセスを前記ユーザ機器により前記終了することは、
ＨＡＲＱエンティティリセットオペレーションを前記ユーザ機器により実行する、または、前記免許不要周波数域を使用するセルに関して非アクティブ化オペレーションを実行することを有し、
新たなデータ処理プロセスを開始する免許周波数域を選択する、または、前記基地局が前記免許不要周波数域を再取得した後に新たなデータ処理プロセスを前記開始する段階は、
新たなＨＡＲＱ処理プロセスを開始する免許周波数域を前記ユーザ機器により選択する、または、前記基地局が前記免許不要周波数域を再取得した後に新たなＨＡＲＱ処理プロセスを開始する段階を有する、請求項１から４のいずれか一項に記載の、免許不要周波数域がリリースされた後にデータを処理するための方法。
【請求項６】
前記データ処理プロセスはランダムアクセス手順を含み、
前記免許不要周波数域にアタッチされたデータ処理プロセスを前記ユーザ機器により前記一時停止することは、
ランダムアクセス応答ウィンドウを中断するオペレーションと、競合解消タイマーを中断するオペレーションとを含む前記免許不要周波数域にアタッチされたオペレーションのうち少なくとも１つを前記ユーザ機器により実行することを有し、
前記基地局が前記免許不要周波数域を再取得した後に前記データ処理プロセスを前記ユーザ機器により前記再開する段階は、
前記基地局が前記免許不要周波数域を再取得した後に、前記ランダムアクセス応答ウィンドウを再開するオペレーションと、前記競合解消タイマーの動作を再開するオペレーションとを含む前記免許不要周波数域にアタッチされたオペレーションのうち少なくとも１つを前記ユーザ機器により実行する段階を有する、請求項１から５のいずれか一項に記載の、免許不要周波数域がリリースされた後にデータを処理するための方法。
【請求項７】
前記データ処理プロセスはランダムアクセス手順を含み、
前記免許不要周波数域にアタッチされた前記データ処理プロセスを前記ユーザ機器により前記終了することは、
ランダムアクセス応答ウィンドウを停止し、ランダムアクセス応答メッセージの待機を停止するオペレーションと、競合解消タイマーを停止し、競合解消メッセージの待機を停止するオペレーションとを含む前記免許不要周波数域にアタッチされたオペレーションのうち少なくとも１つを前記ユーザ機器により実行することを有し、
新たなデータ処理プロセスを開始する免許周波数域を前記ユーザ機器により選択する、または、前記基地局が前記免許不要周波数域を再取得した後に新たなデータ処理プロセスを前記開始する段階は、
新たなランダムアクセス手順を開始する免許周波数域を前記ユーザ機器により選択する、または、前記基地局が前記免許不要周波数域を再取得した後に新たなランダムアクセス手順を開始する段階を有する、請求項１から６のいずれか一項に記載の、免許不要周波数域がリリースされた後にデータを処理するための方法。
【請求項８】
ユーザ機器であって、
基地局が免許不要周波数域をリリースしたと前記ユーザ機器が判断したとき、前記基地局が前記免許不要周波数域をリリースしてから前記基地局が前記免許不要周波数域を再取得するまでの時間間隔を示す、前記免許不要周波数域がリリースされるリリース時間をモニタリングするよう構成されたモニタリングモジュールと、
前記モニタリングモジュールによりモニタリングされる前記リリース時間が時間閾値を超えていないとき、前記免許不要周波数域にアタッチされたデータ処理プロセスを一時停止し、前記基地局が前記免許不要周波数域を再取得した後に前記データ処理プロセスを再開するよう構成された第１処理モジュールと、
前記モニタリングモジュールによりモニタリングされる前記リリース時間が前記時間閾値を超えているとき、前記免許不要周波数域にアタッチされた前記データ処理プロセスを終了し、新たなデータ処理プロセスを開始する免許周波数域を選択する、または、前記基地局が前記免許不要周波数域を再取得した後に新たなデータ処理プロセスを開始するよう構成された第２処理モジュールと
を備え、
前記データ処理プロセスは、連続プロセスであって、中断および再開されることが可能なものである、
ユーザ機器。
【請求項９】
前記データ処理プロセスは、ハイブリッド自動再送要求ＨＡＲＱプロセス、自動再送要求ＡＲＱプロセス、間欠受信ＤＲＸプロセス、ランダムアクセス手順、無線リソース管理（ＲＲＭ）測定プロセスおよびチャネル状態情報（ＣＳＩ）測定プロセスの何れか１つを含む、
請求項８に記載のユーザ機器。
【請求項１０】
前記データ処理プロセスは、ハイブリッド自動再送要求ＨＡＲＱプロセスおよびランダムアクセス手順の何れかを含む、
請求項９に記載のユーザ機器。
【請求項１１】
前記データ処理プロセスはハイブリッド自動再送要求ＨＡＲＱプロセスを含み、
前記第１処理モジュールは具体的に、
前記モニタリングモジュールによりモニタリングされる前記リリース時間が前記時間閾値を超えていないとき、物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む前記免許不要周波数域にアタッチされたオペレーションのうち少なくとも１つを実行し、
前記基地局が前記免許不要周波数域を再取得した後に、前記物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む前記免許不要周波数域にアタッチされたオペレーションのうち少なくとも１つを実行する
よう構成されている、請求項８から１０のいずれか一項に記載のユーザ機器。
【請求項１２】
前記データ処理プロセスはハイブリッド自動再送要求ＨＡＲＱプロセスを含み、
前記第２処理モジュールは具体的に、
前記モニタリングモジュールによりモニタリングされる前記リリース時間が前記時間閾値を超えているとき、ＨＡＲＱエンティティリセットオペレーションを実行し、または、前記免許不要周波数域を使用するセルに関して非アクティブ化オペレーションを実行し、
新たなＨＡＲＱ処理プロセスを開始する免許周波数域を選択する、または、前記基地局が前記免許不要周波数域を再取得した後に新たなＨＡＲＱ処理プロセスを開始する
よう構成されている、請求項８から１１のいずれか一項に記載のユーザ機器。
【請求項１３】
前記データ処理プロセスはランダムアクセス手順を含み、
前記第１処理モジュールは具体的に、
前記モニタリングモジュールによりモニタリングされる前記リリース時間が前記時間閾値を超えていないとき、ランダムアクセス応答ウィンドウを中断するオペレーションと、競合解消タイマーを中断するオペレーションとを含む前記免許不要周波数域にアタッチされたオペレーションのうち少なくとも１つを実行し、
前記基地局が前記免許不要周波数域を再取得した後に、前記ランダムアクセス応答ウィンドウを再開するオペレーションと、前記競合解消タイマーの動作を再開するオペレーションとを含む前記免許不要周波数域にアタッチされたオペレーションのうち少なくとも１つを実行する
よう構成されている、請求項８から１２のいずれか一項に記載のユーザ機器。
【請求項１４】
前記データ処理プロセスはランダムアクセス手順を含み、
前記第２処理モジュールは具体的に、
前記モニタリングモジュールによりモニタリングされる前記リリース時間が前記時間閾値を超えているとき、ランダムアクセス応答ウィンドウを停止し、ランダムアクセス応答メッセージの待機を停止するオペレーションと、競合解消タイマーを停止し、競合解消メッセージの待機を停止するオペレーションとを含む前記免許不要周波数域にアタッチされたオペレーションのうち少なくとも１つを実行し、
新たなランダムアクセス手順を開始する免許周波数域を選択する、または、前記基地局が前記免許不要周波数域を再取得した後に新たなランダムアクセス手順を開始する
よう構成されている、請求項８から１３のいずれか一項に記載のユーザ機器。
【請求項１５】
コンピュータにおいて実行されたとき、前記コンピュータが請求項１から７のいずれか一項に記載の方法のいくつかの、または全ての段階を実行することを可能にするプログラム。
【請求項１６】
請求項１５に記載のプログラムを格納している、コンピュータ記憶媒体。
【発明の詳細な説明】
【技術分野】
【０００１】
本願発明は、電子技術分野に関連し、特に、免許不要周波数域がリリースされた後にデータを処理するための方法、およびユーザ機器に関する。
【背景技術】
【０００２】
最新リリースの連邦通信委員会（Ｆｅｄｅｒａｌ  Ｃｏｍｍｕｎｉｃａｔｉｏｎｓ  Ｃｏｍｍｉｓｓｉｏｎ，ＦＣＣ）の国際周波数域に関する白書によると、免許不要周波数域または許可のいらない周波数域（ｕｎｌｉｃｅｎｓｅｄ  ｓｐｅｃｔｒｕｍ）リソースは、免許周波数域リソースより大きい。免許不要周波数域は、産業目的、科学目的、および医療目的（ＩＳＭ，Ｉｎｄｕｓｔｒｉａｌ，ｓｃｉｅｎｔｉｆｉｃ  ａｎｄ  ｍｅｄｉｃａｌ）のデバイスまたは同様のもののために用いられる周波数帯域を含む。例えば、米国には３つの周波数帯域、９０２〜９２８ＭＨｚ、２４００〜２４８４．５ＭＨｚ、および５７２５〜５８５０ＭＨｚがあり、２．４ＧＨｚは、各国により共有されているＩＳＭ周波数帯域である。２．４ＧＨｚのＩＳＭ周波数帯域で用いられている主な技術は、ワイヤレスフィデリティ（ＷｉＦｉ，Ｗｉｒｅｌｅｓｓ  Ｆｉｄｅｌｉｔｙ）または無線ローカルエリアネットワーク（ＷＬＡＮ，ｗｉｒｅｌｅｓｓ  ｌｏｃａｌ  ｎｅｔｗｏｒｋ）、ブルートゥース（登録商標）、ジグビー（Ｚｉｇｂｅｅ（登録商標））、および同様のものである。ＷｉＦｉは、米国電気電子技術者協会（ＩＥＥＥ，Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１規格、例えば、８０２．１１ａ、８０２．１１ｂ、８０２．１１ｇ、８０２．１１ｎ、および８０２．１１ａｃに基づく。ＷｉＦｉは概して、２．４ＧＨｚのＩＳＭ周波数帯域と５ＧＨｚの周波数帯域とを使用する。例えば、８０２．１１ａｃは、５ＧＨｚの免許不要周波数域を使用し得る。ヨーロッパおよび日本において、８０２．１１ａｃにより使用され得る周波数の範囲は、５１７０ＭＨｚ〜５３３０ＭＨｚと５４９０〜５７１０ＭＨｚとを含む。先述の周波数範囲に加えて、５７１０〜５７３０ＭＨｚの周波数範囲も米国でサポートされている。８０２．１１ａｃのチャネル化（ｃｈａｎｎｅｌｉｚａｔｉｏｎ）は、２０ＭＨｚ、４０ＭＨｚ、８０ＭＨｚ、および１６０ＭＨｚの帯域幅をサポートし得る。
【０００３】
免許不要周波数域は多くのユーザにより共有され、それらユーザは、異なる無線アクセス技術（ＲＡＴ，ｒａｄｉｏ  ａｃｃｅｓｓ  ｔｅｃｈｎｏｌｏｇｙ）、例えば、ＬＴＥ、ＷｉＦｉ、およびブルートゥース（登録商標）（Ｂｌｕｅｔｏｏｔｈ（登録商標））を用い得る。送信の前に、免許不要周波数域を使用するＬＴＥ、ＷｉＦｉ、およびＢｌｕｅｔｏｏｔｈ（登録商標）デバイスは、最初に、周波数域がアイドル状態であるかをリッスンして、つまり、「トークの前にリッスン（ＬＢＴ，Ｌｉｓｔｅｎ  ｂｅｆｏｒｅ  Ｔａｌｋ）」して、免許不要周波数域を使用している他のユーザに対する干渉を避ける必要がある。ユーザが免許不要周波数域を取得した後の最大占有時間に関する対応する仕様もある。ユーザは、特定の時間の間、その周波数域を使用した後、免許不要周波数域をリリースし、ユーザが特定の時間の間アイドル状態であった後、免許不要周波数域を巡って競合を開始する必要があり、これにより、全てのユーザが免許不要周波数域を使用するための公平な競争機会が提供される。
【０００４】
しかし、現在、従来技術では、免許不要周波数域リソースがリリースされた後の対応する処理メカニズムが欠如している。
【発明の概要】
【０００５】
本願発明の複数の実施形態は、免許不要周波数域が再取得された後に通信がスムーズであることを確実にし、複数の無線リソースを節約する、免許不要周波数域がリリースされた後にデータを処理するための方法、およびユーザ機器を提供する。
【０００６】
本願発明の複数の実施形態の第１態様は、免許不要周波数域がリリースされた後にデータを処理するための方法を提供し、免許不要周波数域がリリースされた後にデータを処理するための方法は、
基地局が免許不要周波数域をリリースしたとユーザ機器が判断したとき、基地局が免許不要周波数域をリリースしてから基地局が免許不要周波数域を再取得するまでの時間間隔を示す、免許不要周波数域がリリースされるリリース時間をユーザ機器によりモニタリングする段階と、
リリース時間が時間閾値を超えていないとき、免許不要周波数域にアタッチされたデータ処理プロセスをユーザ機器により一時停止し、基地局が免許不要周波数域を再取得した後にデータ処理プロセスを再開する段階と、
リリース時間が時間閾値を超えているとき、免許不要周波数域にアタッチされたデータ処理プロセスをユーザ機器により終了し、新たなデータ処理プロセスを開始する免許周波数域を選択する、または、基地局が免許不要周波数域を再取得した後に新たなデータ処理プロセスを開始する段階と
を備える。
【０００７】
第１態様に関連し、第１の可能な実装態様において、
基地局が免許不要周波数域をリリースしたとユーザ機器が判断することは、
基地局により送信された、免許不要周波数域がリリースされたことを示すインジケーション情報をユーザ機器が受信したとき、基地局が免許不要周波数域をリリースしたとユーザ機器が判断すること、
または、
基地局が免許不要周波数域をリリースしたと、基地局のパラメータに従ってユーザ機器が検出すること
を有する。
【０００８】
第１態様、または第１態様の第１の可能な実装態様に関連し、第２の可能な実装態様において、
免許不要周波数域がリリースされるリリース時間をユーザ機器によりモニタリングする段階は、
待機タイマーをユーザ機器により開始して、免許不要周波数域がリリースされているリリース時間を記録し、待機タイマーの時間が切れていないとき、リリース時間が時間閾値を超えていないと判断する、または、待機タイマーの時間が切れた後に、リリース時間が時間閾値を超えていると判断する段階、
または、
免許不要周波数域の、基地局により送信された特定のリリース時間をユーザ機器により受信し、受信されたリリース時間を、予め設定された時間閾値と比較して、受信されたリリース時間が予め設定された時間閾値を超えているかを判断する段階、
または、
基地局により送信された、免許不要周波数域がリリースされたことを示すインジケーションをユーザ機器により受信し、リリースのインジケーションと予め設定されたルールとに従って、免許不要周波数域に関する基地局のリリース時間を計算し、計算で得られたリリース時間を、予め設定された時間閾値と比較して、受信されたリリース時間が予め設定された時間閾値を超えているかを判断する段階
を有する。
【０００９】
第１態様の第２の可能な実装態様に関連し、第３の可能な実装態様において、
待機タイマーは非アクティブ化タイマーを含み、
免許不要周波数域の特定のリリース時間は、他のデバイスが免許不要周波数域を占有している時間と、免許不要周波数域がリリースされてから免許不要周波数域が取得されるまでのインターバル期間と、他のデバイスが免許不要周波数域を使用するために確保されている時間と、基地局が位置付けられているシステムの、免許不要周波数域における無通話時間とのうち少なくとも１つを含む。
【００１０】
第１態様から第１態様の第３の可能な実装態様のうちいずれか１つに関連し、第４の可能な実装態様において、
データ処理プロセスはハイブリッド自動再送要求ＨＡＲＱプロセスを含み、
免許不要周波数域にアタッチされたデータ処理プロセスをユーザ機器により一時停止することは、
物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む免許不要周波数域にアタッチされたオペレーションのうち少なくとも１つをユーザ機器により実行することを有し、
基地局が免許不要周波数域を再取得した後にデータ処理プロセスをユーザ機器により再開する段階は、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む免許不要周波数域にアタッチされたオペレーションのうち少なくとも１つをユーザ機器により実行する段階を有する。
【００１１】
第１態様から第１態様の第４の可能な実装態様のうちいずれか１つに関連し、第５の可能な実装態様において、
データ処理プロセスはハイブリッド自動再送要求ＨＡＲＱプロセスを含み、
免許不要周波数域にアタッチされたデータ処理プロセスをユーザ機器により終了することは、
ＨＡＲＱエンティティリセットオペレーションをユーザ機器により実行する、または、免許不要周波数域を使用するセルに関して非アクティブ化オペレーションを実行することを有し、
新たなデータ処理プロセスを開始する免許周波数域を選択する、または、基地局が免許不要周波数域を再取得した後に新たなデータ処理プロセスを開始する段階は、
新たなＨＡＲＱ処理プロセスを開始する免許周波数域をユーザ機器により選択する、または、基地局が免許不要周波数域を再取得した後に新たなＨＡＲＱ処理プロセスを開始する段階を有する。
【００１２】
第１態様から第１態様の第３の可能な実装態様のうちいずれか１つに関連し、第６の可能な実装態様において、
データ処理プロセスは間欠受信ＤＲＸプロセスを含み、
免許不要周波数域にアタッチされたデータ処理プロセスをユーザ機器により一時停止することは、
各ＤＲＸタイマーの通常動作を維持するオペレーションと、物理ダウンリンク制御チャネル上でのリッスンを一時停止するオペレーションと、ダウンリンク受信を一時停止するオペレーションと、アップリンク送信を一時停止するオペレーションとを含む免許不要周波数域にアタッチされたオペレーションのうち少なくとも１つをユーザ機器により実行することを有し、
基地局が免許不要周波数域を再取得した後にデータ処理プロセスをユーザ機器により再開する段階は、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションとを含む免許不要周波数域にアタッチされたオペレーションのうち少なくとも１つをユーザ機器により実行する段階を有する。
【００１３】
第１態様から第１態様の第３の可能な実装態様、および第１態様の第６の可能な実装態様のうちいずれか１つに関連し、第１態様の第７の可能な実装態様において、
データ処理プロセスは間欠受信ＤＲＸプロセスを含み、
免許不要周波数域にアタッチされたデータ処理プロセスをユーザ機器により終了することは、
ＨＡＲＱエンティティリセットオペレーションを実行するオペレーションと、免許不要周波数域を使用するセルに関して非アクティブ化オペレーションを実行するオペレーションと、各ＤＲＸタイマーを停止するオペレーションとを含む免許不要周波数域にアタッチされたオペレーションのうち少なくとも１つをユーザ機器により実行することを有し、
新たなデータ処理プロセスを開始する免許周波数域を選択する、または、基地局が免許不要周波数域を再取得した後に新たなデータ処理プロセスを開始する段階は、
新たなＤＲＸ処理プロセスを開始する免許周波数域をユーザ機器により選択する、または、免許周波数域で行われているＤＲＸ処理プロセスを維持する、または、基地局が免許不要周波数域を再取得した後に新たなＤＲＸ処理プロセスを開始する段階を有する。
【００１４】
第１態様の第７の可能な実装態様に関連し、第８の可能な実装態様において、
免許不要周波数域のセルと免許周波数域のセルとが同じＤＲＸパラメータ構成およびＤＲＸオペレーションを使用するときに、免許不要周波数域にアタッチされたデータ処理プロセスを終了するとき、ユーザ機器は各ＤＲＸタイマーを停止しない、または、
免許不要周波数域のセルと免許周波数域のセルとが異なるＤＲＸパラメータ構成を実行するときに、免許不要周波数域にアタッチされたデータ処理プロセスを終了するとき、ユーザ機器は各ＤＲＸタイマーを停止する。
【００１５】
第１態様から第１態様の第３の可能な実装態様のうちいずれか１つに関連し、第９の可能な実装態様において、
データ処理プロセスは自動再送要求ＡＲＱプロセスを含み、
免許不要周波数域にアタッチされたデータ処理プロセスをユーザ機器により一時停止することは、
無線リンク制御層ＲＬＣのリオーダリングタイマーを中断するオペレーションと、ポール再送タイマーを中断するオペレーションとを含む免許不要周波数域にアタッチされたオペレーションのうち少なくとも１つをユーザ機器により実行することを有し、
基地局が免許不要周波数域を再取得した後にデータ処理プロセスをユーザ機器により再開する段階は、
基地局が免許不要周波数域を再取得した後に、無線リンク制御層のリオーダリングタイマーを再開し、リオーダリングタイマーの時間が切れた後にＲＬＣステータス報告をトリガするオペレーションと、ポール再送タイマーを再開し、ポール再送タイマーの時間が切れた後に、ポールビットが与えられたＲＬＣデータユニットの再送をトリガする、または、新たなＲＬＣデータユニットを送信するオペレーションとを含む免許不要周波数域にアタッチされたオペレーションのうち少なくとも１つをユーザ機器により実行する段階を有する。
【００１６】
第１態様から第１態様の第３の可能な実装態様、および第９の可能な実装態様のうちいずれか１つに関連し、第１０の可能な実装態様において、
データ処理プロセスは自動再送要求ＡＲＱプロセスを含み、
免許不要周波数域にアタッチされたデータ処理プロセスをユーザ機器により終了することは、
リオーダリングタイマーを停止するオペレーションと、ポール再送タイマーを停止するオペレーションとを含む免許不要周波数域にアタッチされたオペレーションのうち少なくとも１つをユーザ機器により実行することを有し、
新たなデータ処理プロセスを開始する免許周波数域を選択する、または、基地局が免許不要周波数域を再取得した後に新たなデータ処理プロセスを開始する段階は、
新たなＡＲＱ処理プロセスを開始する免許周波数域をユーザ機器により選択する、または、基地局が免許不要周波数域を再取得した後に新たなＡＲＱ処理プロセスを開始する段階を有する。
【００１７】
第１態様から第１態様の第３の可能な実装態様のうちいずれか１つに関連し、第１１の可能な実装態様において、
データ処理プロセスはランダムアクセス手順を含み、
免許不要周波数域にアタッチされたデータ処理プロセスをユーザ機器により一時停止することは、
ランダムアクセス応答ウィンドウを中断するオペレーションと、競合解消タイマーを中断するオペレーションとを含む免許不要周波数域にアタッチされたオペレーションのうち少なくとも１つをユーザ機器により実行することを有し、
基地局が免許不要周波数域を再取得した後にデータ処理プロセスをユーザ機器により再開する段階は、
基地局が免許不要周波数域を再取得した後に、ランダムアクセス応答ウィンドウを再開するオペレーションと、競合解消タイマーの動作を再開するオペレーションとを含む免許不要周波数域にアタッチされたオペレーションのうち少なくとも１つをユーザ機器により実行する段階を有する。
【００１８】
第１態様から第１態様の第３の可能な実装態様、および第１態様の第１１の可能な実装態様のうちいずれか１つに関連し、第１２の可能な実装態様において、
データ処理プロセスはランダムアクセス手順を含み、
免許不要周波数域にアタッチされたデータ処理プロセスをユーザ機器により終了することは、
ランダムアクセス応答ウィンドウを停止し、ランダムアクセス応答メッセージの待機を停止するオペレーションと、競合解消タイマーを停止し、競合解消メッセージの待機を停止するオペレーションとを含む免許不要周波数域にアタッチされたオペレーションのうち少なくとも１つをユーザ機器により実行することを有し、
新たなデータ処理プロセスを開始する免許周波数域をユーザ機器により選択する、または、基地局が免許不要周波数域を再取得した後に新たなデータ処理プロセスを開始する段階は、
新たなランダムアクセス手順を開始する免許周波数域をユーザ機器により選択する、または、基地局が免許不要周波数域を再取得した後に新たなランダムアクセス手順を開始する段階を有する。
【００１９】
第１態様から第１態様の第３の可能な実装態様のうちいずれか１つに関連し、第１３の可能な実装態様において、
データ処理プロセスは無線リソース管理ＲＲＭ測定プロセスを含み、
免許不要周波数域にアタッチされたデータ処理プロセスをユーザ機器により一時停止することは、
ＲＲＭ測定プロセスをユーザ機器により一時停止することを有し、
基地局が免許不要周波数域を再取得した後にデータ処理プロセスをユーザ機器により再開する段階は、
ＲＲＭ測定プロセスをユーザ機器により再開する段階を有する。
【００２０】
第１態様から第１態様の第３の可能な実装態様、および第１態様の第１３の可能な実装態様のうちいずれか１つに関連し、第１４の可能な実装態様において、
データ処理プロセスは無線リソース管理ＲＲＭ測定プロセスを含み、
免許不要周波数域にアタッチされたデータ処理プロセスをユーザ機器により終了することは、
ＲＲＭ測定パラメータをユーザ機器によりリリースすることを有し、
新たなデータ処理プロセスを開始する免許周波数域をユーザ機器により選択する、または、基地局が免許不要周波数域を再取得した後に新たなデータ処理プロセスを開始する段階は、
新たなＲＲＭ測定プロセスを開始する免許周波数域をユーザ機器により選択する、または、基地局が免許不要周波数域を再取得した後に新たなＲＲＭプロセスを開始する段階を有する。
【００２１】
第１態様から第１態様の第３の可能な実装態様のうちいずれか１つに関連し、第１５の可能な実装態様において、
データ処理プロセスはチャネル状態情報ＣＳＩ測定プロセスを含み、
免許不要周波数域にアタッチされたデータ処理プロセスをユーザ機器により一時停止することは、
ＣＳＩ測定プロセスをユーザ機器により一時停止することを有し、
基地局が免許不要周波数域を再取得した後にデータ処理プロセスをユーザ機器により再開する段階は、
ＣＳＩ測定プロセスをユーザ機器により再開する段階を有する。
【００２２】
第１態様から第１態様の第３の可能な実装態様、および第１態様の第１５の可能な実装態様のうちいずれか１つに関連し、第１６の可能な実装態様において、
データ処理プロセスはチャネル状態情報ＣＳＩ測定プロセスを含み、
免許不要周波数域にアタッチされたデータ処理プロセスをユーザ機器により終了することは、
ＣＳＩ測定パラメータをユーザ機器によりリリースすることを有し、
新たなデータ処理プロセスを開始する免許周波数域をユーザ機器により選択する、または、基地局が免許不要周波数域を再取得した後に新たなデータ処理プロセスを開始する段階は、
新たなＣＳＩ測定プロセスを開始する免許周波数域をユーザ機器により選択する、または、基地局が免許不要周波数域を再取得した後に新たなＣＳＩプロセスを開始する段階を有する。
【００２３】
本願発明の複数の実施形態の第２態様は、ユーザ機器を提供し、ユーザ機器は、
基地局が免許不要周波数域をリリースしたとユーザ機器が判断したとき、基地局が免許不要周波数域をリリースしてから基地局が免許不要周波数域を再取得するまでの時間間隔を示す、免許不要周波数域がリリースされるリリース時間をモニタリングするよう構成されたモニタリングモジュールと、
モニタリングモジュールによりモニタリングされるリリース時間が時間閾値を超えていないとき、免許不要周波数域にアタッチされたデータ処理プロセスを一時停止し、基地局が免許不要周波数域を再取得した後にデータ処理プロセスを再開するよう構成された第１処理モジュールと、
モニタリングモジュールによりモニタリングされるリリース時間が時間閾値を超えているとき、免許不要周波数域にアタッチされたデータ処理プロセスを終了し、新たなデータ処理プロセスを開始する免許周波数域を選択する、または、基地局が免許不要周波数域を再取得した後に新たなデータ処理プロセスを開始するよう構成された第２処理モジュールと
を備える。
【００２４】
第２態様に関連し、第１の可能な実装態様において、ユーザ機器は、
基地局により送信された、免許不要周波数域がリリースされたことを示すインジケーション情報が受信されたとき、基地局が免許不要周波数域をリリースしたと判断する、または、基地局が免許不要周波数域をリリースしたと、基地局のパラメータに従って検出するよう構成されたリリース判断モジュールをさらに備える。
【００２５】
第２態様、または第２態様の第１の可能な実装態様に関連し、第２の可能な実装態様において、
モニタリングモジュールは、
待機タイマーを開始して、免許不要周波数域がリリースされているリリース時間を記録し、待機タイマーの時間が切れていないとき、リリース時間が時間閾値を超えていないと判断する、または、待機タイマーの時間が切れた後に、リリース時間が時間閾値を超えていると判断するよう構成された第１モニタリングモジュール、
または、
免許不要周波数域の、基地局により送信された特定のリリース時間を受信し、受信されたリリース時間を、予め設定された時間閾値と比較して、受信されたリリース時間が予め設定された時間閾値を超えているかを判断するよう構成された第２モニタリングモジュール、
または、
基地局により送信された、免許不要周波数域がリリースされたことを示すインジケーションを受信し、リリースのインジケーションと予め設定されたルールとに従って、免許不要周波数域に関する基地局のリリース時間を計算し、計算で得られたリリース時間を、予め設定された時間閾値と比較して、受信されたリリース時間が予め設定された時間閾値を超えているかを判断するよう構成された第３モニタリングモジュール
を有する。
【００２６】
第２態様の第２の可能な実装態様に関連し、第３の可能な実装態様において、
待機タイマーは非アクティブ化タイマーを含み、
免許不要周波数域の特定のリリース時間は、他のデバイスが免許不要周波数域を占有している時間と、他のデバイスが免許不要周波数域を使用するために確保されている時間と、基地局が位置付けられているシステムの、免許不要周波数域における無通話時間とのうち少なくとも１つを含む。
【００２７】
第２態様から第２態様の第３の可能な実装態様のうちいずれか１つに関連し、第４の可能な実装態様において、
データ処理プロセスはハイブリッド自動再送要求ＨＡＲＱプロセスを含み、
第１処理モジュールは具体的に、
モニタリングモジュールによりモニタリングされるリリース時間が時間閾値を超えていないとき、物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む免許不要周波数域にアタッチされたオペレーションのうち少なくとも１つを実行し、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む免許不要周波数域にアタッチされたオペレーションのうち少なくとも１つを実行する
よう構成されている。
【００２８】
第２態様から第２態様の第４の可能な実装態様のうちいずれか１つに関連し、第５の可能な実装態様において、
データ処理プロセスはハイブリッド自動再送要求ＨＡＲＱプロセスを含み、
第２処理モジュールは具体的に、
モニタリングモジュールによりモニタリングされるリリース時間が時間閾値を超えているとき、ＨＡＲＱエンティティリセットオペレーションを実行し、または、免許不要周波数域を使用するセルに関して非アクティブ化オペレーションを実行し、
新たなＨＡＲＱ処理プロセスを開始する免許周波数域を選択する、または、基地局が免許不要周波数域を再取得した後に新たなＨＡＲＱ処理プロセスを開始する
よう構成されている。
【００２９】
第２態様から第２態様の第３の可能な実装態様のうちいずれか１つに関連し、第６の可能な実装態様において、
データ処理プロセスは間欠受信ＤＲＸプロセスを含み、
第１処理モジュールは具体的に、
モニタリングモジュールによりモニタリングされるリリース時間が時間閾値を超えていないとき、各ＤＲＸタイマーの通常動作を維持するオペレーションと、物理ダウンリンク制御チャネル上でのリッスンを一時停止するオペレーションと、ダウンリンク受信を一時停止するオペレーションと、アップリンク送信を一時停止するオペレーションとを含む免許不要周波数域にアタッチされたオペレーションのうち少なくとも１つを実行し、
基地局が免許不要周波数域を再取得した後に、基地局が免許不要周波数域を再取得した後に、物理ダウンリンク制御チャネル上でのリッスンを再開するオペレーションと、ダウンリンク受信を再開するオペレーションと、アップリンク送信を再開するオペレーションとを含む免許不要周波数域にアタッチされたオペレーションのうち少なくとも１つを実行する
よう構成されている。
【００３０】
第２態様から第２態様の第３の可能な実装態様、および第２態様の第６の可能な実装態様のうちいずれか１つに関連し、第７の可能な実装態様において、
データ処理プロセスは間欠受信ＤＲＸプロセスを含み、
第２処理モジュールは具体的に、
モニタリングモジュールによりモニタリングされるリリース時間が時間閾値を超えているとき、ＨＡＲＱエンティティリセットオペレーションを実行するオペレーションと、免許不要周波数域を使用するセルに関して非アクティブ化オペレーションを実行するオペレーションと、各ＤＲＸタイマーを停止するオペレーションとを含む免許不要周波数域にアタッチされたオペレーションのうち少なくとも１つを実行し、
新たなＤＲＸ処理プロセスを開始する免許周波数域を選択する、または、免許周波数域で行われているＤＲＸ処理プロセスを維持する、または、基地局が免許不要周波数域を再取得した後に新たなＤＲＸ処理プロセスを開始する
よう構成されている。
【００３１】
第２態様の第７の可能な実装態様に関連し、第８の可能な実装態様において、
免許不要周波数域のセルと免許周波数域のセルとが同じＤＲＸパラメータ構成およびＤＲＸオペレーションを使用するとき、第２処理モジュールは各ＤＲＸタイマーを停止しない、または、
免許不要周波数域のセルと免許周波数域のセルとが異なるＤＲＸパラメータを実行するとき、第２処理モジュールは各ＤＲＸタイマーを停止する。
【００３２】
第２態様から第２態様の第３の可能な実装態様のうちいずれか１つに関連し、第９の可能な実装態様において、
データ処理プロセスは自動再送要求ＡＲＱプロセスを含み、
第１処理モジュールは具体的に、
モニタリングモジュールによりモニタリングされるリリース時間が時間閾値を超えていないとき、無線リンク制御層ＲＬＣのリオーダリングタイマーを中断するオペレーションと、ポール再送タイマーを中断するオペレーションとを含む免許不要周波数域にアタッチされたオペレーションのうち少なくとも１つを実行し、
基地局が免許不要周波数域を再取得した後に、無線リンク制御層のリオーダリングタイマーを再開し、リオーダリングタイマーの時間が切れた後にＲＬＣステータス報告をトリガするオペレーションと、ポール再送タイマーを再開し、ポール再送タイマーの時間が切れた後に、ポールビットが与えられたＲＬＣデータユニットの再送をトリガする、または、新たなＲＬＣデータユニットを送信するオペレーションとを含む免許不要周波数域にアタッチされたオペレーションのうち少なくとも１つを実行する
よう構成されている。
【００３３】
第２態様から第２態様の第３の可能な実装態様、および第９の可能な実装態様のうちいずれか１つに関連し、第１０の可能な実装態様において、
データ処理プロセスは自動再送要求ＡＲＱプロセスを含み、
第２処理モジュールは具体的に、
モニタリングモジュールによりモニタリングされるリリース時間が時間閾値を超えているとき、リオーダリングタイマーを停止するオペレーションと、ポール再送タイマーを停止するオペレーションとを含む免許不要周波数域にアタッチされたオペレーションのうち少なくとも１つを実行し、
新たなＡＲＱ処理プロセスを開始する免許周波数域を選択する、または、基地局が免許不要周波数域を再取得した後に新たなＡＲＱ処理プロセスを開始する
よう構成されている。
【００３４】
第２態様から第２態様の第３の可能な実装態様のうちいずれか１つに関連し、第１１の可能な実装態様において、
データ処理プロセスはランダムアクセス手順を含み、
第１処理モジュールは具体的に、
モニタリングモジュールによりモニタリングされるリリース時間が時間閾値を超えていないとき、ランダムアクセス応答ウィンドウを中断するオペレーションと、競合解消タイマーを中断するオペレーションとを含む免許不要周波数域にアタッチされたオペレーションのうち少なくとも１つを実行し、
基地局が免許不要周波数域を再取得した後に、ランダムアクセス応答ウィンドウを再開するオペレーションと、競合解消タイマーの動作を再開するオペレーションとを含む免許不要周波数域にアタッチされたオペレーションのうち少なくとも１つを実行する
よう構成されている。
【００３５】
第２態様から第２態様の第３の可能な実装態様、および第２態様の第１１の可能な実装態様のうちいずれか１つに関連し、第１２の可能な実装態様において、
データ処理プロセスはランダムアクセス手順を含み、
第２処理モジュールは具体的に、
モニタリングモジュールによりモニタリングされるリリース時間が時間閾値を超えているとき、ランダムアクセス応答ウィンドウを停止し、ランダムアクセス応答メッセージの待機を停止するオペレーションと、競合解消タイマーを停止し、競合解消メッセージの待機を停止するオペレーションとを含む免許不要周波数域にアタッチされたオペレーションのうち少なくとも１つを実行し、
新たなランダムアクセス手順を開始する免許周波数域を選択する、または、基地局が免許不要周波数域を再取得した後に新たなランダムアクセス手順を開始する
よう構成されている。
【００３６】
第２態様から第２態様の第３の可能な実装態様のうちいずれか１つに関連し、第１３の可能な実装態様において、
データ処理プロセスは無線リソース管理ＲＲＭ測定プロセスを含み、
第１処理モジュールは具体的に、
モニタリングモジュールによりモニタリングされるリリース時間が時間閾値を超えていないとき、ＲＲＭ測定プロセスを一時停止し、
基地局が免許不要周波数域を再取得した後に、ＲＲＭ測定プロセスを再開する
よう構成されている。
【００３７】
第２態様から第２態様の第３の可能な実装態様、および第２態様の第１３の可能な実装態様のうちいずれか１つに関連し、第１４の可能な実装態様において、
データ処理プロセスは無線リソース管理ＲＲＭ測定プロセスを含み、
第２処理モジュールは具体的に、
モニタリングモジュールによりモニタリングされるリリース時間が時間閾値を超えているとき、ＲＲＭ測定パラメータをリリースし、
新たなＲＲＭ測定プロセスを開始する免許周波数域を選択する、または、基地局が免許不要周波数域を再取得した後に新たなＲＲＭプロセスを開始する
よう構成されている。
【００３８】
第２態様から第２態様の第３の可能な実装態様のうちいずれか１つに関連し、第１５の可能な実装態様において、
データ処理プロセスはチャネル状態情報ＣＳＩ測定プロセスを含み、
第１処理モジュールは具体的に、
モニタリングモジュールによりモニタリングされるリリース時間が時間閾値を超えていないとき、ＣＳＩ測定プロセスを一時停止し、
基地局が免許不要周波数域を再取得した後にＣＳＩ測定プロセスを再開する
よう構成されている。
【００３９】
第２態様から第２態様の第３の可能な実装態様、および第２態様の第１５の可能な実装態様のうちいずれか１つに関連し、第１６の可能な実装態様において、
データ処理プロセスはチャネル状態情報ＣＳＩ測定プロセスを含み、
第２処理モジュールは具体的に、
モニタリングモジュールによりモニタリングされるリリース時間が時間閾値を超えているとき、ＣＳＩ測定パラメータをリリースし、
新たなＣＳＩ測定プロセスを開始する免許周波数域を選択する、または、基地局が免許不要周波数域を再取得した後に新たなＣＳＩプロセスを開始する
よう構成されている。
【００４０】
本願発明の複数の実施形態の第３態様は、ユーザ機器を提供し、ユーザ機器は、
メモリと、
プロセッサと
を備え、
プロセッサは、メモリに格納されたプログラムを呼び出し、
基地局が免許不要周波数域をリリースしたと判断したとき、基地局が免許不要周波数域をリリースしてから基地局が免許不要周波数域を再取得するまでの時間間隔を示す、免許不要周波数域がリリースされるリリース時間をモニタリングするプロセスと、
リリース時間が時間閾値を超えていないとき、免許不要周波数域にアタッチされたデータ処理プロセスを一時停止し、基地局が免許不要周波数域を再取得した後にデータ処理プロセスを再開するプロセスと、
リリース時間が時間閾値を超えているとき、免許不要周波数域にアタッチされたデータ処理プロセスを終了し、新たなデータ処理プロセスを開始する免許周波数域を選択する、または、基地局が免許不要周波数域を再取得した後に新たなデータ処理プロセスを開始するプロセスと
を実施する。
【００４１】
第３態様に関連し、第１の可能な実装態様において、
基地局が免許不要周波数域をリリースしたとプロセッサが判断することは、
基地局により送信された、免許不要周波数域がリリースされたことを示すインジケーション情報をユーザ機器が受信したとき、基地局が免許不要周波数域をリリースしたとプロセッサが判断すること、
または、
基地局が免許不要周波数域をリリースしたと、基地局のパラメータに従ってプロセッサが検出すること
を備える。
【００４２】
第３態様または第３態様の第１の可能な実装態様に関連し、第２の可能な実装態様において、
免許不要周波数域がリリースされるリリース時間をプロセッサによりモニタリングするプロセスは、
待機タイマーをプロセッサにより開始して、免許不要周波数域がリリースされているリリース時間を記録し、待機タイマーの時間が切れていないとき、リリース時間が時間閾値を超えていないと判断する、または、待機タイマーの時間が切れた後に、リリース時間が時間閾値を超えていると判断するプロセス、
または、
免許不要周波数域の、基地局により送信された特定のリリース時間をプロセッサにより受信し、受信されたリリース時間を、予め設定された時間閾値と比較して、受信されたリリース時間が予め設定された時間閾値を超えているかを判断するプロセス、
または、
基地局により送信された、免許不要周波数域がリリースされたことを示すインジケーションをプロセッサにより受信し、リリースのインジケーションと予め設定されたルールとに従って、免許不要周波数域に関する基地局のリリース時間を計算し、計算で得られたリリース時間を、予め設定された時間閾値と比較して、受信されたリリース時間が予め設定された時間閾値を超えているかを判断するプロセス
を有する。
【００４３】
第３態様の第２の可能な実装態様に関連し、第３の可能な実装態様において、
待機タイマーは非アクティブ化タイマーを含み、
免許不要周波数域の特定のリリース時間は、他のデバイスが免許不要周波数域を占有している時間と、他のデバイスが免許不要周波数域を使用するために確保されている時間と、基地局が位置付けられているシステムの、免許不要周波数域における無通話時間とのうち少なくとも１つを含む。
【００４４】
第３態様から第３態様の第３の可能な実装態様のうちいずれか１つに関連し、第４の可能な実装態様において、
データ処理プロセスはハイブリッド自動再送要求ＨＡＲＱプロセスを含み、
免許不要周波数域にアタッチされたデータ処理プロセスをプロセッサにより一時停止することは、
物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む免許不要周波数域にアタッチされたオペレーションのうち少なくとも１つをプロセッサにより実行することを有し、
基地局が免許不要周波数域を再取得した後にデータ処理プロセスをプロセッサにより再開するプロセスは、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む免許不要周波数域にアタッチされたオペレーションのうち少なくとも１つをプロセッサにより実行するプロセスを有する。
【００４５】
第３態様から第３態様の第４の可能な実装態様のうちいずれか１つに関連し、第５の可能な実装態様において、
データ処理プロセスはハイブリッド自動再送要求ＨＡＲＱプロセスを含み、
免許不要周波数域にアタッチされたデータ処理プロセスをプロセッサにより終了することは、
ＨＡＲＱエンティティリセットオペレーションをプロセッサにより実行する、または、免許不要周波数域を使用するセルに関して非アクティブ化オペレーションを実行することを有し、
新たなデータ処理プロセスを開始する免許周波数域を選択する、または、基地局が免許不要周波数域を再取得した後に新たなデータ処理プロセスを開始するプロセスは、
新たなＨＡＲＱ処理プロセスを開始する免許周波数域をプロセッサにより選択する、または、基地局が免許不要周波数域を再取得した後に新たなＨＡＲＱ処理プロセスを開始するプロセスを有する。
【００４６】
第３態様から第３態様の第３の可能な実装態様のうちいずれか１つに関連し、第６の可能な実装態様において、
データ処理プロセスは間欠受信ＤＲＸプロセスを含み、
免許不要周波数域にアタッチされたデータ処理プロセスをプロセッサにより一時停止することは、
各ＤＲＸタイマーの通常動作を維持するオペレーションと、物理ダウンリンク制御チャネル上でのリッスンを一時停止するオペレーションと、ダウンリンク受信を一時停止するオペレーションと、アップリンク送信を一時停止するオペレーションとを含む免許不要周波数域にアタッチされたオペレーションのうち少なくとも１つをプロセッサにより実行することを有し、
基地局が免許不要周波数域を再取得した後にデータ処理プロセスをプロセッサにより再開するプロセスは、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションとを含む免許不要周波数域にアタッチされたオペレーションのうち少なくとも１つをプロセッサにより実行するプロセスを有する。
【００４７】
第３態様から第３態様の第３の可能な実装態様、および第３態様の第６の可能な実装態様のうちいずれか１つに関連し、第７の可能な実装態様において、
データ処理プロセスは間欠受信ＤＲＸプロセスを含み、
免許不要周波数域にアタッチされたデータ処理プロセスをプロセッサにより終了することは、
ＨＡＲＱエンティティリセットオペレーションを実行するオペレーションと、免許不要周波数域を使用するセルに関して非アクティブ化オペレーションを実行するオペレーションと、各ＤＲＸタイマーを停止するオペレーションとを含む免許不要周波数域にアタッチされたオペレーションのうち少なくとも１つをプロセッサにより実行することを有し、
新たなデータ処理プロセスを開始する免許周波数域を選択する、または、基地局が免許不要周波数域を再取得した後に新たなデータ処理プロセスを開始するプロセスは、
新たなＤＲＸ処理プロセスを開始する免許周波数域をプロセッサにより選択する、または、免許周波数域で行われているＤＲＸ処理プロセスを維持する、または、基地局が免許不要周波数域を再取得した後に新たなＤＲＸ処理プロセスを開始するプロセスを有する。
【００４８】
第３態様の第７の可能な実装態様に関連し、第８の可能な実装態様において、
免許不要周波数域のセルと免許周波数域のセルとが同じＤＲＸパラメータ構成およびＤＲＸオペレーションを使用するときに、免許不要周波数域にアタッチされたデータ処理プロセスを終了するとき、プロセッサは各ＤＲＸタイマーを停止しない、または、
免許不要周波数域のセルと免許周波数域のセルとが異なるＤＲＸパラメータ構成を実行するときに、免許不要周波数域にアタッチされたデータ処理プロセスを終了するとき、プロセッサは各ＤＲＸタイマーを停止する。
【００４９】
第３態様から第３態様の第３の可能な実装態様のうちいずれか１つに関連し、第９の可能な実装態様において、
データ処理プロセスは自動再送要求ＡＲＱプロセスを含み、
免許不要周波数域にアタッチされたデータ処理プロセスをプロセッサにより一時停止することは、
無線リンク制御層ＲＬＣのリオーダリングタイマーを中断するオペレーションと、ポール再送タイマーを中断するオペレーションとを含む免許不要周波数域にアタッチされたオペレーションのうち少なくとも１つをプロセッサにより実行することを有し、
基地局が免許不要周波数域を再取得した後にデータ処理プロセスをプロセッサにより再開するプロセスは、
基地局が免許不要周波数域を再取得した後に、無線リンク制御層のリオーダリングタイマーを再開し、リオーダリングタイマーの時間が切れた後にＲＬＣステータス報告をトリガするオペレーションと、ポール再送タイマーを再開し、ポール再送タイマーの時間が切れた後に、ポールビットが与えられたＲＬＣデータユニットの再送をトリガする、または、新たなＲＬＣデータユニットを送信するオペレーションとを含む免許不要周波数域にアタッチされたオペレーションのうち少なくとも１つをプロセッサにより実行するプロセスを有する。
【００５０】
第３態様から第３態様の第３の可能な実装態様、および第９の可能な実装態様のうちいずれか１つに関連し、第１０の可能な実装態様において、
データ処理プロセスは自動再送要求ＡＲＱプロセスを含み、
免許不要周波数域にアタッチされたデータ処理プロセスをプロセッサにより終了することは、
リオーダリングタイマーを停止するオペレーションと、ポール再送タイマーを停止するオペレーションとを含む免許不要周波数域にアタッチされたオペレーションのうち少なくとも１つをプロセッサにより実行することを有し、
新たなデータ処理プロセスを開始する免許周波数域を選択する、または、基地局が免許不要周波数域を再取得した後に新たなデータ処理プロセスを開始するプロセスは、
新たなＡＲＱ処理プロセスを開始する免許周波数域をプロセッサにより選択する、または、基地局が免許不要周波数域を再取得した後に新たなＡＲＱ処理プロセスを開始するプロセスを有する。
【００５１】
第３態様から第３態様の第３の可能な実装態様のうちいずれか１つに関連し、第１１の可能な実装態様において、
データ処理プロセスはランダムアクセス手順を含み、
免許不要周波数域にアタッチされたデータ処理プロセスをプロセッサにより一時停止することは、
ランダムアクセス応答ウィンドウを中断するオペレーションと、競合解消タイマーを中断するオペレーションとを含む免許不要周波数域にアタッチされたオペレーションのうち少なくとも１つをプロセッサにより実行することを有し、
基地局が免許不要周波数域を再取得した後にデータ処理プロセスをプロセッサにより再開するプロセスは、
基地局が免許不要周波数域を再取得した後に、ランダムアクセス応答ウィンドウを再開するオペレーションと、競合解消タイマーの動作を再開するオペレーションとを含む免許不要周波数域にアタッチされたオペレーションのうち少なくとも１つをプロセッサにより実行するプロセスを有する。
【００５２】
第３態様から第３態様の第３の可能な実装態様、および第３態様の第１１の可能な実装態様のうちいずれか１つに関連し、第１２の可能な実装態様において、
データ処理プロセスはランダムアクセス手順を含み、
免許不要周波数域にアタッチされたデータ処理プロセスをプロセッサにより終了することは、
ランダムアクセス応答ウィンドウを停止し、ランダムアクセス応答メッセージの待機を停止するオペレーションと、競合解消タイマーを停止し、競合解消メッセージの待機を停止するオペレーションとを含む免許不要周波数域にアタッチされたオペレーションのうち少なくとも１つをプロセッサにより実行することを有し、
新たなデータ処理プロセスを開始する免許周波数域をプロセッサにより選択する、または、基地局が免許不要周波数域を再取得した後に新たなデータ処理プロセスを開始するプロセスは、
新たなランダムアクセス手順を開始する免許周波数域をプロセッサにより選択する、または、基地局が免許不要周波数域を再取得した後に新たなランダムアクセス手順を開始するプロセスを有する。
【００５３】
第３態様から第３態様の第３の可能な実装態様のうちいずれか１つに関連し、第１３の可能な実装態様において、
データ処理プロセスは無線リソース管理ＲＲＭ測定プロセスを含み、
免許不要周波数域にアタッチされたデータ処理プロセスをプロセッサにより一時停止することは、
ＲＲＭ測定プロセスをプロセッサにより一時停止することを有し、
基地局が免許不要周波数域を再取得した後にデータ処理プロセスをプロセッサにより再開するプロセスは、
ＲＲＭ測定プロセスをプロセッサにより再開するプロセスを有する。
【００５４】
第３態様から第３態様の第３の可能な実装態様、および第３態様の第１３の可能な実装態様のうちいずれか１つに関連し、第１４の可能な実装態様において、
データ処理プロセスは無線リソース管理ＲＲＭ測定プロセスを含み、
免許不要周波数域にアタッチされたデータ処理プロセスをプロセッサにより終了することは、
ＲＲＭ測定パラメータをプロセッサによりリリースすることを有し、
新たなデータ処理プロセスを開始する免許周波数域をプロセッサにより選択する、または、基地局が免許不要周波数域を再取得した後に新たなデータ処理プロセスを開始するプロセスは、
新たなＲＲＭ測定プロセスを開始する免許周波数域をプロセッサにより選択する、または、基地局が免許不要周波数域を再取得した後に新たなＲＲＭプロセスを開始するプロセスを有する。
【００５５】
第３態様から第３態様の第３の可能な実装態様のうちいずれか１つに関連し、第１５の可能な実装態様において、
データ処理プロセスはチャネル状態情報ＣＳＩ測定プロセスを含み、
免許不要周波数域にアタッチされたデータ処理プロセスをプロセッサにより一時停止することは、
ＣＳＩ測定プロセスをプロセッサにより一時停止することを有し、
基地局が免許不要周波数域を再取得した後にデータ処理プロセスをプロセッサにより再開するプロセスは、
ＣＳＩ測定プロセスをプロセッサにより再開するプロセスを有する。
【００５６】
第３態様から第３態様の第３の可能な実装態様、および第３態様の第１５の可能な実装態様のうちいずれか１つに関連し、第１６の可能な実装態様において、
データ処理プロセスはチャネル状態情報ＣＳＩ測定プロセスを含み、
免許不要周波数域にアタッチされたデータ処理プロセスをプロセッサにより終了することは、
ＣＳＩ測定パラメータをプロセッサによりリリースすることを有し、
新たなデータ処理プロセスを開始する免許周波数域をプロセッサにより選択する、または、基地局が免許不要周波数域を再取得した後に新たなデータ処理プロセスを開始するプロセスは、
新たなＣＳＩ測定プロセスを開始する免許周波数域をプロセッサにより選択する、または、基地局が免許不要周波数域を再取得した後に新たなＣＳＩプロセスを開始するプロセスを有する。
【００５７】
本願発明の第４態様は、コンピュータ記憶媒体を提供し、コンピュータ記憶媒体はプログラムを格納し得、
プログラムが実行されたとき、本願発明において説明されている方法のいくつかの、または全ての段階が実行され得る。
【００５８】
上記から分かるように、本願発明のいくつかの実施形態において、基地局が免許不要周波数域をリリースしたとユーザ機器が判断したとき、ユーザ機器は、基地局が免許不要周波数域をリリースしてから基地局が免許不要周波数域を再取得するまでの時間間隔を示す、免許不要周波数域がリリースされるリリース時間をモニタリングし、リリース時間が時間閾値を超えていないとき、ユーザ機器は、免許不要周波数域にアタッチされたデータ処理プロセスを一時停止し、基地局が免許不要周波数域を再取得した後にデータ処理プロセスを再開し、それにより、免許不要周波数域が再取得された後の通信プロセスの通常の再開を確実にし、リリース時間が時間閾値を超えているとき、ユーザ機器は、免許不要周波数域にアタッチされたデータ処理プロセスを終了し、新たなデータ処理プロセスを開始する免許周波数域を選択する、または、基地局が免許不要周波数域を再取得した後に新たなデータ処理プロセスを開始する。それにより、遅延した冗長な再送により引き起こされる無線リソースの無駄を回避し、スループットに対する影響、または過度に大きなデータパケット送信遅延に起因して送信制御プロトコル再送により引き起こされる通信失敗を回避する。
【図面の簡単な説明】
【００５９】
本願発明の複数の実施形態における技術的解決法をより明確に説明するべく、以下に、本願発明の複数の実施形態を説明するために必要となる添付の複数の図面を簡単に説明する。明らかに、以下の説明における添付の複数の図面は、単に本願発明のいくつかの実施形態を示し、当業者は、創造努力なしでこれら添付の複数の図面から他の複数の図面をさらに導き出し得る。
【図１】本願発明の複数の実施形態に係る、免許不要周波数域がリリースされた後にデータを処理するための方法の実施形態の概略フローチャートである。
【図２】本願発明の複数の実施形態に係るユーザ機器の実施形態の概略構造図である。
【図３】本願発明の複数の実施形態に係るユーザ機器の実施形態の概略構造図である。
【図４】本願発明の複数の実施形態に係るモニタリングモジュールの実施形態の概略構造図である。
【図５】本願発明の複数の実施形態に係るユーザ機器の実施形態の概略構造図である。
【発明を実施するための形態】
【００６０】
以下において、本願発明の複数の実施形態における添付の複数の図面に関連して、本願発明の複数の実施形態における複数の技術的解決法が明確かつ完全に説明される。明らかに、説明されている複数の実施形態は、本願発明の複数の実施形態の全てではなく単に一部である。創造努力なしで本願発明の複数の実施形態に基づき当業者により得られる全ての他の実施形態が、本願発明の保護範囲内に含まれるものとする。
【００６１】
具体的な実装において、免許不要周波数域は多くのユーザにより共有され、それらユーザは、異なる無線アクセス技術（ＲＡＴ，ｒａｄｉｏ  ａｃｃｅｓｓ  ｔｅｃｈｎｏｌｏｇｙ）、例えば、ＬＴＥ、ＷｉＦｉ、およびブルートゥース（登録商標）（Ｂｌｕｅｔｏｏｔｈ（登録商標））を用い得る。送信の前に、免許不要周波数域を使用するＬＴＥ、ＷｉＦｉ、およびＢｌｕｅｔｏｏｔｈ（登録商標）デバイスは、最初に、その周波数域がアイドル状態であるかをリッスンして、つまり、「トークの前にリッスン（ＬＢＴ，Ｌｉｓｔｅｎ  ｂｅｆｏｒｅ  Ｔａｌｋ）」して、免許不要周波数域を使用している他のユーザに対する干渉を避ける必要がある。ユーザが免許不要周波数域を取得した後の最大占有時間のための対応する仕様もある。ユーザは、特定の時間の間その周波数域を使用した後、免許不要周波数域をリリースし、特定の時間の間そのユーザがアイドル状態であった後、免許不要周波数域を巡って競合を開始する必要があり、これにより、全てのユーザが免許不要周波数域を使用するための公平な競争機会が与えられる。例えば、ＬＴＥシステムとＷｉＦｉシステムとが免許不要周波数域に共存する例を用いて説明が成される。ＬＴＥシステムはセルラーシステムを代表しており、他のセルラーシステムは、ＵＭＴＳ、ＧＳＭ（登録商標）、ＣＤＭＡ２０００、および同様のものを含み得る。ＷｉＦｉは、インターシステムの代表である。具体的な実装において、ＬＴＥ基地局は概して、送信電力およびダウンリンク（ｄｏｗｎｌｉｎｋ）カバレッジに応じて、ピコ基地局（Ｐｉｃｏ  ｅＮＢ）、スモールセル（Ｍｉｃｒｏまたはｓｍａｌｌ  ｅＮＢ）、またはマクロ基地局（ｍａｃｒｏ  ｅＮＢ）に分類され得る。本願発明において以下で関わる基地局は、ＬＴＥシステムのどの基地局であってもよい。具体的な実装において、ＬＴＥシステムが基地局のカバレッジ内で免許不要周波数域を使用するとき、ＷｉＦｉシステムなどのインターシステムは、同じ周波数帯域の免許不要周波数域を使用し得る。ＬＴＥシステムとＷｉＦｉシステムとの共通のカバレッジで、周波数内の干渉が存在し得る。例えば、ＬＴＥシステムおよびＷｉＦｉシステムのカバレッジおよび周波数の両方が重なるとき、ＬＴＥシステムおよびＷｉＦｉシステムがそれぞれのシステム内で、重なる周波数範囲で通信を実施する場合、周波数内の干渉が引き起こされ得る。したがって、ＬＴＥシステムとＷｉＦｉシステムとは、それらシステム間で互いに調整する必要がある、または、それらシステムの複数のデバイスが、検出およびバックオフにより免許不要周波数域を共有し、これにより、それらシステムは通常通り通信を実施出来る。したがって、本願発明の複数の実施形態におけるＬＴＥシステムまたはＷｉＦｉシステムが免許不要周波数域をリリースし、ある期間の間アイドル状態であった後に、免許不要周波数域を巡って競合する必要があり、これにより、ＬＴＥシステムとＷｉＦｉシステムとの間で免許不要周波数域の共有を維持するケースがあり得る。本願発明の複数の実施形態の以下のいくつかの実施形態において、免許不要周波数域がリリースされた後の各システムの処理プロセスが、例として、基地局が免許不要周波数域を���リースした後のＬＴＥシステムにおけるデータ処理プロセスを用いて説明される。したがって、以下の方法は、ＬＴＥシステム以外の他のシステムにも適用可能である。
【００６２】
さらに、ＬＴＥシステムにおいて、３ＧＰＰロングタームエボリューションアドバンスド（ＬＬＴＥ−Ａ，ｌｏｎｇ  ｔｅｒｍ  ｅｖｏｌｕｔｉｏｎ  ａｄｖａｎｃｅｄ）キャリアアグリゲーション（ＣＡ，ｃａｒｒｉｅｒ  ａｇｇｒｅｇａｔｉｏｎ）で複数の連続的または非連続的なコンポーネントキャリア（ＣＣ，ｃｏｍｐｏｎｅｎｔ  ｃａｒｒｉｅｒ）が集約されて、ユーザピークデータレートおよびシステムスループットを向上させる。集約されたコンポーネントキャリアは、１つのプライマリセル（ＰＣｅｌｌ，Ｐｒｉｍａｒｙ）、およびゼロから５つのセカンダリセル（ＳＣｅｌｌ，ｓｅｃｏｎｄａｒｙ  ｃｅｌｌ）を含み、最大１００ＭＨｚ帯域幅をサポートする。ＰＣｅｌｌとＳＣｅｌｌとは、一緒に位置付けられていてもよく（ｃｏｌｌｏｃａｔｅまたはｃｏ−ｓｉｔｅ）、または一緒に位置付けられていなくてもよい。例えば、後者に関して、基地局とリモート無線ヘッド（ＲＲＨ，ｒｅｍｏｔｅ  ｒａｄｉｏ  ｈｅａｄ）とはそれぞれＰＣｅｌｌとＳＣｅｌｌとを提供する。ＰＣｅｌｌは、ユーザ機器（ＵＥ，ｕｓｅｒ  ｅｑｕｉｐｍｅｎｔ）がランダムアクセス手順（ｒａｎｄｏｍ  ａｃｃｅｓｓ  ｐｒｏｃｅｄｕｒｅ）を実行してシステムへ最初にアクセスするときのセル（ｃｅｌｌ）であり、または、ユーザ機器がハンドオーバー手順（ｈａｎｄｏｖｅｒ  ｐｒｏｃｅｄｕｒｅ）を実行してターゲットの基地局にアクセスするときのセルである。ＰＣｅｌｌはさらに、セキュリティ（ｓｅｃｕｒｉｔｙ）および非アクセス層（ＮＡＳ，Ｎｏｎ−Ａｃｃｅｓｓ  Ｓｔｒａｔｕｍ）シグナリング送信を提供する。ＳＣｅｌｌは主に、データ送信のための追加の無線リソースを提供する。ＬＴＥ−Ａは、ＣＡ技術により免許不要周波数域を使用し得る。したがって、以下のいくつかの実施形態において、ＳＣｅｌｌが免許不要周波数域を使用する例を用いて説明が成される。
【００６３】
具体的に、図１は、本願発明の実施形態に係る、免許不要周波数域がリリースされた後にデータを処理するための方法の実施形態の概略フローチャートである。図１に示されるように、方法は以下のことを含み得る。
【００６４】
段階１１０：基地局が免許不要周波数域をリリースしたとユーザ機器が判断したとき、ユーザ機器は、基地局が免許不要周波数域をリリースしてから基地局が免許不要周波数域を再取得するまでの時間間隔を示す、免許不要周波数域がリリースされるリリース時間をモニタリングする。
【００６５】
段階Ｓ１１１：リリース時間が時間閾値を超えていないとき、ユーザ機器は、免許不要周波数域にアタッチされたデータ処理プロセスを一時停止し、基地局が免許不要周波数域を再取得した後にデータ処理プロセスを再開する。
【００６６】
段階Ｓ１１２：リリース時間が時間閾値を超えているとき、ユーザ機器は、免許不要周波数域にアタッチされたデータ処理プロセスを終了し、新たなデータ処理プロセスを開始する免許周波数域を選択する、または、基地局が免許不要周波数域を再取得した後に新たなデータ処理プロセスを開始する。
【００６７】
具体的な実装において、段階Ｓ１１０において、または段階Ｓ１１０の前に、基地局が免許不要周波数域をリリースしたとユーザ機器が判断する。判断の方法は限定されないが、以下の態様を含む。
基地局により送信された、免許不要周波数域がリリースされたことを示すインジケーション情報をユーザ機器が受信したとき、基地局が免許不要周波数域をリリースしたとユーザ機器が判断する、
または、
基地局が免許不要周波数域をリリースしたと、基地局のパラメータに従ってユーザ機器が検出する。
【００６８】
ＬＴＥ−Ａシステムを例として用いると、基地局が免許不要周波数域を取得した後、基地局とユーザ機器（ＵＥ）とは、ＳＣｅｌｌの無線リソースを使用して互いに通信する。基地局とユーザ機器とがある期間の間、互いに通信した後、基地局は免許不要周波数域をリリースし、基地局は、ＵＥに対して、免許不要周波数域がリリースされたことを示すインジケーション情報を送信する。ここで、インジケーション情報は、物理ダウンリンク制御チャネル（物理ダウンリンク制御チャネル（Ｐｈｙｓｉｃａｌ  ｄｏｗｎｌｉｎｋ  ｃｏｎｔｒｏｌ  ｃｈａｎｎｅｌ，ＰＤＣＣＨ）または拡張物理ダウンリンク制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ，ＥＰＤＣＣＨ）を含む）を使用して送信され得、または、媒体アクセス制御制御要素（Ｍｅｄｉｕｍ  ａｃｃｅｓｓ  ｃｏｎｔｒｏｌ  ｃｏｎｔｒｏｌ  ｅｌｅｍｅｎｔ，ＭＡＣ  ＣＥ）を使用して送信され得る。免許不要周波数域がリリースされたことを示す、ＰＤＣＣＨまたはＥＰＤＣＣＨまたはＭＡＣ  ＣＥを使用して基地局により送信されたインジケーション情報をＵＥが受信したとき、基地局が免許不要周波数域をリリースしたとＵＥが判断出来る。代替的に、ＵＥは、ＬＴＥ基準信号を測定することにより基地局が免許不要周波数域をリリースしたと検出する。
【００６９】
具体的な実装において、段階Ｓ１１０において、免許不要周波数域がリリースされているリリース時間をユーザ機器がモニタリングする態様は限定されないが、以下の態様を含む。
【００７０】
態様１：ユーザ機器が待機タイマーを開始して、免許不要周波数域がリリースされているリリース時間を記録し、待機タイマーの時間が切れていないとき、リリース時間が時間閾値を超えていないと判断する、または、待機タイマーの時間が切れた後に、リリース時間が時間閾値を超えていると判断する。
【００７１】
依然としてＬＴＥ−Ａシステムを例として用いると、基地局が免許不要周波数域をリリースしたとＵＥが判断した後、ＵＥは待機タイマー（ｗａｉｔ−ｔｉｍｅｒとして記録され得る）を開始して、免許不要周波数域がリリースされているリリース時間を記録する。免許不要周波数域が再取得されたことを示す、基地局により送信されたインジケーションをＵＥが受信する前に、または、基地局が免許不要周波数域を再取得したことをＵＥが検出しない場合、このことは、免許不要周波数域が依然としてリリース時間期間にあることを示す。したがって、本願発明の本実施形態において、基地局が免許不要周波数域を再取得し、ＵＥへインジケーションを送信する前に、または、基地局が免許不要周波数域を再取得したこと（このことは、免許不要周波数域のリリース時間が終わっていないことを示す）をＵＥが検出する前に、待機タイマーの時間が切れていない場合、リリース時間が時間閾値を超えていないとＵＥは判断する。基地局が免許不要周波数域を再取得し、ＵＥへインジケーションを送信する前に、または、基地局が免許不要周波数域を再取得したこと（このことは、免許不要周波数域のリリース時間が終わっていないことを示す）をＵＥが検出する前に、待機タイマーの時間が切れた場合、リリース時間が時間閾値を超えているとＵＥは判断する。この態様において、待機タイマーの時間が切れる時点が時間閾値である。具体的な実装において、待機タイマーは、独立したタイマーであり得、または従来技術における非アクティブ化タイマー（ｓＣｅｌｌＤｅａｃｔｉｖａｔｉｏｎＴｉｍｅｒ）を再利用し得る。免許不要周波数域がリリースされたことを示す基地局のインジケーションをＵＥが受信した後、または、免許不要周波数域がリリースされたことをＵＥ自体が検出した後、ＵＥは非アクティブ化タイマーを開始してもよく、または再び開始してもよく、または非アクティブ化タイマーが既に動作している場合にはＵＥは、非アクティブ化タイマーを維持し続ける。非アクティブ化タイマーの時間が切れる前に、リリース時間が時間閾値を超えていないとＵＥは判断する。非アクティブ化タイマーの時間が切れた後、リリース時間が時間閾値を超えているとＵＥは判断する。
【００７２】
態様２：免許不要周波数域の、基地局により送信された特定のリリース時間をユーザ機器が受信し、受信されたリリース時間を、予め設定された時間閾値と比較して、受信されたリリース時間が予め設定された時間閾値を超えているかを判断する。
【００７３】
具体的な実装において、免許不要周波数域の特定のリリース時間は、他のデバイスが免許不要周波数域を占有している時間（例えば、レーダなどの高い優先度を有するデバイスが免許不要周波数域を占有していると検出したとき、基地局は、レーダが免許不要周波数域を占有している時間をＵＥへ送信する）と、免許不要周波数域がリリースされてから免許不要周波数域が取得されるまでのインターバル期間（例えば、期間情報は定期的なサブフレームパターン（ｓｕｂｆｒａｍｅ  ｐａｔｔｅｒｎ）情報であり得、周波数域がリリースされてから次に周波数域が取得されるまでの時間間隔を表し得、ここで、規則性は定期的であり、期間は、免許不要周波数域を共有しているシステム間の交渉を通じて決定される）と、他のデバイスが免許不要周波数域を使用するために確保されている時間（例えば、確保されている時間は、ネットアロケーションベクトル（ＮＡＶ，Ｎｅｔ  Ａｌｌｏｃａｔｉｏｎ  Ｖｅｃｔｏｒ）の態様でインターシステムデバイスにより送信される送信要求（ＲＴＳ，ｒｅｑｕｅｓｔ  ｔｏ  ｓｅｎｄ）または送信許可（ＣＴＳ，ｃｌｅａｒ  ｔｏ  ｓｅｎｄ）フレームに含められる時間情報であり得る）と、基地局が位置付けられているシステムの、免許不要周波数域における無通話時間（無通話時間とは、ＬＴＥシステムが何ら情報を送信せず、これにより、他のシステムが周波数域を巡って競合する期間を指し、この期間において他のシステムが、その周波数域を占有してもよく、または占有しなくてもよい）とのうち少なくとも１つを含む。もちろん、具体的な実装において、ユーザ機器は、ネットアロケーションベクトル（ＮＡＶ，Ｎｅｔ  Ａｌｌｏｃａｔｉｏｎ  Ｖｅｃｔｏｒ）の態様でインターシステムデバイスにより送信される送信要求（ＲＴＳ，ｒｅｑｕｅｓｔ  ｔｏ  ｓｅｎｄ）または送信許可（ＣＴＳ，ｃｌｅａｒ  ｔｏ  ｓｅｎｄ）フレームに含められる時間情報を直接受信し、その受信された時間情報を、免許不要周波数域のリリース時間として使用してもよい。
【００７４】
態様３：ユーザ機器は、基地局により送信された、免許不要周波数域がリリースされたことを示すインジケーションを受信し、基地局が免許不要周波数域をリリースしている時間を、リリースのインジケーションと予め設定されたルールとに従って計算し、計算で得られたリリース時間を予め設定された時間閾値と比較して、受信されたリリース時間が予め設定された時間閾値を超えているかを判断する（例えば、レーダなどの高い優先度を有するデバイスが免許不要周波数域が占有していると基地局が検出したとき、基地局は、特別なリリースのインジケーションをＵＥへ送信する、またはインターシステムのタイプについての情報をリリースのインジケーションに追加し、ＵＥは、例えば少なくとも２時間の長いリリース時間が必要とされていることを周波数域規制に従って認識する）。
【００７５】
具体的な実装において、本願発明におけるデータ処理プロセスは、ハイブリッド自動再送要求ＨＡＲＱプロセスを含み得る。段階Ｓ１１１において、免許不要周波数域にアタッチされたデータ処理プロセスをユーザ機器により一時停止することは、物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む免許不要周波数域にアタッチされたオペレーションのうち少なくとも１つをユーザ機器により実行することを有する。
【００７６】
具体的な実装において、ダウンリンク受信は限定されないが、ＰＤＣＣＨ、物理ダウンリンク共有チャネル（ＰＤＳＣＨ，ｐｈｙｓｉｃａｌ  ｄｏｗｎｌｉｎｋ  ｓｈａｒｅｄ  ｃｈａｎｎｅｌ）上のダウンリンクトランスポートブロック（ＴＢ，ｔｒａｎｓｐｏｒｔ  ｂｌｏｃｋ）、物理ハイブリッド自動再送要求インジケーションチャネル（ＰＨＩＣＨ，ｐｈｙｓｉｃａｌ  ＨＡＲＱ  ｉｎｄｉｃａｔｉｏｎ  ｃｈａｎｎｅｌ）上のＨＡＲＱフィードバック情報肯定応答情報ＡＣＫまたは否定応答情報ＮＡＣＫ、第１同期信号（ＰＳＳ，ｐｒｉｍａｒｙ  ｓｙｎｃｈｒｏｎｉｚａｔｉｏｎ  ｓｉｇｎａｌ）、第２同期基準信号（ＳＳＳ，ｓｅｃｏｎｄａｒｙ  ｓｙｎｃｈｒｏｎｉｚａｔｉｏｎ）、セル基準信号（ＣＲＳ，ｃｅｌｌ  ｒｅｆｅｒｅｎｃｅ  ｓｉｇｎａｌ）、チャネル状態情報基準信号（ＣＳＩ−ＲＳ，ｃｈａｎｎｅｌ  ｓｔａｔｅ  ｉｎｆｏｒｍａｔｉｏｎ  ｒｅｆｅｒｅｎｃｅ  ｓｉｇｎａｌ）、復調基準信号（ＤＭＲＳ，ｄｅｍｏｄｕｌａｔｉｏｎ  ｒｅｆｅｒｅｎｃｅ  ｓｉｇｎａｌ）、ブロードキャストチャネル（ＢＣＨ，ｂｒｏａｄｃａｓｔ  ｃｈａｎｎｅｌ）上のマスター情報ブロック（ＭＩＢ，ｍａｓｔｅｒ  ｉｎｆｏｒｍａｔｉｏｎ  ｂｌｏｃｋ）、ＰＤＳＣＨ上のシステム情報ブロック（ｓｙｓｔｅｍ  ｉｎｆｏｒｍａｔｉｏｎ  ｂｌｏｃｋ）、マルチメディアブロードキャストマルチキャストシステム（ＭＢＭＳ，ｍｕｌｔｉｍｅｄｉａ  ｂｒｏａｄｃａｓｔ  ｍｕｌｔｉｃａｓｔ  ｓｙｓｔｅｍ）に関連する情報を含む。
【００７７】
具体的な実装において、アップリンク送信は限定されないが、物理アップリンク制御チャネル（ＰＵＣＣＨ，ｐｈｙｓｉｃａｌ  ｕｐｌｉｎｋ  ｃｏｎｔｒｏｌ  ｃｈａｎｎｅｌ）または物理アップリンク共有チャネル（ＰＵＳＣＨ，ｐｈｙｓｉｃａｌ  ｕｐｌｉｎｋ  ｓｈａｒｅｄ  ｃｈａｎｎｅｌ）上でのアップリンク制御情報（ＵＣＩ，ｕｐｌｉｎｋ  ｃｏｎｔｒｏｌ  ｉｎｆｏｒｍａｔｉｏｎ）の送信、ＰＵＳＣＨ上でのトランスポートブロックの送信、アップリンクサウンディング基準信号（ＳＲＳ，ｓｏｕｎｄｉｎｇ  ｒｅｆｅｒｅｎｃｅ  ｓｉｇｎａｌ）の送信、復調基準信号ＤＭＲＳの送信、および、物理ランダムアクセスチャネル（ＰＲＡＣＨ，ｐｈｙｓｉｃａｌ  ｒａｎｄｏｍ  ａｃｃｅｓｓ  ｃｈａｎｎｅｌ）上でのプリアンブル（ｐｒｅａｍｂｌｅ）の送信を含む。ここで、ＵＣＩ情報は限定されないが、ＨＡＲＱフィードバック情報肯定応答情報ＡＣＫまたは否定応答情報ＮＡＣＫ、チャネル品質インジケーション（ＣＱＩ，ｃｈａｎｎｅｌ  ｑｕａｌｉｔｙ  ｉｎｄｉｃａｔｉｏｎ）、プリコーディングマトリックスインジケーション（ＰＭＩ，Ｐｒｅ−ｃｏｄｉｎｇ  ｍａｔｒｉｘ  Ｉｎｄｉｃａｔｉｏｎ）、ランクインジケーション（ＲＩ，ｒａｎｋｉｎｇ  ｉｎｄｉｃａｔｉｏｎ）、および、プリコーディングタイプインジケータ（ＰＴＩ，ｐｒｅｃｏｄｉｎｇ  ｔｙｐｅ  ｉｎｄｉｃａｔｉｏｎ）を含む。
【００７８】
具体的な実装において、ＬＴＥが免許不要周波数域をリリースする前に、ＵＥがダウンリンクトランスポートブロックＴＢの受信に失敗し、ＵＥが物理アップリンク制御チャネルＰＵＣＣＨまたは物理アップリンク共有チャネルＰＵＳＣＨ上でＨＡＲＱフィードバック情報ＡＣＫまたはＮＡＣＫを送信出来なかった場合、ＬＴＥが免許不要周波数域をリリースしたとき、ＵＥは物理ダウンリンク制御チャネルＰＤＣＣＨ上で、ＨＡＲＱフィードバック情報を送信しなくてもよく、またはリッスンしなくてもよく、これにより、ダウンリンクＨＡＲＱ再送を受信し得る。加えて、ＵＥは、受信されたダウンリンクトランスポートブロックの冗長バージョン（ＲＶ，ｒｅｄｕｎｄａｎｃｙ  ｖｅｒｓｉｏｎ）をダウンリンクＨＡＲＱソフトバッファ（ｓｏｆｔ  ｂｕｆｆｅｒ）において確保して、ＬＴＥが免許不要周波数域を再取得した後にＨＡＲＱ再送により基地局により送信されたダウンリンクトランスポートブロックの冗長バージョンを組み合わせ得る。
【００７９】
具体的な実装において、ＬＴＥが免許不要周波数域をリリースする前にＵＥがアップリンクトランスポートブロックＴＢを送信したが、物理ハイブリッド自動再送要求インジケーションチャネルＰＨＩＣＨ上で基地局により送信されたＨＡＲＱフィードバック情報ＡＣＫまたはＮＡＣＫをＵＥが受信出来ない場合、ＵＥは、ＬＴＥが免許不要周波数域をリリースし、ＰＨＩＣＨ上の情報がＡＣＫであると見なすときに、ＰＨＩＣＨが受信される必要があるサブフレーム（ｓｕｂｆｒａｍｅ）でＰＨＩＣＨを受信しないかもしれない。ＵＥは、アップリンクＨＡＲＱバッファ内のデータを確保して、ＬＴＥが免許不要周波数域を再取得した後に基地局のアップリンクグラント（ＵＬ  ｇｒａｎｔ）に従ってアップリンクＨＡＲＱ再送を実施する、または、基地局のアップリンクグラントに従って新たなアップリンクトランスポートブロックを生成して、アップリンクトランスポートブロックを送信する。
【００８０】
具体的な実装において、ＬＴＥが免許不要周波数域をリリースする前に、ＵＥがアップリンクトランスポートブロックを送信し、物理ハイブリッド自動再送要求インジケーションチャネルＰＨＩＣＨ上で基地局により送信されたＨＡＲＱフィードバック情報ＮＡＣＫを受信した場合、ＵＥは、ＬＴＥが免許不要周波数域をリリースしたときに、ＰＵＳＣＨ上で、ＨＡＲＱ再送が実施される必要があるサブフレーム内でアップリンクＨＡＲＱ再送を実施しないかもしれない。ＵＥは、アップリンクＨＡＲＱバッファ内のデータを確保して、ＬＴＥが免許不要周波数域を再取得した後に基地局のアップリンクグラント（ＵＬ  ｇｒａｎｔ）に従って適合アップリンクＨＡＲＱ再送を実施する、または非適合（ｎｏｎ  ａｄａｐｔｉｖｅ）ＨＡＲＱ再送を実施する。
【００８１】
本願発明におけるデータ処理プロセスは、ハイブリッド自動再送要求ＨＡＲＱプロセスを含み得る。段階Ｓ１１１において、基地局が免許不要周波数域を再取得した後にデータ処理プロセスをユーザ機器により再開する段階は、基地局が免許不要周波数域を再取得した後、物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む免許不要周波数域にアタッチされたオペレーションのうち少なくとも１つをユーザ機器により実行する段階を有する。例えば、免許不要周波数域がリリースされている持続時間が待機タイマーを用いてモニタリングされているとき、待機タイマーの時間が切れる前に、ＵＥが、基地局により送信された、免許不要周波数域を取得したことのインジケーションを受信した、若しくは基地局により送信された同期インジケーション情報を受信した、または、ＬＴＥが免許不要周波数域を再取得したことをＵＥ自体が検出した場合、ＵＥは待機タイマーを停止し、ＵＥは、ＰＤＣＣＨ上でリッスンし、ダウンリンク受信およびアップリンク送信を実施し、免許不要周波数域がリリースされる前に実施されていたＨＡＲＱオペレーションを継続してもよい。例えば、ＵＥは、基地局により送信されたダウンリンクＨＡＲＱ再送または新たなＴＢブロックを受信し、基地局により送信されたアップリンクグラントを受信して、アップリンクＨＡＲＱ再送を実施する、または新たなＴＢブロックを生成してアップリンク送信を実施する、またはアップリンク非適合ＨＡＲＱ再送を実施する。
【００８２】
本願発明の本実施形態における「一時停止」は、「中断」、「一時的にキャンセル」、「一時的に実施しない」、または同様のものと置き換えられ得、このことは、免許不要周波数域にアタッチされたデータ処理プロセスを一時的に停止するが、既に実施されているデータ処理プロセスを維持して、続いて、実施済みのプロセスに基づいてデータ処理プロセスを継続することを意味することに留意されるべきである。本願発明の本実施形態における「再開」は、「継続」、「続行」、または同様のものと置き換えられ得る。このことは、一時停止の間、完了していないデータ処理プロセスを継続することを意味する。
【００８３】
具体的な実装において、本願発明におけるデータ処理プロセスはハイブリッド自動再送要求ＨＡＲＱプロセスを含み得る。段階Ｓ１１２において、免許不要周波数域にアタッチされたデータ処理プロセスをユーザ機器により終了することは、ＨＡＲＱエンティティリセットオペレーションをユーザ機器により実行する、または、免許不要周波数域を使用するセルに関して非アクティブ化オペレーションを実行することを含む。
【００８４】
例としてＬＴＥ−Ａを用いると、ＳＣｅｌｌ上のＨＡＲＱエンティティリセットオペレーションは限定されないが、以下の内容を含む。
全てのダウンリンクＨＡＲＱプロセスのソフトバッファをクリアすること。
ダウンリンクＨＡＲＱプロセス毎に、ＨＡＲＱプロセス上で第１トランスポートブロックとして次に受信されたトランスポートブロックを用い、そのトランスポートブロックを送信すること。
アップリンク時間アラインメントタイマー（ｔｉｍｅＡｌｉｇｎｍｅｎｔＴｉｍｅｒ）の時間が切れたと見なし、アップリンクＨＡＲＱバッファをクリアし、無線リソース制御層（ＲＲＣ，ｒａｄｉｏ  ｒｅｓｏｕｒｃｅ  ｃｏｎｔｒｏｌ）に、免許不要周波数域のＳＣｅｌｌ上のＳＲＳリソースをリリースするよう命令すること。
全てのアップリンクＨＡＲＱプロセスの新たなデータインジケータ（ＮＤＩ，ｎｅｗ  ｄａｔａ  ｉｎｄｉｃａｔｏｒ）をゼロに設定すること。
ランダムアクセス手順メッセージ３（ｍｓｇ３）を送信するのに用いられたバッファをクリアすること。
全ての動作中のタイマーを停止すること。
ＳＣｅｌｌ上で行われている全てのランダムアクセス手順（ｒａｎｄｏｍ  ａｃｃｅｓｓ  ｐｒｏｃｅｄｕｒｅ）を停止すること。
ＳＣｅｌｌ上のランダムアクセス手順に関連する専用のランダムアクセスプリアンブルをリリースまたは破棄すること。
ＳＣｅｌｌ非アクティブ化に関連するオペレーションは、
ＳＣｅｌｌ上でのＳＲＳの送信をスキップすることと、
ＳＣｅｌｌのためのＣＱＩ、ＰＭＩ、ＲＩ、またはＰＴＩの送信をスキップすることと、
ＳＣｅｌｌのアップリンク共有チャネル（ｕｐｌｉｎｋ  ｓｈａｒｅｄ  ｃｈａｎｎｅｌ）上での情報の送信をスキップすることと、
ＳＣｅｌｌ上のＰＤＣＣＨ上でのリッスンをスキップすることと、
ＳＣｅｌｌのためのＰＤＣＣＨ上でのリッスンをスキップすることと、
ＳＣｅｌｌ上で行われているランダムアクセス手順がある場合、そのランダムアクセス手順を破棄することと
を含む。
【００８５】
具体的な実装において、本願発明におけるデータ処理プロセスはハイブリッド自動再送要求ＨＡＲＱ要求を含み得る。段階Ｓ１１２において、ユーザ機器は、ＨＡＲＱエンティティリセットオペレーションを実行し、または、免許不要周波数域を使用するセルに関して非アクティブ化オペレーションを実行し、
新たなデータ処理プロセスを開始する免許周波数域を選択する、または、基地局が免許不要周波数域を再取得した後に新たなデータ処理プロセスを開始する段階は、
新たなＨＡＲＱ処理プロセスを開始する免許周波数域をユーザ機器により選択する、または、基地局が免許不要周波数域を再取得した後に新たなＨＡＲＱ処理プロセスを開始する段階を有する。例えば、例としてＬＴＥ−Ａを用いると、ＵＥは、ＬＴＥが免許不要周波数域をリリースする前に送信が成功していなかったＭＡＣ  ＣＥを送信する、免許周波数域のＰＣｅｌｌまたはＳＣｅｌｌを選択し得る。ここで、ＭＡＣ  ＣＥは限定されないが、バッファステータス報告（ＢＳＲ，ｂｕｆｆｅｒ  ｓｔａｔｕｓ  ｒｅｐｏｒｔ）またはパワーヘッドルーム報告（ＰＨＲ，ｐｏｗｅｒ  ｈｅａｄｒｏｏｍ  ｒｅｐｏｒｔ）などのアップリンクＭＡＣ  ＣＥを含む。アップリンクＭＡＣ  ＣＥを送信するのに、免許周波数域のＰＣｅｌｌまたはＳＣｅｌｌが選択されたとき、ＵＥはＭＡＣ  ＣＥを再生成し、新たなＨＡＲＱに従って送信を実施する。ＬＴＥが免許不要周波数域をリリースする前に送信が成功していなかった他のトランスポートブロックＴＢは、高位レイヤー無線リンク制御（ＲＬＣ，ｒａｄｉｏ  ｌｉｎｋ  ｃｏｎｔｒｏｌ）層を使用して再送され、または新たなトランスポートブロックが直接生成されて、免許周波数域のＰＣｅｌｌまたはＳＣｅｌｌ上でＨＡＲＱ送信を実施し得る。
【００８６】
具体的な実装において、本願発明におけるデータ処理プロセスは間欠受信ＤＲＸプロセスを含み得る。段階Ｓ１１１において、免許不要周波数域にアタッチされたデータ処理プロセスをユーザ機器により一時停止することは、各ＤＲＸタイマーの通常動作を維持する（タイマーの動作を継続し、タイマーの時間が切れたときにタイマーを停止する）オペレーションと、各ＤＲＸタイマーの通常動作を維持するがユーザ機器は時間計測をしない、またはカウントをしない（ＤＲＸタイマーの動作を継続するが、ＤＲＸタイマーの時間が、これに対応して、免許不要周波数域がリリースされている持続時間を長引かせる）オペレーションと、物理ダウンリンク制御チャネル上でのリッスンを一時停止するオペレーションと、ダウンリンク受信を一時停止するオペレーションと、アップリンク送信を一時停止するオペレーションとを含む免許不要周波数域にアタッチされたオペレーションのうち少なくとも１つをユーザ機器により実行することを含む。
【００８７】
具体的な実装において、本願発明の本実施形態におけるＤＲＸタイマーは、オンデュレーションタイマー（ｏｎＤｕｒａｔｉｏｎＴｉｍｅｒ）、間欠受信インアクティビティタイマー（ｄｒｘ−ＩｎａｃｔｉｖｉｔｙＴｉｍｅｒ）、間欠受信再送タイマー（ｄｒｘ−ＲｅｔｒａｎｓｍｉｓｓｉｏｎＴｉｍｅｒ）、ハイブリッド自動再送要求ラウンドトリップタイマー（ＨＡＲＱ  ＲＴＴ  Ｔｉｍｅｒ）、間欠受信ショートサイクルタイマー（ｄｒｘＳｈｏｒｔＣｙｃｌｅＴｉｍｅｒ）、または同様のものを含み得る。
【００８８】
具体的な実装において、本実施形態において、物理ダウンリンク制御チャネル上でのリッスンを一時停止する、ダウンリンク受信を一時停止する、およびアップリンク送信を一時停止するなどの処理の態様に関しては、ＨＡＲＱの関連する処理の態様を参照されたく、詳細は、本明細書おいて改めて説明されない。
【００８９】
具体的な実装において、本願発明におけるデータ処理プロセスは間欠受信ＤＲＸプロセスを含み得る。段階Ｓ１１１において、基地局が免許不要周波数域を再取得した後にデータ処理プロセスをユーザ機器により再開する段階は、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションとを含む免許不要周波数域にアタッチされたオペレーションのうち少なくとも１つをユーザ機器により実行する段階を含む。
【００９０】
具体的な実装において、本実施形態において、物理ダウンリンク制御チャネル上でのリッスンを再開する、ダウンリンク受信を再開する、およびアップリンク送信を再開するなどの処理の態様に関しては、ＨＡＲＱの関連する処理の態様を参照されたく、詳細は、本明細書おいて改めて説明されない。
【００９１】
本願発明の本実施形態における「一時停止」は、「中断」、「一時的にキャンセル」、「一時的に実施しない」、または同様のものと置き換えられ得、このことは、免許不要周波数域にアタッチされたデータ処理プロセスを一時的に停止するが、既に実施されているデータ処理プロセスを維持して、続いて、実施済みのプロセスに基づいてデータ処理プロセスを継続することを意味することに留意されるべきである。本願発明の本実施形態における「再開」は、「継続」、「続行」、または同様のものと置き換えられ得る。このことは、一時停止の間、完了していないデータ処理プロセスを継続することを意味する。
【００９２】
具体的な実装において、本願発明におけるデータ処理プロセスは間欠受信ＤＲＸプロセスを含み得る。段階Ｓ１１２において、免許不要周波数域にアタッチされたデータ処理プロセスをユーザ機器により終了することは、ＨＡＲＱエンティティリセットオペレーションを実行するオペレーションと、免許不要周波数域を使用するセルに関して非アクティブ化オペレーションを実行するオペレーションと、各ＤＲＸタイマーを停止するオペレーションとを含む免許不要周波数域にアタッチされたオペレーションのうち少なくとも１つをユーザ機器により実行することを含む。
【００９３】
ＨＡＲＱエンティティリセットオペレーションを実行する、および免許不要周波数域を使用するセルに関して非アクティブ化オペレーションを実行するなどの処理の態様に関しては、ＨＡＲＱの関連する処理の態様を参照されたく、詳細は、本明細書おいて改めて説明されない。
【００９４】
免許不要周波数域のセルと免許周波数域のセルとが同じＤＲＸパラメータ構成およびＤＲＸオペレーションを使用するときに、免許不要周波数域にアタッチされたデータ処理プロセスを終了するとき、ユーザ機器は各ＤＲＸタイマーを停止しない、または、
免許不要周波数域のセルと免許周波数域のセルとが異なるＤＲＸパラメータ構成を実行するときに、免許不要周波数域にアタッチされたデータ処理プロセスを終了するとき、ユーザ機器は各ＤＲＸタイマーを停止する。
【００９５】
例えば、例としてＬＴＥ−Ａを用いると、免許不要周波数域のＳＣｅｌｌが、免許周波数域のＰＣｅｌｌおよびＳＣｅｌｌとは独立したＤＲＸオペレーションを実行する、つまり、ＳＣｅｌｌ上のＤＲＸパラメータ構成と、ＳＣｅｌｌ上のＵＥのアクティブ時間とが、免許周波数域のキャリアのＤＲＸパラメータ構成とアクティブ時間とは独立しているとき、本願発明の本実施形態における段階Ｓ１１２において、各ＤＲＸタイマーは停止されない。免許不要周波数域のＳＣｅｌｌと、免許周波数域のＰＣｅｌｌおよびＳＣｅｌｌとが共通のＤＲＸオペレーション（ｃｏｍｍｏｎ  ＤＲＸ）を実行するとき（従来技術においては、共通のＤＲＸオペレーションとは、ＰＣｅｌｌ上のＤＲＸパラメータ構成が各ＳＣｅｌｌ上のＤＲＸパラメータ構成として再利用されることを指す）、ＵＥは、ＳＣｅｌｌ上とＰＣｅｌｌ上とで同じアクティブ時間規則性を有し、つまり、アクティブ化された状態の複数のＳＣｅｌｌと複数のＰＣｅｌｌとは、アクティブ時間（ａｃｔｉｖｅ  ｔｉｍｅ）または非アクティブ時間（ｉｎａｃｔｉｖｅ  ｔｉｍｅ）のいずれかである。この場合、段階Ｓ１１２において、ＵＥは、免許不要周波数域のＳＣｅｌｌに関して非アクティブ化オペレーションを実行し、または、ＨＡＲＱリセットオペレーションを実行するが、各ＤＲＸタイマーを停止しない。なぜなら、免許周波数域のＰＣｅｌｌおよび他のＳＣｅｌｌ上のＤＲＸオペレーションの通常動作も、タイマーの動作状況に依存する必要があるからである。
【００９６】
本実施形態において提供されるＤＲＸ処理方法において、ＵＥは、免許不要周波数域がリリースされている持続時間に従って対応する処理を実施し得、例えば、ＤＲＸタイマーを処理し、ＰＤＣＣＨ上でリッスンし得、これにより、ＤＲＸオペレーションは、免許不要周波数域のリリースの間、およびＬＴＥが免許不要周波数域を再取得した後、実施され得、またはその継続が成功し得、それにより、ＵＥが免許不要周波数域で作動するときのより良好な電力節約効果が達成される。
【００９７】
具体的な実装において、本願発明の本実施形態におけるデータ処理プロセスは自動再送要求ＡＲＱプロセスを含み、
段階Ｓ１１１において、免許不要周波数域にアタッチされたデータ処理プロセスをユーザ機器により一時停止することは、
無線リンク制御層ＲＬＣのリオーダリングタイマーを中断するオペレーションと、ポール再送タイマーを中断するオペレーションとを含む免許不要周波数域にアタッチされたオペレーションのうち少なくとも１つをユーザ機器により実行することを含む。
【００９８】
例としてＬＴＥ−Ａを用いると、ＣＡにおいて集約されたセルが、同じＬＴＥ基地局により提供されるケースにおいて、ＲＬＣステータス報告（ＲＬＣ  ｓｔａｔｕｓ  ｒｅｐｏｒｔ）、ポールビット（ｐｏｌｌ）が与えられたＲＬＣプロトコルデータユニット（ＰＤＵ）、再送される必要があるＲＬＣ  ＰＤＵなどの情報が全て、免許周波数域のＰＣｅｌｌ若しくはＳＣｅｌｌ、または、免許不要周波数域のＳＣｅｌｌ上で送信され得、したがって、ＬＴＥが一時的に免許不要周波数域をリリースした後、ＵＥおよび基地局は、先述の情報を、免許周波数域のＰＣｅｌｌまたはＳＣｅｌｌ上で送信し得る。しかし、ＣＡにおいて集約されたセルが異なる複数のＬＴＥ基地局により提供されるケースにおいて、免許不要周波数域を提供するセルが位置付けられている基地局のために他の免許周波数域が何ら構成されていない場合、免許不要周波数域のリリース時間が閾値より大きいとき、ＵＥおよび基地局は、他の基地局により提供されるセルを用いて送信を実施し得る。
【００９９】
３ＧＰＰスモールセル拡張（ＳＣＥ，ｓｍａｌｌ  ｃｅｌｌ  ｅｎｈａｎｃｅｍｅｎｔ）プロジェクトにおいて、ＣＡが、複数の基地局間で実施され得る。マスター基地局（ＭｅＮＢ，ｍａｓｔｅｒ  ｅＮＢ）がＰＣｅｌｌ、およびゼロから複数のＳＣｅｌｌを提供し、二次基地局（ＳｅＮＢ，ｓｅｃｏｎｄａｒｙ  ｅＮＢ）が、１から複数のＳＣｅｌｌを提供する。ＳｅＮＢがアップリンクをサポートする場合、ＰＵＣＣＨが、ＳｅＮＢ内の少なくとも１つのＳＣｅｌｌのために構成される必要があり、そのＳＣｅｌｌは、ＳｅＮＢ内のマスターセルである。ユーザプレーンデータ無線ベアラー（ｄａｔａ  ｒａｄｉｏ  ｂｅａｒｅｒ）が、ＳｅＮＢ上のみに位置付けられ得、ＳｅＮＢとサービングゲートウェイ（ＳＧＷ，ｓｅｒｖｉｎｇ  ｇａｔｅｗａｙ）との間のＳ１−Ｕインタフェースにより通信が実施される。データ無線ベアラーは２つの論理チャネル（ｌｏｇｉｃａｌ  ｃｈａｎｎｅｌ）に分割（ｓｐｌｉｔ）されて、ＭｅＮＢとＵＥとの間の無線インタフェースと、ＳｅＮＢとＵＥとの間の無線インタフェースとによりＵＥとのデータ送信を別々に実施し、ＭｅＮＢとＳＧＷとの間のＳ１−Ｕインタフェースによりネットワークと通信し得る。ＳｅＮＢが１つのマスターセルのみを提供し、マスターセルが免許不要周波数域内にある場合、ＬＴＥは、免許不要周波数域をリリースした後、ＡＲＱプロセスに対して対応する処理を実施する必要がある。例えば、ＬＴＥが免許不要周波数域をリリースする前に、ＵＥは、ＳｅＮＢから１または複数のダウンリンクＲＬＣプロトコルデータユニット（ＰＤＵ，ｐａｃｋｅｔ  ｄａｔａ  ｕｎｉｔ）を受信するが、基地局へＲＬＣステータス報告（ＲＬＣ  ｓｔａｔｕｓ  ｒｅｐｏｒｔ）を送信してＲＬＣ  ＰＤＵの受信状況をフィードバックすることが出来ない。ここで、ＲＬＣステータス報告は、ＲＬＣ  ＰＤＵの受信が成功したことを示すＡＣＫ情報、および／またはＲＬＣ  ＰＤＵの受信が失敗したことを示すＮＡＣＫ情報を含む。および／または、ＵＥは、１または複数のＲＬＣ  ＰＤＵをＳｅＮＢへ送信するが、ＳｅＮＢにより送信されたＲＬＣステータス報告を受信しない、または、ＵＥは、ＳｅＮＢにより送信されたＲＬＣステータス報告を受信したが、ＲＬＣ  ＰＤＵ再送を実施することが出来ない。これら全てのケースが、免許不要周波数域がリリースされた後のＡＲＱ処理問題を伴う。
【０１００】
具体的に、段階Ｓ１１１において、ＲＬＣ受信エンティティに関し、ＵＥはＲＬＣ層のリオーダリングタイマー（ｒｅｏｒｄｅｒｉｎｇ  ｔｉｍｅｒ）を中断（ｓｕｓｐｅｎｄ）し（具体的な実装において、本明細書における中断とは、動作を一時停止することであり得、または、タイマーの動作を継続するが、タイマーが時間を計測しないことであり得る）、ＲＬＣ送信エンティティに関し、ＵＥが既に、ポールビットが与えられたＲＬＣ  ＰＤＵをＳｅＮＢへ送信しており、ポール再送タイマー（ｐｏｌｌ  ｒｅｔｒａｎｓｍｉｔ  Ｔｉｍｅｒ）を開始している場合、ＵＥは、ポール再送タイマーを中断する。これに対応して、基地局は、ＵＥに対応する方法に従って関連するタイマーを処理する。
【０１０１】
具体的な実装において、本願発明の本実施形態において、データ処理プロセスは自動再送要求ＡＲＱプロセスを含み、
段階Ｓ１１１において、基地局が免許不要周波数域を再取得した後にデータ処理プロセスをユーザ機器により再開する段階は、
基地局が免許不要周波数域を再取得した後に、無線リンク制御層のリオーダリングタイマーを再開し、リオーダリングタイマーの時間が切れた後にＲＬＣステータス報告をトリガするオペレーションと、ポール再送タイマーを再開し、ポール再送タイマーの時間が切れた後に、ポールビットが与えられたＲＬＣデータユニットの再送をトリガする、または、新たなＲＬＣデータユニットを送信するオペレーションとを含む免許不要周波数域にアタッチされたオペレーションのうち少なくとも１つをユーザ機器により実行する段階を含む。
【０１０２】
本願発明の本実施形態における「再開」とは、「継続」、「続行」、または同様のものと置き換えられ得、このことは、一時停止の間に完了していないデータ処理プロセスを継続すること、例えば、タイマーを動作させ続けること、または中断の時点からタイマーの動作を継続することを意味することに留意されるべきである。
【０１０３】
具体的な実装において、本願発明の本実施形態におけるデータ処理プロセスは自動再送要求ＡＲＱプロセスを含み、
段階Ｓ１１２において、免許不要周波数域にアタッチされたデータ処理プロセスをユーザ機器により終了することは、
リオーダリングタイマーを停止するオペレーションと、ポール再送タイマーを停止するオペレーションとを含む免許不要周波数域にアタッチされたオペレーションのうち少なくとも１つをユーザ機器により実行することを含む。
【０１０４】
具体的な実装において、本願発明の本実施形態におけるデータ処理プロセスは自動再送要求ＡＲＱプロセスを含み、
段階Ｓ１１２において、新たなデータ処理プロセスを開始する免許周波数域を選択する、または、基地局が免許不要周波数域を再取得した後に新たなデータ処理プロセスを開始する段階は、
新たなＡＲＱ処理プロセスを開始する免許周波数域をユーザ機器により選択し、または、基地局が免許不要周波数域を再取得した後に新たなＡＲＱ処理プロセスを開始する段階を含む。例えば、例としてＬＴＥ−Ａを用いると、ＵＥは、ＭｅＮＢにより提供される、ＡＲＱに関連する情報を送信および／または受信する、免許周波数域のＰＣｅｌｌまたはＳＣｅｌｌを選択し得る。
【０１０５】
本実施形態における、免許不要周波数域がリリースされた後のＡＲＱ方法において、免許不要周波数域がリリースされたとき、ＲＬＣ層上のＡＲＱプロセスが通常通り行われ得、それにより、ＡＲＱ再送の比較的長い遅延により引き起こされるＴＣＰ再送が回避され得、周波数域リソースを節約し得、システムスループットが向上し得る。
【０１０６】
具体的な実装において、本願発明の本実施形態におけるデータ処理プロセスはランダムアクセス手順を含み、
段階Ｓ１１１において、免許不要周波数域にアタッチされたデータ処理プロセスをユーザ機器により一時停止することは、
ランダムアクセス応答ウィンドウを中断する（つまり、ランダムアクセス応答（ＲＡＲ，ｒａｎｄｏｍ  ａｃｃｅｓｓ  ｒｅｓｐｏｎｓｅ）ウィンドウのサブフレームのカウントを一時停止する）オペレーションと、競合解消タイマーを中断する（つまり、競合解消タイマーの動作を一時停止する）オペレーションとを含む免許不要周波数域にアタッチされたオペレーションのうち少なくとも１つをユーザ機器により実行することを含む。
【０１０７】
具体的に、ＵＥがランダムアクセス応答（ＲＡＲ，ｒａｎｄｏｍ  ａｃｃｅｓｓ  ｒｅｓｐｏｎｓｅ）を待機しているとき、ＵＥは、ＲＡＲウィンドウ（ｗｉｎｄｏｗ）を中断（ｓｕｓｐｅｎｄ）し、つまり、ＲＡＲウィンドウのサブフレームのカウントを一時停止し、ＵＥが競合解消（ＣＲ，ｃｏｎｔｅｎｔｉｏｎ  ｒｅｓｏｌｕｔｉｏｎ）メッセージ、つまり、ランダムアクセス手順メッセージ４（ｍｓｇ４）を待機しており、競合解消タイマー（ｃｏｎｔｅｎｔｉｏｎ  ｒｅｓｏｌｕｔｉｏｎ  ｔｉｍｅｒ）を開始した場合、ＵＥは一時的に、競合解消タイマーを中断し、つまり、タイマーの動作を一時停止する。
【０１０８】
具体的な実装において、本願発明の本実施形態におけるデータ処理プロセスはランダムアクセス手順を含み、
段階Ｓ１１１において、基地局が免許不要周波数域を再取得した後にデータ処理プロセスをユーザ機器により再開する段階は、
基地局が免許不要周波数域を再取得した後に、ランダムアクセス応答ウィンドウを再開する（つまり、一時停止の時点からカウントを継続する）オペレーションと、競合解消タイマーの動作を再開する（つまり、一時停止の時点からカウントを継続する）オペレーションとを含む免許不要周波数域にアタッチされたオペレーションのうち少なくとも１つをユーザ機器により実行する段階を含む。
【０１０９】
具体的な実装において、本願発明の本実施形態におけるデータ処理プロセスはランダムアクセス手順を含み、
段階Ｓ１１２において、免許不要周波数域にアタッチされたデータ処理プロセスをユーザ機器により終了することは、
ランダムアクセス応答ウィンドウを停止し、ランダムアクセス応答メッセージの待機を停止するオペレーションと、競合解消タイマーを停止し、競合解消メッセージの待機を停止するオペレーションとを含む免許不要周波数域にアタッチされたオペレーションのうち少なくとも１つをユーザ機器により実行することを含む。
【０１１０】
具体的な実装において、本願発明の本実施形態におけるデータ処理プロセスはランダムアクセス手順を含み、
段階Ｓ１１２において、新たなデータ処理プロセスを開始する免許周波数域をユーザ機器により選択する、または、基地局が免許不要周波数域を再取得した後に新たなデータ処理プロセスを開始する段階は、
新たなランダムアクセス手順を開始する免許周波数域をユーザ機器により選択し、または、基地局が免許不要周波数域を再取得した後に新たなランダムアクセス手順を開始する段階を含む。例えば、ＵＥは、ＬＴＥが免許不要周波数域を再取得した後に新たなランダムアクセス手順をトリガし得、基地局は、従来技術を用いて、ＰＤＣＣＨにより、またはＵＥのＭＡＣ層によりトリガを実施し得る。
【０１１１】
加えて、具体的な実装において、以下のケースも存在し得る。基地局またはＵＥが既にランダムアクセス手順をトリガしており、例えば、ＵＥが既にランダムアクセスプリアンブルを送信している場合、ＬＴＥは免許不要周波数域をリリースせず、ランダムアクセス手順が完了するまでランダムアクセス手順の実施し続ける。代替的に、競合なしの（ｃｏｎｔｅｎｔｉｏｎ  ｆｒｅｅ）ランダムアクセス手順のみに関して、ＵＥは、ＲＡＲウィンドウが終わりランダムアクセス手順が完了する、または失敗するまで待機し続け、それから、ＬＴＥは免許不要周波数域をリリースする。代替的に、このランダムアクセスの試みが失敗した後にＬＴＥが免許不要周波数域をリリースした場合、ＵＥは、ＬＴＥが免許不要周波数域リソースを再取得した後にランダムアクセス手順をトリガする。本方法において、ランダムアクセス手順の優先度が免許不要周波数域をリリースする優先度より高いものと見なされている。
【０１１２】
具体的な実装において、本願発明の本実施形態におけるデータ処理プロセスは、無線リソース管理（ＲＲＭ，ｒａｄｉｏ  ｒｅｓｏｕｒｃｅ  ｍａｎａｇｅｍｅｎｔ）測定（ｍｅａｓｕｒｅｍｅｎｔ）プロセスを含み、
段階Ｓ１１１において、免許不要周波数域にアタッチされたデータ処理プロセスをユーザ機器により一時停止することは、
ＲＲＭ測定プロセスをユーザ機器により一時停止することを含む。具体的な実装において、ＲＲＭ測定は、ＣＲＳ若しくはＣＳＩ−ＲＳに基づき、またはＤＭＲＳに基づき、基準信号受信電力（ＲＳＲＰ，ｒｅｆｅｒｅｎｃｅ  ｓｉｇｎａｌ  ｒｅｃｅｉｖｅｄ  ｐｏｗｅｒ）および／または基準信号受信品質ＲＳＲＱ（ｒｅｆｅｒｅｎｃｅ  ｓｉｇｎａｌ  ｒｅｃｅｉｖｅｄ  ｑｕａｌｉｔｙ）を測定することである。基地局はＵＥのために、ＲＲＭ測定が免許不要周波数域のＳＣｅｌｌに関して実施されるよう構成し、
段階Ｓ１１１において、基地局が免許不要周波数域を再取得した後にデータ処理プロセスをユーザ機器により再開する段階は、
ＲＲＭ測定プロセスをユーザ機器により再開する段階を含む。
【０１１３】
段階Ｓ１１２において、免許不要周波数域にアタッチされたデータ処理プロセスをユーザ機器により終了することは、
ＲＲＭ測定パラメータをユーザ機器によりリリースすることを含み、
新たなデータ処理プロセスを開始する免許周波数域をユーザ機器により選択する、または、基地局が免許不要周波数域を再取得した後に新たなデータ処理プロセスを開始する段階は、
新たなＲＲＭ測定プロセスを開始する免許周波数域をユーザ機器により選択し、または、基地局が免許不要周波数域を再取得した後に新たなＲＲＭプロセスを開始する段階を含む。
【０１１４】
具体的な実装において、本願発明の本実施形態におけるデータ処理プロセスは、チャネル状態情報（ＣＳＩ，ｃｈａｎｎｅｌ  ｓｔａｔｅ  ｉｎｆｏｒｍａｔｉｏｎ）測定（ｍｅａｓｕｒｅｍｅｎｔ）プロセスを含み、
段階Ｓ１１１において、免許不要周波数域にアタッチされたデータ処理プロセスをユーザ機器により一時停止することは、免許不要周波数域にアタッチされたデータ処理プロセスをユーザ機器により一時停止することを含み、
ＣＳＩ測定プロセスをユーザ機器により一時停止することを含み、
段階Ｓ１１１において、基地局が免許不要周波数域を再取得した後にデータ処理プロセスをユーザ機器により再開する段階は、
ＣＳＩ測定プロセスをユーザ機器により再開する段階を含む。
【０１１５】
段階Ｓ１１２において、免許不要周波数域にアタッチされたデータ処理プロセスをユーザ機器により終了することは、
ＣＳＩ測定パラメータをユーザ機器によりリリースすることを含み、
新たなデータ処理プロセスを開始する免許周波数域をユーザ機器により選択する、または、基地局が免許不要周波数域を再取得した後に新たなデータ処理プロセスを開始する段階は、
新たなＣＳＩ測定プロセスを開始する免許周波数域をユーザ機器により選択し、または、基地局が免許不要周波数域を再取得した後に新たなＣＳＩプロセスを開始する段階を含む。
【０１１６】
具体的な実装において、本願発明の本実施形態におけるＣＳＩ測定は、ＣＲＳ若しくはＣＳＩ−ＲＳに基づく、またはＤＭＲＳに基づくチャネル状態測定であり、ＣＱＩ、ＰＭＩ、ＲＩ、ＰＴＩ、または同様のものを含む。基地局はＵＥのために、ＣＳＩ測定が免許不要周波数域のＳＣｅｌｌに関して実施されるよう構成する。
【０１１７】
もちろん、具体的な実装において、本願発明の本実施形態において、基地局が免許不要周波数域をリリースしたと判断した後、ＵＥは常に、免許不要周波数域にアタッチされたデータ処理プロセスの一時停止、および基地局が免許不要周波数域を再取得した後にデータ処理プロセスの再開を実行し、または、ＵＥは常に、免許不要周波数域にアタッチされたデータ処理プロセスのユーザ機器による終了、および新たなデータ処理プロセスを開始する免許周波数域の選択、または、基地局が免許不要周波数域を再取得した後に新たなデータ処理プロセスの開始を実行する。ＵＥは、免許不要周波数域がリリースされている持続時間に従って、異なる処理解決法を用いない。
【０１１８】
上記から分かるように、本願発明のいくつかの実施形態において、基地局が免許不要周波数域をリリースしたとユーザ機器が判断したとき、ユーザ機器は、基地局が免許不要周波数域をリリースしてから基地局が免許不要周波数域を再取得するまでの時間間隔を示す、免許不要周波数域がリリースされるリリース時間をモニタリングし、リリース時間が時間閾値を超えていないとき、ユーザ機器は、免許不要周波数域にアタッチされたデータ処理プロセスを一時停止し、基地局が免許不要周波数域を再取得した後にデータ処理プロセスを再開し、それにより、免許不要周波数域が再取得された後の通信プロセスの通常の再開を確実にし、リリース時間が時間閾値を超えているとき、ユーザ機器は、免許不要周波数域にアタッチされたデータ処理プロセスを終了し、新たなデータ処理プロセスを開始する免許周波数域を選択し、または、基地局が免許不要周波数域を再取得した後に新たなデータ処理プロセスを開始し、それにより、遅延した冗長な再送により引き起こされる無線リソースの無駄を回避し、スループットに対する影響、または過度に大きなデータパケット送信遅延に起因して送信制御プロトコル再送により引き起こされる通信失敗を回避する。
【０１１９】
これに対応して、本願発明の複数の実施形態は、先述の方法実施形態のプロセスを実装するよう構成され得るユーザ機器を開示する。以下では、図２から図５に関連して例を用いて、本願発明の実施形態に係るユーザ機器の概略構造図を説明する。
【０１２０】
図２は、本願発明に係るユーザ機器（ＵＥ）の実施形態の概略構造図である。図２に示されるように、ユーザ機器は、モニタリングモジュール２１と、第１処理モジュール２２と、第２処理モジュール２３とを含み得る。ここで、
モニタリングモジュール２１は、基地局が免許不要周波数域をリリースしたとユーザ機器が判断したとき、基地局が免許不要周波数域をリリースしてから基地局が免許不要周波数域を再取得するまでの時間間隔を示す、免許不要周波数域がリリースされるリリース時間をモニタリングするよう構成されており、
第１処理モジュール２２は、モニタリングモジュール２１によりモニタリングされるリリース時間が時間閾値を超えていないとき、免許不要周波数域にアタッチされたデータ処理プロセスを一時停止し、基地局が免許不要周波数域を再取得した後にデータ処理プロセスを再開するよう構成されており、
第２処理モジュール２３は、モニタリングモジュール２１によりモニタリングされるリリース時間が時間閾値を超えているとき、免許不要周波数域にアタッチされたデータ処理プロセスを終了し、新たなデータ処理プロセスを開始する免許周波数域を選択する、または、基地局が免許不要周波数域を再取得した後に新たなデータ処理プロセスを開始するよう構成されている。
【０１２１】
具体的な実装において、図３に示されるように、オプションで、本願発明の本実施形態におけるユーザ機器はさらに、基地局により送信された、免許不要周波数域がリリースされたことを示すインジケーション情報が受信されたとき、基地局が免許不要周波数域をリリースしたと判断する、または、基地局が免許不要周波数域をリリースしたと、基地局のパラメータに従って検出するよう構成されたリリース判断モジュール２０を含み得る。  ＬＴＥ−Ａシステムを例として用いると、基地局が免許不要周波数域を取得した後、基地局とユーザ機器（ＵＥ）とは、ＳＣｅｌｌの無線リソースを使用して互いに通信する。基地局とユーザ機器とがある期間の間、互いに通信した後、基地局は免許不要周波数域をリリースし、基地局は、ＵＥに対して、免許不要周波数域がリリースされたことを示すインジケーション情報を送信する。ここで、インジケーション情報は、物理ダウンリンク制御チャネル（物理ダウンリンク制御チャネル（Ｐｈｙｓｉｃａｌ  ｄｏｗｎｌｉｎｋ  ｃｏｎｔｒｏｌ  ｃｈａｎｎｅｌ，ＰＤＣＣＨ）または拡張物理ダウンリンク制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ，ＥＰＤＣＣＨ）を含む）を使用して送信され得、または、媒体アクセス制御制御要素（Ｍｅｄｉｕｍ  ａｃｃｅｓｓ  ｃｏｎｔｒｏｌ  ｃｏｎｔｒｏｌ  ｅｌｅｍｅｎｔ，ＭＡＣ  ＣＥ）を使用して送信され得る。免許不要周波数域がリリースされたことを示す、ＰＤＣＣＨまたはＥＰＤＣＣＨまたはＭＡＣ  ＣＥを使用して基地局により送信されたインジケーション情報をＵＥのリリース判断モジュール２０が受信したとき、基地局が免許不要周波数域をリリースしたとＵＥが判断出来る。代替的に、ＵＥのリリース判断モジュール２０は、ＬＴＥ基準信号を測定することにより基地局が免許不要周波数域をリリースしたと検出する。
【０１２２】
具体的な実装において、図４に示されるように、モニタリングモジュール２１は、第１モニタリングモジュール２１１と、第２モニタリングモジュール２１２と、第３モニタリングモジュール２１３とを含み得る。
【０１２３】
第１モニタリングモジュール２１１は、待機タイマーを開始して、免許不要周波数域がリリースされているリリース時間を記録し、待機タイマーの時間が切れていないとき、リリース時間が時間閾値を超えていないと判断する、または、待機タイマーの時間が切れた後に、リリース時間が時間閾値を超えていると判断するよう構成されている。依然としてＬＴＥ−Ａシステムを例として用いると、基地局が免許不要周波数域をリリースしたとＵＥが判断した後、第１モニタリングモジュール２１１は、待機タイマー（ｗａｉｔ−ｔｉｍｅｒとして記録され得る）を開始して、免許不要周波数域がリリースされているリリース時間を記録する。免許不要周波数域が再取得されたことを示す、基地局により送信されたインジケーションをＵＥが受信する前に、または、基地局が免許不要周波数域を再取得したことをＵＥが検出しない場合、このことは、免許不要周波数域が依然としてリリース時間期間にあることを示す。したがって、本願発明の本実施形態において、基地局が免許不要周波数域を再取得し、ＵＥへインジケーションを送信する前に、または、基地局が免許不要周波数域を再取得したこと（このことは、免許不要周波数域のリリース時間が終わっていないことを示す）をＵＥが検出する前に、待機タイマーの時間が切れていない場合、リリース時間が時間閾値を超えていないと第１モニタリングモジュール２１１は判断する。基地局が免許不要周波数域を再取得し、ＵＥへインジケーションを送信する前に、または、基地局が免許不要周波数域を再取得したこと（このことは、免許不要周波数域のリリース時間が終わっていないことを示す）をＵＥが検出する前に、待機タイマーの時間が切れた場合、リリース時間が時間閾値を超えていると第１モニタリングモジュール２１１は判断する。この態様において、待機タイマーの時間が切れる時点が時間閾値である。具体的な実装において、待機タイマーは、独立したタイマーであり得、または従来技術における非アクティブ化タイマー（ｓＣｅｌｌＤｅａｃｔｉｖａｔｉｏｎＴｉｍｅｒ）を再利用し得る。免許不要周波数域がリリースされたことを示す基地局のインジケーションをＵＥが受信した後、または、免許不要周波数域がリリースされたことをＵＥ自体が検出した後、ＵＥは非アクティブ化タイマーを開始してもよく、または再び開始してもよく、または非アクティブ化タイマーが既に動作している場合にはＵＥは、非アクティブ化タイマーを維持し続ける。非アクティブ化タイマーの時間が切れる前に、リリース時間が時間閾値を超えていないとＵＥは判断する。非アクティブ化タイマーの時間が切れた後、リリース時間が時間閾値を超えているとＵＥは判断する。
【０１２４】
第２モニタリングモジュール２１２は、免許不要周波数域の、基地局により送信された特定のリリース時間を受信し、受信されたリリース時間を、予め設定された時間閾値と比較して、受信されたリリース時間が予め設定された時間閾値を超えているかを判断するよう構成されている。具体的な実装において、免許不要周波数域の特定のリリース時間は、他のデバイスが免許不要周波数域を占有している時間（例えば、レーダなどの高い優先度を有するデバイスが免許不要周波数域を占有していると検出したとき、基地局は、レーダが免許不要周波数域を占有している時間をＵＥへ送信する）と、免許不要周波数域がリリースされてから免許不要周波数域が取得されるまでのインターバル期間（例えば、期間情報は定期的なサブフレームパターン（ｓｕｂｆｒａｍｅ  ｐａｔｔｅｒｎ）情報であり得、周波数域がリリースされてから次に周波数域が取得されるまでの時間間隔を表し得、ここで、規則性は定期的であり、期間は、免許不要周波数域を共有しているシステム間の交渉を通じて決定される）と、他のデバイスが免許不要周波数域を使用するために確保されている時間（例えば、確保されている時間は、ネットアロケーションベクトル（ＮＡＶ，Ｎｅｔ  Ａｌｌｏｃａｔｉｏｎ  Ｖｅｃｔｏｒ）の態様でインターシステムデバイスにより送信される送信要求（ＲＴＳ，ｒｅｑｕｅｓｔ  ｔｏ  ｓｅｎｄ）または送信許可（ＣＴＳ，ｃｌｅａｒ  ｔｏ  ｓｅｎｄ）フレームに含められる時間情報であり得る）と、基地局が位置付けられているシステムの、免許不要周波数域における無通話時間（無通話時間とは、ＬＴＥシステムが何ら情報を送信せず、これにより、他のシステムが周波数域を巡って競合する期間を指し、この期間において他のシステムが、その周波数域を占有してもよく、または占有しなくてもよい）とのうち少なくとも１つを含む。もちろん、具体的な実装において、ユーザ機器は、ネットアロケーションベクトル（ＮＡＶ，Ｎｅｔ  Ａｌｌｏｃａｔｉｏｎ  Ｖｅｃｔｏｒ）の態様でインターシステムデバイスにより送信される送信要求（ＲＴＳ，ｒｅｑｕｅｓｔ  ｔｏ  ｓｅｎｄ）または送信許可（ＣＴＳ，ｃｌｅａｒ  ｔｏ  ｓｅｎｄ）フレームに含められる時間情報を直接受信し、その受信された時間情報を、免許不要周波数域のリリース時間として使用してもよい。
【０１２５】
第３モニタリングモジュール２１３は、基地局により送信された、免許不要周波数域がリリースされたことを示すインジケーションを受信し、基地局が免許不要周波数域をリリースしている時間を、リリースのインジケーションと予め設定されたルールとに従って計算し、計算で得られたリリース時間を予め設定された時間閾値と比較して、受信されたリリース時間が予め設定された時間閾値を超えているかを判断するよう構成されている（例えば、レーダなどの高い優先度を有するデバイスが免許不要周波数域が占有していると基地局が検出したとき、基地局は、特別なリリースのインジケーションをＵＥへ送信する、またはインターシステムのタイプについての情報をリリースのインジケーションに追加し、ＵＥは、例えば少なくとも２時間の長いリリース時間が必要とされていることを周波数域規制に従って認識する）。
【０１２６】
具体的な実装において、本願発明におけるデータ処理プロセスはハイブリッド自動再送要求ＨＡＲＱプロセスを含み、
第１処理モジュール２２は具体的に、
モニタリングモジュール２１によりモニタリングされるリリース時間が時間閾値を超えていないとき、物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む免許不要周波数域にアタッチされたオペレーションのうち少なくとも１つを実行し、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む免許不要周波数域にアタッチされたオペレーションのうち少なくとも１つを実行する
よう構成されている。
【０１２７】
具体的な実装において、ダウンリンク受信は限定されないが、ＰＤＣＣＨ、物理ダウンリンク共有チャネル（ＰＤＳＣＨ，ｐｈｙｓｉｃａｌ  ｄｏｗｎｌｉｎｋ  ｓｈａｒｅｄ  ｃｈａｎｎｅｌ）上のダウンリンクトランスポートブロック（ＴＢ，ｔｒａｎｓｐｏｒｔ  ｂｌｏｃｋ）、物理ハイブリッド自動再送要求インジケーションチャネル（ＰＨＩＣＨ，ｐｈｙｓｉｃａｌ  ＨＡＲＱ  ｉｎｄｉｃａｔｉｏｎ  ｃｈａｎｎｅｌ）上のＨＡＲＱフィードバック情報肯定応答情報ＡＣＫまたは否定応答情報ＮＡＣＫ、第１同期信号（ＰＳＳ，ｐｒｉｍａｒｙ  ｓｙｎｃｈｒｏｎｉｚａｔｉｏｎ  ｓｉｇｎａｌ）、第２同期基準信号（ＳＳＳ，ｓｅｃｏｎｄａｒｙ  ｓｙｎｃｈｒｏｎｉｚａｔｉｏｎ）、セル基準信号（ＣＲＳ，ｃｅｌｌ  ｒｅｆｅｒｅｎｃｅ  ｓｉｇｎａｌ）、チャネル状態情報基準信号（ＣＳＩ−ＲＳ，ｃｈａｎｎｅｌ  ｓｔａｔｅ  ｉｎｆｏｒｍａｔｉｏｎ  ｒｅｆｅｒｅｎｃｅ  ｓｉｇｎａｌ）、復調基準信号（ＤＭＲＳ，ｄｅｍｏｄｕｌａｔｉｏｎ  ｒｅｆｅｒｅｎｃｅ  ｓｉｇｎａｌ）、ブロードキャストチャネル（ＢＣＨ，ｂｒｏａｄｃａｓｔ  ｃｈａｎｎｅｌ）上のマスター情報ブロック（ＭＩＢ，ｍａｓｔｅｒ  ｉｎｆｏｒｍａｔｉｏｎ  ｂｌｏｃｋ）、ＰＤＳＣＨ上のシステム情報ブロック（ｓｙｓｔｅｍ  ｉｎｆｏｒｍａｔｉｏｎ  ｂｌｏｃｋ）、マルチメディアブロードキャストマルチキャストシステム（ＭＢＭＳ，ｍｕｌｔｉｍｅｄｉａ  ｂｒｏａｄｃａｓｔ  ｍｕｌｔｉｃａｓｔ  ｓｙｓｔｅｍ）に関連する情報を含む。
【０１２８】
具体的な実装において、アップリンク送信は限定されないが、物理アップリンク制御チャネル（ＰＵＣＣＨ，ｐｈｙｓｉｃａｌ  ｕｐｌｉｎｋ  ｃｏｎｔｒｏｌ  ｃｈａｎｎｅｌ）または物理アップリンク共有チャネル（ＰＵＳＣＨ，ｐｈｙｓｉｃａｌ  ｕｐｌｉｎｋ  ｓｈａｒｅｄ  ｃｈａｎｎｅｌ）上でのアップリンク制御情報（ＵＣＩ，ｕｐｌｉｎｋ  ｃｏｎｔｒｏｌ  ｉｎｆｏｒｍａｔｉｏｎ）の送信、ＰＵＳＣＨ上でのトランスポートブロックの送信、アップリンクサウンディング基準信号（ＳＲＳ，ｓｏｕｎｄｉｎｇ  ｒｅｆｅｒｅｎｃｅ  ｓｉｇｎａｌ）の送信、復調基準信号ＤＭＲＳの送信、および、物理ランダムアクセスチャネル（ＰＲＡＣＨ，ｐｈｙｓｉｃａｌ  ｒａｎｄｏｍ  ａｃｃｅｓｓ  ｃｈａｎｎｅｌ）上でのプリアンブル（ｐｒｅａｍｂｌｅ）の送信を含む。ここで、ＵＣＩ情報は限定されないが、ＨＡＲＱフィードバック情報肯定応答情報ＡＣＫまたは否定応答情報ＮＡＣＫ、チャネル品質インジケーション（ＣＱＩ，ｃｈａｎｎｅｌ  ｑｕａｌｉｔｙ  ｉｎｄｉｃａｔｉｏｎ）、プリコーディングマトリックスインジケーション（ＰＭＩ，Ｐｒｅ−ｃｏｄｉｎｇ  ｍａｔｒｉｘ  Ｉｎｄｉｃａｔｉｏｎ）、ランクインジケーション（ＲＩ，ｒａｎｋｉｎｇ  ｉｎｄｉｃａｔｉｏｎ）、および、プリコーディングタイプインジケータ（ＰＴＩ，ｐｒｅｃｏｄｉｎｇ  ｔｙｐｅ  ｉｎｄｉｃａｔｉｏｎ）を含む。
【０１２９】
具体的な実装において、ＬＴＥが免許不要周波数域をリリースする前に、ＵＥがダウンリンクトランスポートブロックＴＢの受信に失敗し、ＵＥが物理アップリンク制御チャネルＰＵＣＣＨまたは物理アップリンク共有チャネルＰＵＳＣＨ上でＨＡＲＱフィードバック情報ＡＣＫまたはＮＡＣＫを送信出来なかった場合、ＬＴＥが免許不要周波数域をリリースしたとき、ＵＥは物理ダウンリンク制御チャネルＰＤＣＣＨ上で、ＨＡＲＱフィードバック情報を送信しなくてもよく、またはリッスンしなくてもよく、これにより、ダウンリンクＨＡＲＱ再送を受信し得る。加えて、ＵＥは、受信されたダウンリンクトランスポートブロックの冗長バージョン（ＲＶ，ｒｅｄｕｎｄａｎｃｙ  ｖｅｒｓｉｏｎ）をダウンリンクＨＡＲＱソフトバッファ（ｓｏｆｔ  ｂｕｆｆｅｒ）において確保して、ＬＴＥが免許不要周波数域を再取得した後にＨＡＲＱ再送により基地局により送信されたダウンリンクトランスポートブロックの冗長バージョンを組み合わせ得る。
【０１３０】
具体的な実装において、ＬＴＥが免許不要周波数域をリリースする前にＵＥがアップリンクトランスポートブロックＴＢを送信したが、物理ハイブリッド自動再送要求インジケーションチャネルＰＨＩＣＨ上で基地局により送信されたＨＡＲＱフィードバック情報ＡＣＫまたはＮＡＣＫをＵＥが受信出来ない場合、ＵＥは、ＬＴＥが免許不要周波数域をリリースし、ＰＨＩＣＨ上の情報がＡＣＫであると見なすときに、ＰＨＩＣＨが受信される必要があるサブフレーム（ｓｕｂｆｒａｍｅ）でＰＨＩＣＨを受信しないかもしれない。ＵＥは、アップリンクＨＡＲＱバッファ内のデータを確保して、ＬＴＥが免許不要周波数域を再取得した後に基地局のアップリンクグラント（ＵＬ  ｇｒａｎｔ）に従ってアップリンクＨＡＲＱ再送を実施する、または、基地局のアップリンクグラントに従って新たなアップリンクトランスポートブロックを生成して、アップリンクトランスポートブロックを送信する。
【０１３１】
具体的な実装において、ＬＴＥが免許不要周波数域をリリースする前に、ＵＥがアップリンクトランスポートブロックを送信し、物理ハイブリッド自動再送要求インジケーションチャネルＰＨＩＣＨ上で基地局により送信されたＨＡＲＱフィードバック情報ＮＡＣＫを受信した場合、ＵＥは、ＬＴＥが免許不要周波数域をリリースしたときに、ＰＵＳＣＨ上で、ＨＡＲＱ再送が実施される必要があるサブフレーム内でアップリンクＨＡＲＱ再送を実施しないかもしれない。ＵＥは、アップリンクＨＡＲＱバッファ内のデータを確保して、ＬＴＥが免許不要周波数域を再取得した後に基地局のアップリンクグラント（ＵＬ  ｇｒａｎｔ）に従って、適合アップリンクＨＡＲＱ再送を実施する、または非適合（ｎｏｎ  ａｄａｐｔｉｖｅ）ＨＡＲＱ再送を実施する。
【０１３２】
具体的な実装において、免許不要周波数域がリリースされている持続時間が待機タイマーを用いてモニタリングされていることは例として用いられており、待機タイマーの時間が切れる前に、ＵＥが、基地局により送信された、免許不要周波数域を取得したことのインジケーションを受信した、若しくは基地局により送信された同期インジケーション情報を受信した（つまり、基地局が免許不要周波数域を再取得した）、または、ＬＴＥが免許不要周波数域を再取得したことをＵＥ自体が検出した場合、ＵＥの第１処理モジュール２２は待機タイマーを停止し、ＰＤＣＣＨ上でリッスンし、ダウンリンク受信およびアップリンク送信を実施し、免許不要周波数域がリリースされる前に実施されていたＨＡＲＱオペレーションを継続してもよい。例えば、ＵＥは、基地局により送信されたダウンリンクＨＡＲＱ再送または新たなＴＢブロックを受信し、基地局により送信されたアップリンクグラントを受信して、アップリンクＨＡＲＱ再送を実施する、新たなＴＢブロックを生成してアップリンク送信を実施する、またはアップリンク非適合ＨＡＲＱ再送を実施する。
【０１３３】
本願発明の本実施形態における「一時停止」は、「中断」、「一時的にキャンセル」、「一時的に実施しない」、または同様のものと置き換えられ得、このことは、免許不要周波数域にアタッチされたデータ処理プロセスを一時的に停止するが、既に実施されているデータ処理プロセスを維持して、続いて、実施済みのプロセスに基づいてデータ処理プロセスを継続することを意味することに留意されるべきである。本願発明の本実施形態における「再開」は、「継続」、「続行」、または同様のものと置き換えられ得る。このことは、一時停止の間、完了していないデータ処理プロセスを継続することを意味する。
【０１３４】
具体的な実装において、データ処理プロセスはハイブリッド自動再送要求ＨＡＲＱプロセスを含み、
第２処理モジュール２３は具体的に、
モニタリングモジュール２１によりモニタリングされるリリース時間が時間閾値を超えているとき、ＨＡＲＱエンティティリセットオペレーションを実行し、または、免許不要周波数域を使用するセルに関して非アクティブ化オペレーションを実行し、
新たなＨＡＲＱ処理プロセスを開始する免許周波数域を選択する、または、基地局が免許不要周波数域を再取得した後に新たなＨＡＲＱ処理プロセスを開始する
よう構成されている。
【０１３５】
具体的な実装において、例としてＬＴＥ−Ａを用いると、ＳＣｅｌｌ上のＨＡＲＱエンティティリセットオペレーションは限定されないが、以下の内容を含む。
全てのダウンリンクＨＡＲＱプロセスのソフトバッファをクリアすること。
ダウンリンクＨＡＲＱプロセス毎に、ＨＡＲＱプロセス上で第１トランスポートブロックとして次に受信されたトランスポートブロックを用い、そのトランスポートブロックを送信すること。
アップリンク時間アラインメントタイマー（ｔｉｍｅＡｌｉｇｎｍｅｎｔＴｉｍｅｒ）の時間が切れたと見なし、アップリンクＨＡＲＱバッファをクリアし、無線リソース制御層（ＲＲＣ，ｒａｄｉｏ  ｒｅｓｏｕｒｃｅ  ｃｏｎｔｒｏｌ）に、免許不要周波数域のＳＣｅｌｌ上のＳＲＳリソースをリリースするよう命令すること。
全てのアップリンクＨＡＲＱプロセスの新たなデータインジケータ（ＮＤＩ，ｎｅｗ  ｄａｔａ  ｉｎｄｉｃａｔｏｒ）をゼロに設定すること。
ランダムアクセス手順メッセージ３（ｍｓｇ３）を送信するのに用いられたバッファをクリアすること。
全ての動作中のタイマーを停止すること。
ＳＣｅｌｌ上で行われている全てのランダムアクセス手順（ｒａｎｄｏｍ  ａｃｃｅｓｓ  ｐｒｏｃｅｄｕｒｅ）を停止すること。
ＳＣｅｌｌ上のランダムアクセス手順に関連する専用のランダムアクセスプリアンブルをリリースまたは破棄すること。
ＳＣｅｌｌ非アクティブ化に関連するオペレーションは、
ＳＣｅｌｌ上でのＳＲＳの送信をスキップすることと、
ＳＣｅｌｌのためのＣＱＩ、ＰＭＩ、ＲＩ、またはＰＴＩの送信をスキップすることと、
ＳＣｅｌｌのアップリンク共有チャネル（ｕｐｌｉｎｋ  ｓｈａｒｅｄ  ｃｈａｎｎｅｌ）上での情報の送信をスキップすることと、
ＳＣｅｌｌ上のＰＤＣＣＨ上でのリッスンをスキップすることと、
ＳＣｅｌｌのためのＰＤＣＣＨ上でのリッスンをスキップすることと、
ＳＣｅｌｌ上で行われているランダムアクセス手順がある場合、そのランダムアクセス手順を破棄することと
を含む。
【０１３６】
第２処理モジュール２３は、新たなＨＡＲＱ処理プロセスを開始する、または、基地局が免許不要周波数域を再取得した後に新たなＨＡＲＱ処理プロセスを開始する免許周波数域を選択する。例としてＬＴＥ−Ａを用いると、ＵＥの第２処理モジュール２３は、ＬＴＥが免許不要周波数域をリリースする前に送信が成功していなかったＭＡＣ  ＣＥを送信する、免許周波数域のＰＣｅｌｌまたはＳＣｅｌｌを選択し得る。ここで、ＭＡＣ  ＣＥは限定されないが、バッファステータス報告（ＢＳＲ，ｂｕｆｆｅｒ  ｓｔａｔｕｓ  ｒｅｐｏｒｔ）またはパワーヘッドルーム報告（ＰＨＲ，ｐｏｗｅｒ  ｈｅａｄｒｏｏｍ  ｒｅｐｏｒｔ）などのアップリンクＭＡＣ  ＣＥを含む。アップリンクＭＡＣ  ＣＥを送信するのに、免許周波数域のＰＣｅｌｌまたはＳＣｅｌｌが選択されたとき、ＵＥはＭＡＣ  ＣＥを再生成し、新たなＨＡＲＱに従って送信を実施する。ＬＴＥが免許不要周波数域をリリースする前に送信が成功していなかった他のトランスポートブロックＴＢは、高位レイヤー無線リンク制御（ＲＬＣ，ｒａｄｉｏ  ｌｉｎｋ  ｃｏｎｔｒｏｌ）層を使用して再送され、または新たなトランスポートブロックが直接生成されて、免許周波数域のＰＣｅｌｌまたはＳＣｅｌｌ上でＨＡＲＱ送信を実施し得る。
【０１３７】
具体的な実装において、データ処理プロセスは間欠受信ＤＲＸプロセスを含み、
第１処理モジュール２２は具体的に、モニタリングモジュール２１によりモニタリングされるリリース時間が時間閾値を超えていないとき、各ＤＲＸタイマーの通常動作を維持する（タイマーの動作を継続し、タイマーの時間が切れたときにタイマーを停止する）オペレーションと、各ＤＲＸタイマーの通常動作を維持するがユーザ機器は時間計測またはカウントを実施しない（ＤＲＸタイマーの動作を継続するが、ＤＲＸタイマーは、これに対応して、免許不要周波数域がリリースされている持続時間を長引かせる）オペレーションと、物理ダウンリンク制御チャネル上でのリッスンを一時停止するオペレーションと、ダウンリンク受信を一時停止するオペレーションと、アップリンク送信を一時停止するオペレーションとを含む免許不要周波数域にアタッチされたオペレーションのうち少なくとも１つを実行し、基地局が免許不要周波数域を再取得した後に、基地局が免許不要周波数域を再取得した後に、物理ダウンリンク制御チャネル上でのリッスンを再開するオペレーションと、ダウンリンク受信を再開するオペレーションと、アップリンク送信を再開するオペレーションとを含む免許不要周波数域にアタッチされたオペレーションのうち少なくとも１つを実行するよう構成されている。
【０１３８】
具体的な実装において、本願発明の本実施形態におけるＤＲＸタイマーは、オンデュレーションタイマー（ｏｎＤｕｒａｔｉｏｎＴｉｍｅｒ）、間欠受信インアクティビティタイマー（ｄｒｘ−ＩｎａｃｔｉｖｉｔｙＴｉｍｅｒ）、間欠受信再送タイマー（ｄｒｘ−ＲｅｔｒａｎｓｍｉｓｓｉｏｎＴｉｍｅｒ）、ハイブリッド自動再送要求ラウンドトリップタイマー（ＨＡＲＱ  ＲＴＴ  Ｔｉｍｅｒ）、間欠受信ショートサイクルタイマー（ｄｒｘＳｈｏｒｔＣｙｃｌｅＴｉｍｅｒ）、または同様のものを含み得る。
【０１３９】
具体的な実装において、本実施形態において、物理ダウンリンク制御チャネル上でのリッスンを一時停止する、ダウンリンク受信を一時停止する、およびアップリンク送信を一時停止するなどの処理の態様に関しては、ＨＡＲＱの関連する処理の態様を参照されたく、詳細は、本明細書おいて改めて説明されない。
【０１４０】
具体的な実装において、本実施形態において、物理ダウンリンク制御チャネル上でのリッスンを再開する、ダウンリンク受信を再開する、およびアップリンク送信を再開するなどの処理の態様に関しては、ＨＡＲＱの関連する処理の態様を参照されたく、詳細は、本明細書おいて改めて説明されない。
【０１４１】
本願発明の本実施形態における「一時停止」は、「中断」、「一時的にキャンセル」、「一時的に実施しない」、または同様のものと置き換えられ得、このことは、免許不要周波数域にアタッチされたデータ処理プロセスを一時的に停止するが、既に実施されているデータ処理プロセスを維持して、続いて、実施済みのプロセスに基づいてデータ処理プロセスを継続することを意味することに留意されるべきである。本願発明の本実施形態における「再開」は、「継続」、「続行」、または同様のものと置き換えられ得る。このことは、一時停止の間、完了していないデータ処理プロセスを継続することを意味する。
【０１４２】
具体的な実装において、データ処理プロセスは間欠受信ＤＲＸプロセスを含み、
第２処理モジュール２３は具体的に、
モニタリングモジュール２１によりモニタリングされるリリース時間が時間閾値を超えているとき、ＨＡＲＱエンティティリセットオペレーションを実行するオペレーションと、免許不要周波数域を使用するセルに関して非アクティブ化オペレーションを実行するオペレーションと、各ＤＲＸタイマーを停止するオペレーションとを含む免許不要周波数域にアタッチされたオペレーションのうち少なくとも１つを実行し、
新たなＤＲＸ処理プロセスを開始する免許周波数域を選択する、または、免許周波数域で行われているＤＲＸ処理プロセスを維持する、または、基地局が免許不要周波数域を再取得した後に新たなＤＲＸ処理プロセスを開始するよう構成されている。
【０１４３】
ＨＡＲＱエンティティリセットオペレーションを実行する、および免許不要周波数域を使用するセルに関して非アクティブ化オペレーションを実行するなどの処理の態様に関しては、ＨＡＲＱの関連する処理の態様を参照されたく、詳細は、本明細書おいて改めて説明されない。
【０１４４】
具体的な実装において、免許不要周波数域のセルと免許周波数域のセルとが同じＤＲＸパラメータ構成およびＤＲＸオペレーションを使用するときに、免許不要周波数域にアタッチされたデータ処理プロセスを終了するとき、第２処理モジュール２３は各ＤＲＸタイマーを停止しない、または、
免許不要周波数域のセルと免許周波数域のセルとが異なるＤＲＸパラメータ構成を実行するときに、免許不要周波数域にアタッチされたデータ処理プロセスを終了するとき、第２処理モジュール２３は各ＤＲＸタイマーを停止する。
【０１４５】
例えば、例としてＬＴＥ−Ａを用いると、免許不要周波数域のＳＣｅｌｌが、免許周波数域のＰＣｅｌｌおよびＳＣｅｌｌとは独立したＤＲＸオペレーションを実行する、つまり、ＳＣｅｌｌ上のＤＲＸパラメータ構成と、ＳＣｅｌｌ上のＵＥのアクティブ時間とが、免許周波数域のキャリアのＤＲＸパラメータ構成とアクティブ時間とは独立しているとき、本願発明の本実施形態において、第２処理モジュール２３は各ＤＲＸタイマーを停止しない。免許不要周波数域のＳＣｅｌｌと、免許周波数域のＰＣｅｌｌおよびＳＣｅｌｌとが共通のＤＲＸオペレーション（ｃｏｍｍｏｎ  ＤＲＸ）を実行するとき（従来技術においては、共通のＤＲＸオペレーションとは、ＰＣｅｌｌ上のＤＲＸパラメータ構成が各ＳＣｅｌｌ上のＤＲＸパラメータ構成として再利用されることを指す）、ＵＥは、ＳＣｅｌｌ上とＰＣｅｌｌ上とで同じアクティブ時間規則性を有し、つまり、アクティブ化された状態の複数のＳＣｅｌｌと複数のＰＣｅｌｌとは、アクティブ時間（ａｃｔｉｖｅ  ｔｉｍｅ）または非アクティブ時間（ｉｎａｃｔｉｖｅ  ｔｉｍｅ）のいずれかである。この場合、第２処理モジュール２３は、免許不要周波数域のＳＣｅｌｌに関して非アクティブ化オペレーションを実行し、または、ＨＡＲＱリセットオペレーションを実行するが、各ＤＲＸタイマーを停止しない。なぜなら、免許周波数域のＰＣｅｌｌおよび他のＳＣｅｌｌのＤＲＸオペレーションの通常動作も、タイマーの動作状況に依存する必要があるからである。
【０１４６】
本実施形態において提供されるＤＲＸ処理解決法において、ＵＥは、免許不要周波数域がリリースされている持続時間に従って対応する処理を実施し得、例えば、ＤＲＸタイマーを処理し、ＰＤＣＣＨ上でリッスンし得、これにより、ＤＲＸオペレーションは、免許不要周波数域のリリースの間、およびＬＴＥが免許不要周波数域を再取得した後、実施され得、またはその継続が成功し得、それにより、ＵＥが免許不要周波数域で作動するときのより良好な電力節約効果が達成される。
【０１４７】
具体的な実装において、データ処理プロセスは自動再送要求ＡＲＱプロセスを含み、
第１処理モジュール２２は具体的に、
モニタリングモジュール２１によりモニタリングされるリリース時間が時間閾値を超えていないとき、無線リンク制御層ＲＬＣのリオーダリングタイマーを中断するオペレーションと、ポール再送タイマーを中断するオペレーションとを含む免許不要周波数域にアタッチされたオペレーションのうち少なくとも１つを実行し、
基地局が免許不要周波数域を再取得した後に、無線リンク制御層のリオーダリングタイマーを再開し、リオーダリングタイマーの時間が切れた後にＲＬＣステータス報告をトリガするオペレーションと、ポール再送タイマーを再開し、ポール再送タイマーの時間が切れた後に、ポールビットが与えられたＲＬＣデータユニットの再送をトリガする、または、新たなＲＬＣデータユニットを送信するオペレーションとを含む免許不要周波数域にアタッチされたオペレーションのうち少なくとも１つを実行する
よう構成されている。
【０１４８】
例としてＬＴＥ−Ａを用いると、ＣＡにおいて集約されたセルが、同じＬＴＥ基地局により提供されるケースにおいて、ＲＬＣステータス報告（ＲＬＣ  ｓｔａｔｕｓ  ｒｅｐｏｒｔ）、ポールビット（ｐｏｌｌ）が与えられたＲＬＣプロトコルデータユニット（ＰＤＵ）、再送される必要があるＲＬＣ  ＰＤＵなどの情報が全て、免許周波数域のＰＣｅｌｌ若しくはＳＣｅｌｌ、または、免許不要周波数域のＳＣｅｌｌ上で送信され得、したがって、ＬＴＥが一時的に免許不要周波数域をリリースした後、ＵＥおよび基地局は、先述の情報を、免許周波数域のＰＣｅｌｌまたはＳＣｅｌｌ上で送信し得る。しかし、ＣＡにおいて集約されたセルが異なる複数のＬＴＥ基地局により提供されるケースにおいて、免許不要周波数域を提供するセルが位置付けられている基地局のために他の免許周波数域が何ら構成されていない場合、免許不要周波数域のリリース時間が閾値より大きいとき、ＵＥおよび基地局は、他の基地局により提供されるセルを用いて送信を実施し得る。
【０１４９】
３ＧＰＰスモールセル拡張（ＳＣＥ，ｓｍａｌｌ  ｃｅｌｌ  ｅｎｈａｎｃｅｍｅｎｔ）プロジェクトにおいて、ＣＡが、複数の基地局間で実施され得る。マスター基地局（ＭｅＮＢ，ｍａｓｔｅｒ  ｅＮＢ）がＰＣｅｌｌ、およびゼロから複数のＳＣｅｌｌを提供し、二次基地局（ＳｅＮＢ，ｓｅｃｏｎｄａｒｙ  ｅＮＢ）が、１から複数のＳＣｅｌｌを提供する。ＳｅＮＢがアップリンクをサポートする場合、ＰＵＣＣＨが、ＳｅＮＢ内の少なくとも１つのＳＣｅｌｌのために構成される必要があり、そのＳＣｅｌｌは、ＳｅＮＢ内のマスターセルである。ユーザプレーンデータ無線ベアラー（ｄａｔａ  ｒａｄｉｏ  ｂｅａｒｅｒ）が、ＳｅＮＢ上のみに位置付けられ得、ＳｅＮＢとサービングゲートウェイ（ＳＧＷ，ｓｅｒｖｉｎｇ  ｇａｔｅｗａｙ）との間のＳ１−Ｕインタフェースにより通信が実施される。データ無線ベアラーは２つの論理チャネル（ｌｏｇｉｃａｌ  ｃｈａｎｎｅｌ）に分割（ｓｐｌｉｔ）されて、ＭｅＮＢとＵＥとの間の無線インタフェースと、ＳｅＮＢとＵＥとの間の無線インタフェースとによりＵＥとのデータ送信を別々に実施し、ＭｅＮＢとＳＧＷとの間のＳ１−Ｕインタフェースによりネットワークと通信し得る。ＳｅＮＢが１つのマスターセルのみを提供し、マスターセルが免許不要周波数域内にある場合、ＬＴＥは、免許不要周波数域をリリースした後、ＡＲＱプロセスに対して対応する処理を実施する必要がある。例えば、ＬＴＥが免許不要周波数域をリリースする前に、ＵＥは、ＳｅＮＢから１または複数のダウンリンクＲＬＣプロトコルデータユニット（ＰＤＵ，ｐａｃｋｅｔ  ｄａｔａ  ｕｎｉｔ）を受信するが、基地局へＲＬＣステータス報告（ＲＬＣ  ｓｔａｔｕｓ  ｒｅｐｏｒｔ）を送信してＲＬＣ  ＰＤＵの受信状況をフィードバックすることが出来ない。ここで、ＲＬＣステータス報告は、ＲＬＣ  ＰＤＵの受信が成功したことを示すＡＣＫ情報、および／またはＲＬＣ  ＰＤＵの受信が失敗したことを示すＮＡＣＫ情報を含む。および／または、ＵＥは、１または複数のＲＬＣ  ＰＤＵをＳｅＮＢへ送信するが、ＳｅＮＢにより送信されたＲＬＣステータス報告を受信しない、または、ＵＥは、ＳｅＮＢにより送信されたＲＬＣステータス報告を受信したが、ＲＬＣ  ＰＤＵ再送を実施することが出来ない。これら全てのケースが、免許不要周波数域がリリースされた後のＡＲＱ処理問題を伴う。
【０１５０】
具体的に、ＲＬＣ受信エンティティに関し、第１処理モジュール２２はＲＬＣ層のリオーダリングタイマー（ｒｅｏｒｄｅｒｉｎｇ  ｔｉｍｅｒ）を中断（ｓｕｓｐｅｎｄ）し得（具体的な実装において、本明細書における中断とは、動作を一時停止することであり得、または、タイマーの動作を継続するが、タイマーが時間を計測しないことであり得る）、ＲＬＣ送信エンティティに関し、ＵＥが既に、ポールビットが与えられたＲＬＣ  ＰＤＵをＳｅＮＢへ送信しており、ポール再送タイマー（ｐｏｌｌ  ｒｅｔｒａｎｓｍｉｔ  Ｔｉｍｅｒ）を開始している場合、第１処理モジュール２２は、ポール再送タイマーを中断し得る。これに対応して、基地局は、ＵＥに対応する方法に従って関連するタイマーを処理する。
【０１５１】
本願発明の本実施形態における「再開」とは、「継続」、「続行」、または同様のものと置き換えられ得、このことは、一時停止の間に完了していないデータ処理プロセスを継続すること、例えば、タイマーを動作させ続けること、または中断の時点からタイマーの動作を継続することを意味することに留意されるべきである。
【０１５２】
具体的な実装において、データ処理プロセスは自動再送要求ＡＲＱプロセスを含み、
第２処理モジュール２３は具体的に、
モニタリングモジュール２１によりモニタリングされるリリース時間が時間閾値を超えているとき、リオーダリングタイマーを停止するオペレーションと、ポール再送タイマーを停止するオペレーションとを含む免許不要周波数域にアタッチされたオペレーションのうち少なくとも１つを実行し、
新たなＡＲＱ処理プロセスを開始する免許周波数域を選択する、または、基地局が免許不要周波数域を再取得した後に新たなＡＲＱ処理プロセスを開始する
よう構成されている。例えば、例としてＬＴＥ−Ａを用いると、新たなＡＲＱ処理プロセスを開始するとき、第２処理モジュール２３は、ＭｅＮＢにより提供される、ＡＲＱに関連する情報を送信および／または受信する、免許周波数域のＰＣｅｌｌまたはＳＣｅｌｌを選択し得る。
【０１５３】
本実施形態における、免許不要周波数域がリリースされた後のＡＲＱ処理解決法において、免許不要周波数域がリリースされたとき、ＲＬＣ層上のＡＲＱプロセスが通常通り行われ得、それにより、ＡＲＱ再送の比較的長い遅延により引き起こされるＴＣＰ再送が回避され得、周波数域リソースを節約し得、システムスループットが向上し得る。
【０１５４】
具体的な実装において、
データ処理プロセスはランダムアクセス手順を含み、
第１処理モジュール２２は具体的に、
モニタリングモジュール２１によりモニタリングされるリリース時間が時間閾値を超えていないとき、ランダムアクセス応答ウィンドウを中断する（つまり、ランダムアクセス応答（ＲＡＲ，ｒａｎｄｏｍ  ａｃｃｅｓｓ  ｒｅｓｐｏｎｓｅ）ウィンドウのサブフレームのカウントを一時停止する）オペレーションと、競合解消タイマーを中断する（つまり、競合解消タイマーの動作を一時停止する）オペレーションとを含む免許不要周波数域にアタッチされたオペレーションのうち少なくとも１つを実行し、
基地局が免許不要周波数域を再取得した後に、ランダムアクセス応答ウィンドウを再開する（つまり、一時停止の時点からカウントを継続する）オペレーションと、競合解消タイマーの動作を再開する（つまり、一時停止の時点からカウントを継続する）オペレーションとを含む免許不要周波数域にアタッチされたオペレーションのうち少なくとも１つを実行する
よう構成されている。
【０１５５】
具体的に、ＵＥがランダムアクセス応答（ＲＡＲ，ｒａｎｄｏｍ  ａｃｃｅｓｓ  ｒｅｓｐｏｎｓｅ）を待機しているとき、ＵＥの第１処理モジュール２２は、ＲＡＲウィンドウ（ｗｉｎｄｏｗ）を中断（ｓｕｓｐｅｎｄ）し得、つまり、ＲＡＲウィンドウのサブフレームのカウントを一時停止し得、ＵＥが競合解消（ＣＲ，ｃｏｎｔｅｎｔｉｏｎ  ｒｅｓｏｌｕｔｉｏｎ）メッセージ、つまり、ランダムアクセス手順メッセージ４（ｍｓｇ４）を待機しており、競合解消タイマー（ｃｏｎｔｅｎｔｉｏｎ  ｒｅｓｏｌｕｔｉｏｎ  ｔｉｍｅｒ）を開始した場合、ＵＥの第１処理モジュール２２は一時的に、競合解消タイマーを中断し得、つまり、タイマーの動作を一時停止し得る。
【０１５６】
具体的な実装において、データ処理プロセスはランダムアクセス手順を含み、
第２処理モジュール２３は具体的に、
モニタリングモジュール２１によりモニタリングされるリリース時間が時間閾値を超えているとき、ランダムアクセス応答ウィンドウを停止し、ランダムアクセス応答メッセージの待機を停止するオペレーションと、競合解消タイマーを停止し、競合解消メッセージの待機を停止するオペレーションとを含む免許不要周波数域にアタッチされたオペレーションのうち少なくとも１つを実行し、
新たなランダムアクセス手順を開始する免許周波数域を選択する、または、基地局が免許不要周波数域を再取得した後に新たなランダムアクセス手順を開始する
よう構成されている。例えば、新たなランダムアクセス手順を開始するとき、ＵＥの第２処理モジュール２３は、ＬＴＥが免許不要周波数域を再取得した後に新たなランダムアクセス手順をトリガし得る。基地局は、従来技術を用いて、ＰＤＣＣＨにより、またはＵＥのＭＡＣ層によりトリガを実施し得る。
【０１５７】
具体的な実装において、データ処理プロセスは無線リソース管理ＲＲＭ測定プロセスを含み、
第１処理モジュール２２は具体的に、
モニタリングモジュール２１によりモニタリングされるリリース時間が時間閾値を超えていないとき、ＲＲＭ測定プロセスを一時停止し、
基地局が免許不要周波数域を再取得した後に、ＲＲＭ測定プロセスを再開する
よう構成されている。具体的な実装において、ＲＲＭ測定は、ＣＲＳ若しくはＣＳＩ−ＲＳに基づき、またはＤＭＲＳに基づき、基準信号受信電力（ＲＳＲＰ，ｒｅｆｅｒｅｎｃｅ  ｓｉｇｎａｌ  ｒｅｃｅｉｖｅｄ  ｐｏｗｅｒ）および／または基準信号受信品質ＲＳＲＱ（ｒｅｆｅｒｅｎｃｅ  ｓｉｇｎａｌ  ｒｅｃｅｉｖｅｄ  ｑｕａｌｉｔｙ）を測定することである。基地局はＵＥのために、ＲＲＭ測定が免許不要周波数域のＳＣｅｌｌに関して実施されるよう構成する。
【０１５８】
具体的な実装において、データ処理プロセスは無線リソース管理ＲＲＭ測定プロセスを含み、
第２処理モジュール２３は具体的に、
モニタリングモジュール２１によりモニタリングされるリリース時間が時間閾値を超えているとき、ＲＲＭ測定パラメータをリリースし、
新たなＲＲＭ測定プロセスを開始する免許周波数域を選択する、または、基地局が免許不要周波数域を再取得した後に新たなＲＲＭプロセスを開始する
よう構成されている。
【０１５９】
具体的な実装において、データ処理プロセスはチャネル状態情報ＣＳＩ測定プロセスを含み、
第１処理モジュール２２は具体的に、
モニタリングモジュール２１によりモニタリングされるリリース時間が時間閾値を超えていないとき、ＣＳＩ測定プロセスを一時停止し、
基地局が免許不要周波数域を再取得した後にＣＳＩ測定プロセスを再開する
よう構成されている。具体的な実装において、本願発明の本実施形態におけるＣＳＩ測定は、ＣＲＳ若しくはＣＳＩ−ＲＳに基づく、またはＤＭＲＳに基づくチャネル状態測定であり、ＣＱＩ、ＰＭＩ、ＲＩ、ＰＴＩ、または同様のものを含む。基地局はＵＥのために、ＣＳＩ測定が免許不要周波数域のＳＣｅｌｌに関して実施されるよう構成する。
【０１６０】
具体的な実装において、データ処理プロセスはチャネル状態情報ＣＳＩ測定プロセスを含み、
第２処理モジュール２３は具体的に、
モニタリングモジュール２１によりモニタリングされるリリース時間が時間閾値を超えているとき、ＣＳＩ測定パラメータをリリースし、
新たなＣＳＩ測定プロセスを開始する免許周波数域を選択する、または、基地局が免許不要周波数域を再取得した後に新たなＣＳＩプロセスを開始する
よう構成されている。
【０１６１】
もちろん、具体的な実装において、本願発明の本実施形態において、基地局が免許不要周波数域をリリースしたと判断した後、ＵＥは第１処理モジュール２２を用いて常に、免許不要周波数域にアタッチされたデータ処理プロセスを一時停止するオペレーション、および基地局が免許不要周波数域を再取得した後にデータ処理プロセスを再開するオペレーションを実行し、または、ＵＥは第２処理モジュール２３を用いて常に、免許不要周波数域にアタッチされたデータ処理プロセスをユーザ機器により終了するオペレーション、および新たなデータ処理プロセスを開始する免許周波数域を選択するオペレーション、または、基地局が免許不要周波数域を再取得した後に新たなデータ処理プロセスを開始するオペレーションを実行する。ＵＥは、免許不要周波数域がリリースされている持続時間に従って、異なる処理解決法を用いない。
【０１６２】
上記から分かるように、本願発明のいくつかの実施形態において、基地局が免許不要周波数域をリリースしたとユーザ機器が判断したとき、ユーザ機器は、基地局が免許不要周波数域をリリースしてから基地局が免許不要周波数域を再取得するまでの時間間隔を示す、免許不要周波数域がリリースされるリリース時間をモニタリングし、リリース時間が時間閾値を超えていないとき、ユーザ機器は、免許不要周波数域にアタッチされたデータ処理プロセスを一時停止し、基地局が免許不要周波数域を再取得した後にデータ処理プロセスを再開し、それにより、免許不要周波数域が再取得された後の通信プロセスの通常の再開を確実にし、リリース時間が時間閾値を超えているとき、ユーザ機器は、免許不要周波数域にアタッチされたデータ処理プロセスを終了し、新たなデータ処理プロセスを開始する免許周波数域を選択し、または、基地局が免許不要周波数域を再取得した後に新たなデータ処理プロセスを開始し、それにより、遅延した冗長な再送により引き起こされる無線リソースの無駄を回避し、スループットに対する影響、または過度に大きなデータパケット送信遅延に起因して送信制御プロトコル再送により引き起こされる通信失敗を回避する。
【０１６３】
図５は、本願発明に係るユーザ機器の他の実施形態の概略構造図である。図５に示されるように、ユーザ機器は、
メモリ５１と、
プロセッサ５２と
を備え得、
プロセッサ５２は、メモリ５１に格納されたプログラムを呼び出し、
基地局が免許不要周波数域をリリースしたとユーザ機器が判断したとき、基地局が免許不要周波数域をリリースしてから基地局が免許不要周波数域を再取得するまでの時間間隔を示す、免許不要周波数域がリリースされるリリース時間をモニタリングするプロセスと、
リリース時間が時間閾値を超えていないとき、免許不要周波数域にアタッチされたデータ処理プロセスを一時停止し、基地局が免許不要周波数域を再取得した後にデータ処理プロセスを再開するプロセスと、
リリース時間が時間閾値を超えているとき、免許不要周波数域にアタッチされたデータ処理プロセスを終了し、新たなデータ処理プロセスを開始する免許周波数域を選択する、または、基地局が免許不要周波数域を再取得した後に新たなデータ処理プロセスを開始するプロセスと
を実行する。
【０１６４】
いくつかの可能な実装態様において、基地局が免許不要周波数域をリリースしたとプロセッサ５２が判断することは、
基地局により送信された、免許不要周波数域がリリースされたことを示すインジケーション情報をユーザ機器が受信したとき、基地局が免許不要周波数域をリリースしたとプロセッサ５２が判断すること、
または、
基地局が免許不要周波数域をリリースしたと、基地局のパラメータに従ってプロセッサ５２が検出すること
を備える。
【０１６５】
いくつかの可能な実装態様において、免許不要周波数域がリリースされるリリース時間をプロセッサ５２によりモニタリングするプロセスは、
待機タイマーをプロセッサ５２により開始して、免許不要周波数域がリリースされているリリース時間を記録し、待機タイマーの時間が切れていないとき、リリース時間が時間閾値を超えていないと判断する、または、待機タイマーの時間が切れた後に、リリース時間が時間閾値を超えていると判断するプロセス、
または、
免許不要周波数域の、基地局により送信された特定のリリース時間をプロセッサ５２により受信し、受信されたリリース時間を、予め設定された時間閾値と比較して、受信されたリリース時間が予め設定された時間閾値を超えているかを判断するプロセス、
または、
基地局により送信された、免許不要周波数域がリリースされたことを示すインジケーションをプロセッサ５２により受信し、リリースのインジケーションと予め設定されたルールとに従って、免許不要周波数域に関する基地局のリリース時間を計算し、計算で得られたリリース時間を、予め設定された時間閾値と比較して、受信されたリリース時間が予め設定された時間閾値を超えているかを判断するプロセス
を有する。いくつかの可能な実装態様において、待機タイマーは非アクティブ化タイマーを含み、
免許不要周波数域の特定のリリース時間は、他のデバイスが免許不要周波数域を占有している時間と、他のデバイスが免許不要周波数域を使用するために確保されている時間と、基地局が位置付けられているシステムの、免許不要周波数域における無通話時間とのうち少なくとも１つを含む。
【０１６６】
いくつかの可能な実装態様において、データ処理プロセスはハイブリッド自動再送要求ＨＡＲＱプロセスを含み、
免許不要周波数域にアタッチされたデータ処理プロセスをプロセッサ５２により一時停止することは、
物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む免許不要周波数域にアタッチされたオペレーションのうち少なくとも１つをプロセッサ５２により実行することを有し、
基地局が免許不要周波数域を再取得した後にデータ処理プロセスをプロセッサ５２により再開するプロセスは、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む免許不要周波数域にアタッチされたオペレーションのうち少なくとも１つをプロセッサ５２により実行するプロセスを有する。
【０１６７】
いくつかの可能な実装態様において、データ処理プロセスはハイブリッド自動再送要求ＨＡＲＱプロセスを含み、
免許不要周波数域にアタッチされたデータ処理プロセスをプロセッサ５２により終了することは、
ＨＡＲＱエンティティリセットオペレーションをプロセッサ５２により実行する、または、免許不要周波数域を使用するセルに関して非アクティブ化オペレーションを実行することを有し、
新たなデータ処理プロセスを開始する免許周波数域を選択する、または、基地局が免許不要周波数域を再取得した後に新たなデータ処理プロセスを開始するプロセスは、
新たなＨＡＲＱ処理プロセスを開始する免許周波数域をプロセッサ５２により選択する、または、基地局が免許不要周波数域を再取得した後に新たなＨＡＲＱ処理プロセスを開始するプロセスを有する。
【０１６８】
いくつかの可能な実装態様において、データ処理プロセスは間欠受信ＤＲＸプロセスを含み、
免許不要周波数域にアタッチされたデータ処理プロセスをプロセッサ５２により一時停止することは、
各ＤＲＸタイマーの通常動作を維持するオペレーションと、物理ダウンリンク制御チャネル上でのリッスンを一時停止するオペレーションと、ダウンリンク受信を一時停止するオペレーションと、アップリンク送信を一時停止するオペレーションとを含む免許不要周波数域にアタッチされたオペレーションのうち少なくとも１つをプロセッサ５２により実行することを有し、
基地局が免許不要周波数域を再取得した後にデータ処理プロセスをプロセッサ５２により再開するプロセスは、
基地局が免許不要周波数域を再取得した後に、物理ダウンリンク制御チャネル上でのリッスンを再開するオペレーションと、ダウンリンク受信を再開するオペレーションと、アップリンク送信を再開するオペレーションとを含む免許不要周波数域にアタッチされたオペレーションのうち少なくとも１つをプロセッサ５２により実行するプロセスを有する。
【０１６９】
いくつかの可能な実装態様において、データ処理プロセスは間欠受信ＤＲＸプロセスを含み、
免許不要周波数域にアタッチされたデータ処理プロセスをプロセッサ５２により終了することは、
ＨＡＲＱエンティティリセットオペレーションを実行するオペレーションと、免許不要周波数域を使用するセルに関して非アクティブ化オペレーションを実行するオペレーションと、各ＤＲＸタイマーを停止するオペレーションとを含む免許不要周波数域にアタッチされたオペレーションのうち少なくとも１つをプロセッサ５２により実行することを有し、
新たなデータ処理プロセスを開始する免許周波数域を選択する、または、基地局が免許不要周波数域を再取得した後に新たなデータ処理プロセスを開始するプロセスは、
新たなＤＲＸ処理プロセスを開始する免許周波数域をプロセッサ５２により選択する、または、免許周波数域で行われているＤＲＸ処理プロセスを維持する、または、基地局が免許不要周波数域を再取得した後に新たなＤＲＸ処理プロセスを開始するプロセスを有する。
【０１７０】
いくつかの可能な実装態様において、
免許不要周波数域のセルと免許周波数域のセルとが同じＤＲＸパラメータ構成およびＤＲＸオペレーションを使用するときに、免許不要周波数域にアタッチされたデータ処理プロセスを終了するとき、プロセッサ５２は各ＤＲＸタイマーを停止しない、または、
免許不要周波数域のセルと免許周波数域のセルとが異なるＤＲＸパラメータ構成を実行するときに、免許不要周波数域にアタッチされたデータ処理プロセスを終了するとき、プロセッサ５２は各ＤＲＸタイマーを停止する。
【０１７１】
いくつかの可能な実装態様において、データ処理プロセスは自動再送要求ＡＲＱプロセスを含み、
免許不要周波数域にアタッチされたデータ処理プロセスをプロセッサ５２により一時停止することは、
無線リンク制御層ＲＬＣのリオーダリングタイマーを中断するオペレーションと、ポール再送タイマーを中断するオペレーションとを含む免許不要周波数域にアタッチされたオペレーションのうち少なくとも１つをプロセッサ５２により実行することを有し、
基地局が免許不要周波数域を再取得した後にデータ処理プロセスをプロセッサ５２により再開するプロセスは、
基地局が免許不要周波数域を再取得した後に、無線リンク制御層のリオーダリングタイマーを再開し、リオーダリングタイマーの時間が切れた後にＲＬＣステータス報告をトリガするオペレーションと、ポール再送タイマーを再開し、ポール再送タイマーの時間が切れた後に、ポールビットが与えられたＲＬＣデータユニットの再送をトリガする、または、新たなＲＬＣデータユニットを送信するオペレーションとを含む免許不要周波数域にアタッチされたオペレーションのうち少なくとも１つをプロセッサ５２により実行するプロセスを有する。
【０１７２】
いくつかの可能な実装態様において、データ処理プロセスは自動再送要求ＡＲＱプロセスを含み、
免許不要周波数域にアタッチされたデータ処理プロセスをプロセッサ５２により終了することは、
リオーダリングタイマーを停止するオペレーションと、ポール再送タイマーを停止するオペレーションとを含む免許不要周波数域にアタッチされたオペレーションのうち少なくとも１つをプロセッサ５２により実行することを有し、
新たなデータ処理プロセスを開始する免許周波数域を選択する、または、基地局が免許不要周波数域を再取得した後に新たなデータ処理プロセスを開始するプロセスは、
新たなＡＲＱ処理プロセスを開始する免許周波数域をプロセッサ５２により選択する、または、基地局が免許不要周波数域を再取得した後に新たなＡＲＱ処理プロセスを開始するプロセスを有する。
【０１７３】
いくつかの可能な実装態様において、データ処理プロセスはランダムアクセス手順を含み、
免許不要周波数域にアタッチされたデータ処理プロセスをプロセッサ５２により一時停止することは、
ランダムアクセス応答ウィンドウを中断するオペレーションと、競合解消タイマーを中断するオペレーションとを含む免許不要周波数域にアタッチされたオペレーションのうち少なくとも１つをプロセッサ５２により実行することを有し、
基地局が免許不要周波数域を再取得した後にデータ処理プロセスをプロセッサ５２により再開するプロセスは、
基地局が免許不要周波数域を再取得した後に、ランダムアクセス応答ウィンドウを再開するオペレーションと、競合解消タイマーの動作を再開するオペレーションとを含む免許不要周波数域にアタッチされたオペレーションのうち少なくとも１つをプロセッサ５２により実行するプロセスを有する。
【０１７４】
いくつかの可能な実装態様において、データ処理プロセスはランダムアクセス手順を含み、
免許不要周波数域にアタッチされたデータ処理プロセスをプロセッサ５２により終了することは、
ランダムアクセス応答ウィンドウを停止し、ランダムアクセス応答メッセージの待機を停止するオペレーションと、競合解消タイマーを停止し、競合解消メッセージの待機を停止するオペレーションとを含む免許不要周波数域にアタッチされたオペレーションのうち少なくとも１つをプロセッサ５２により実行することを有し、
新たなデータ処理プロセスを開始する免許周波数域をプロセッサ５２により選択する、または、基地局が免許不要周波数域を再取得した後に新たなデータ処理プロセスを開始するプロセスは、
新たなランダムアクセス手順を開始する免許周波数域をプロセッサ５２により選択する、または、基地局が免許不要周波数域を再取得した後に新たなランダムアクセス手順を開始するプロセスを有する。
【０１７５】
いくつかの可能な実装態様において、データ処理プロセスは無線リソース管理ＲＲＭ測定プロセスを含み、
免許不要周波数域にアタッチされたデータ処理プロセスをプロセッサ５２により一時停止することは、
ＲＲＭ測定プロセスをプロセッサ５２により一時停止することを有し、
基地局が免許不要周波数域を再取得した後にデータ処理プロセスをプロセッサ５２により再開するプロセスは、
ＲＲＭ測定プロセスをプロセッサ５２により再開するプロセスを有する。
【０１７６】
いくつかの可能な実装態様において、データ処理プロセスは無線リソース管理ＲＲＭ測定プロセスを含み、
免許不要周波数域にアタッチされたデータ処理プロセスをプロセッサ５２により終了することは、
ＲＲＭ測定パラメータをプロセッサ５２によりリリースすることを有し、
新たなデータ処理プロセスを開始する免許周波数域をプロセッサ５２により選択する、または、基地局が免許不要周波数域を再取得した後に新たなデータ処理プロセスを開始するプロセスは、
新たなＲＲＭ測定プロセスを開始する免許周波数域をプロセッサ５２により選択する、または、基地局が免許不要周波数域を再取得した後に新たなＲＲＭプロセスを開始するプロセスを有する。
【０１７７】
いくつかの可能な実装態様において、データ処理プロセスはチャネル状態情報ＣＳＩ測定プロセスを含み、
免許不要周波数域にアタッチされたデータ処理プロセスをプロセッサ５２により一時停止することは、
ＣＳＩ測定プロセスをプロセッサ５２により一時停止することを有し、
基地局が免許不要周波数域を再取得した後にデータ処理プロセスをプロセッサ５２により再開するプロセスは、
ＣＳＩ測定プロセスをプロセッサ５２により再開するプロセスを有する。
【０１７８】
いくつかの可能な実装態様において、データ処理プロセスはチャネル状態情報ＣＳＩ測定プロセスを含み、
免許不要周波数域にアタッチされたデータ処理プロセスをプロセッサ５２により終了することは、
ＣＳＩ測定パラメータをプロセッサ５２によりリリースすることを有し、
新たなデータ処理プロセスを開始する免許周波数域をプロセッサ５２により選択する、または、基地局が免許不要周波数域を再取得した後に新たなデータ処理プロセスを開始するプロセスは、
新たなＣＳＩ測定プロセスを開始する免許周波数域をプロセッサ５２により選択する、または、基地局が免許不要周波数域を再取得した後に新たなＣＳＩプロセスを開始するプロセスを有する。
【０１７９】
関連するハードウェアにコンピュータプログラムが命令することにより、複数の実施形態における複数の方法のプロセスのうち全てまたはいくつかが実装され得ることを当業者は理解するかもしれない。そのプログラムはコンピュータ可読記憶媒体に格納され得る。そのプログラムが行われたとき、複数の実施形態における複数の方法のそれらプロセスが実施される。先述の記憶媒体は、磁気ディスク、光学式ディスク、読み取り専用メモリ（Ｒｅａｄ−Ｏｎｌｙ  Ｍｅｍｏｒｙ，ＲＯＭ）、ランダムアクセスメモリ（Ｒａｎｄｏｍ  Ａｃｃｅｓｓ  Ｍｅｍｏｒｙ，ＲＡＭ）、または同様のものを含み得る。
【０１８０】
上記にて開示されたのは本願発明の単に例示的な複数の実施形態であり、もちろん本願発明の保護範囲を限定することは意図されていない。したがって、本願発明の複数の請求項に従って成される同等の変形例が、本願発明の範囲に含まれるものとする。
［項目１］
基地局が免許不要周波数域をリリースしたとユーザ機器が判断したとき、上記基地局が上記免許不要周波数域をリリースしてから上記基地局が上記免許不要周波数域を再取得するまでの時間間隔を示す、上記免許不要周波数域がリリースされるリリース時間を上記ユーザ機器によりモニタリングする段階と、
上記リリース時間が時間閾値を超えていないとき、上記免許不要周波数域にアタッチされたデータ処理プロセスを上記ユーザ機器により一時停止し、上記基地局が上記免許不要周波数域を再取得した後に上記データ処理プロセスを再開する段階と、
上記リリース時間が上記時間閾値を超えているとき、上記免許不要周波数域にアタッチされた上記データ処理プロセスを上記ユーザ機器により終了し、新たなデータ処理プロセスを開始する免許周波数域を選択する、または、上記基地局が上記免許不要周波数域を再取得した後に新たなデータ処理プロセスを開始する段階と
を備える、免許不要周波数域がリリースされた後にデータを処理するための方法。
［項目２］
基地局が免許不要周波数域をリリースしたとユーザ機器が判断することは、
上記基地局により送信された、上記免許不要周波数域がリリースされたことを示すインジケーション情報を上記ユーザ機器が受信したとき、上記基地局が上記免許不要周波数域をリリースしたと上記ユーザ機器が判断すること、
または、
上記基地局が上記免許不要周波数域をリリースしたと、上記基地局のパラメータに従って上記ユーザ機器が検出すること
を有する、項目１に記載の、免許不要周波数域がリリースされた後にデータを処理するための方法。
［項目３］
上記免許不要周波数域がリリースされるリリース時間を上記ユーザ機器により上記モニタリングする段階は、
待機タイマーを上記ユーザ機器により開始して、上記免許不要周波数域がリリースされている上記リリース時間を記録し、上記待機タイマーの時間が切れていないとき、上記リリース時間が上記時間閾値を超えていないと判断する、または、上記待機タイマーの時間が切れた後に、上記リリース時間が上記時間閾値を超えていると判断する段階、
または、
上記免許不要周波数域の、上記基地局により送信された特定のリリース時間を上記ユーザ機器により受信し、受信された上記リリース時間を、予め設定された時間閾値と比較して、上記受信されたリリース時間が上記予め設定された時間閾値を超えているかを判断する段階、
または、
上記基地局により送信された、上記免許不要周波数域がリリースされたことを示すインジケーションを上記ユーザ機器により受信し、上記リリースのインジケーションと予め設定されたルールとに従って、上記免許不要周波数域に関する上記基地局のリリース時間を計算し、計算で得られた上記リリース時間を、予め設定された時間閾値と比較して、上記受信されたリリース時間が上記予め設定された時間閾値を超えているかを判断する段階
を有する、項目１または２に記載の、免許不要周波数域がリリースされた後にデータを処理するための方法。
［項目４］
上記待機タイマーは非アクティブ化タイマーを含み、
上記免許不要周波数域の上記特定のリリース時間は、他のデバイスが上記免許不要周波数域を占有している時間と、上記免許不要周波数域がリリースされてから上記免許不要周波数域が取得されるまでのインターバル期間と、他のデバイスが上記免許不要周波数域を使用するために確保されている時間と、上記基地局が位置付けられているシステムの、上記免許不要周波数域における無通話時間とのうち少なくとも１つを含む、項目３に記載の、免許不要周波数域がリリースされた後にデータを処理するための方法。
［項目５］
上記データ処理プロセスはハイブリッド自動再送要求ＨＡＲＱプロセスを含み、
上記免許不要周波数域にアタッチされたデータ処理プロセスを上記ユーザ機器により上記一時停止することは、
物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む上記免許不要周波数域にアタッチされたオペレーションのうち少なくとも１つを上記ユーザ機器により実行することを有し、
上記基地局が上記免許不要周波数域を再取得した後に上記データ処理プロセスを上記ユーザ機器により上記再開する段階は、
上記基地局が上記免許不要周波数域を再取得した後に、上記物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む上記免許不要周波数域にアタッチされたオペレーションのうち少なくとも１つを上記ユーザ機器により実行する段階を有する、項目１から４のいずれか一項に記載の、免許不要周波数域がリリースされた後にデータを処理するための方法。
［項目６］
上記データ処理プロセスはハイブリッド自動再送要求ＨＡＲＱプロセスを含み、
上記免許不要周波数域にアタッチされた上記データ処理プロセスを上記ユーザ機器により上記終了することは、
ＨＡＲＱエンティティリセットオペレーションを上記ユーザ機器により実行する、または、上記免許不要周波数域を使用するセルに関して非アクティブ化オペレーションを実行することを有し、
新たなデータ処理プロセスを開始する免許周波数域を選択する、または、上記基地局が上記免許不要周波数域を再取得した後に新たなデータ処理プロセスを上記開始する段階は、
新たなＨＡＲＱ処理プロセスを開始する免許周波数域を上記ユーザ機器により選択する、または、上記基地局が上記免許不要周波数域を再取得した後に新たなＨＡＲＱ処理プロセスを開始する段階を有する、項目１から５のいずれか一項に記載の、免許不要周波数域がリリースされた後にデータを処理するための方法。
［項目７］
上記データ処理プロセスは間欠受信ＤＲＸプロセスを含み、
上記免許不要周波数域にアタッチされたデータ処理プロセスを上記ユーザ機器により上記一時停止することは、
各ＤＲＸタイマーの通常動作を維持するオペレーションと、物理ダウンリンク制御チャネル上でのリッスンを一時停止するオペレーションと、ダウンリンク受信を一時停止するオペレーションと、アップリンク送信を一時停止するオペレーションとを含む上記免許不要周波数域にアタッチされたオペレーションのうち少なくとも１つを上記ユーザ機器により実行することを有し、
上記基地局が上記免許不要周波数域を再取得した後に上記データ処理プロセスを上記ユーザ機器により上記再開する段階は、
上記基地局が上記免許不要周波数域を再取得した後に、上記物理ダウンリンク制御チャネル上でのリッスンを再開するオペレーションと、ダウンリンク受信を再開するオペレーションと、アップリンク送信を再開するオペレーションとを含む上記免許不要周波数域にアタッチされたオペレーションのうち少なくとも１つを上記ユーザ機器により実行する段階を有する、項目１から４のいずれか一項に記載の、免許不要周波数域がリリースされた後にデータを処理するための方法。
［項目８］
上記データ処理プロセスは間欠受信ＤＲＸプロセスを含み、
上記免許不要周波数域にアタッチされた上記データ処理プロセスを上記ユーザ機器により上記終了することは、
ＨＡＲＱエンティティリセットオペレーションを実行するオペレーションと、上記免許不要周波数域を使用するセルに関して非アクティブ化オペレーションを実行するオペレーションと、各ＤＲＸタイマーを停止するオペレーションとを含む上記免許不要周波数域にアタッチされたオペレーションのうち少なくとも１つを上記ユーザ機器により実行することを有し、
新たなデータ処理プロセスを開始する免許周波数域を選択する、または、上記基地局が上記免許不要周波数域を再取得した後に新たなデータ処理プロセスを上記開始する段階は、
新たなＤＲＸ処理プロセスを開始する免許周波数域を上記ユーザ機器により選択する、または、免許周波数域で行われているＤＲＸ処理プロセスを維持する、または、上記基地局が上記免許不要周波数域を再取得した後に新たなＤＲＸ処理プロセスを開始する段階を有する、項目１から４、および７のいずれか一項に記載の、免許不要周波数域がリリースされた後にデータを処理するための方法。
［項目９］
上記免許不要周波数域のセルと上記免許周波数域のセルとが同じＤＲＸパラメータ構成およびＤＲＸオペレーションを使用するときに、上記免許不要周波数域にアタッチされた上記データ処理プロセスを終了するとき、上記ユーザ機器は各ＤＲＸタイマーを停止しない、または、
上記免許不要周波数域のセルと上記免許周波数域のセルとが異なるＤＲＸパラメータ構成を実行するときに、上記免許不要周波数域にアタッチされた上記データ処理プロセスを終了するとき、上記ユーザ機器は各ＤＲＸタイマーを停止する、項目８に記載の、免許不要周波数域がリリースされた後にデータを処理するための方法。
［項目１０］
上記データ処理プロセスは自動再送要求ＡＲＱプロセスを含み、
上記免許不要周波数域にアタッチされたデータ処理プロセスを上記ユーザ機器により上記一時停止することは、
無線リンク制御層ＲＬＣのリオーダリングタイマーを中断するオペレーションと、ポール再送タイマーを中断するオペレーションとを含む上記免許不要周波数域にアタッチされたオペレーションのうち少なくとも１つを上記ユーザ機器により実行することを有し、
上記基地局が上記免許不要周波数域を再取得した後に上記データ処理プロセスを上記ユーザ機器により上記再開する段階は、
上記基地局が上記免許不要周波数域を再取得した後に、上記無線リンク制御層の上記リオーダリングタイマーを再開し、上記リオーダリングタイマーの時間が切れた後にＲＬＣステータス報告をトリガするオペレーションと、上記ポール再送タイマーを再開し、上記ポール再送タイマーの時間が切れた後に、ポールビットが与えられたＲＬＣデータユニットの再送をトリガする、または、新たなＲＬＣデータユニットを送信するオペレーションとを含む上記免許不要周波数域にアタッチされたオペレーションのうち少なくとも１つを上記ユーザ機器により実行する段階を有する、項目１から４のいずれか一項に記載の、免許不要周波数域がリリースされた後にデータを処理するための方法。
［項目１１］
上記データ処理プロセスは自動再送要求ＡＲＱプロセスを含み、
上記免許不要周波数域にアタッチされた上記データ処理プロセスを上記ユーザ機器により上記終了することは、
リオーダリングタイマーを停止するオペレーションと、ポール再送タイマーを停止するオペレーションとを含む上記免許不要周波数域にアタッチされたオペレーションのうち少なくとも１つを上記ユーザ機器により実行することを有し、
新たなデータ処理プロセスを開始する免許周波数域を選択する、または、上記基地局が上記免許不要周波数域を再取得した後に新たなデータ処理プロセスを上記開始する段階は、
新たなＡＲＱ処理プロセスを開始する免許周波数域を上記ユーザ機器により選択する、または、上記基地局が上記免許不要周波数域を再取得した後に新たなＡＲＱ処理プロセスを開始する段階を有する、項目１から４、および１０のいずれか一項に記載の、免許不要周波数域がリリースされた後にデータを処理するための方法。
［項目１２］
上記データ処理プロセスはランダムアクセス手順を含み、
上記免許不要周波数域にアタッチされたデータ処理プロセスを上記ユーザ機器により上記一時停止することは、
ランダムアクセス応答ウィンドウを中断するオペレーションと、競合解消タイマーを中断するオペレーションとを含む上記免許不要周波数域にアタッチされたオペレーションのうち少なくとも１つを上記ユーザ機器により実行することを有し、
上記基地局が上記免許不要周波数域を再取得した後に上記データ処理プロセスを上記ユーザ機器により上記再開する段階は、
上記基地局が上記免許不要周波数域を再取得した後に、上記ランダムアクセス応答ウィンドウを再開するオペレーションと、上記競合解消タイマーの動作を再開するオペレーションとを含む上記免許不要周波数域にアタッチされたオペレーションのうち少なくとも１つを上記ユーザ機器により実行する段階を有する、項目１から４のいずれか一項に記載の、免許不要周波数域がリリースされた後にデータを処理するための方法。
［項目１３］
上記データ処理プロセスはランダムアクセス手順を含み、
上記免許不要周波数域にアタッチされた上記データ処理プロセスを上記ユーザ機器により上記終了することは、
ランダムアクセス応答ウィンドウを停止し、ランダムアクセス応答メッセージの待機を停止するオペレーションと、競合解消タイマーを停止し、競合解消メッセージの待機を停止するオペレーションとを含む上記免許不要周波数域にアタッチされたオペレーションのうち少なくとも１つを上記ユーザ機器により実行することを有し、
新たなデータ処理プロセスを開始する免許周波数域を上記ユーザ機器により選択する、または、上記基地局が上記免許不要周波数域を再取得した後に新たなデータ処理プロセスを上記開始する段階は、
新たなランダムアクセス手順を開始する免許周波数域を上記ユーザ機器により選択する、または、上記基地局が上記免許不要周波数域を再取得した後に新たなランダムアクセス手順を開始する段階を有する、項目１から４、および１２のいずれか一項に記載の、免許不要周波数域がリリースされた後にデータを処理するための方法。
［項目１４］
上記データ処理プロセスは無線リソース管理ＲＲＭ測定プロセスを含み、
上記免許不要周波数域にアタッチされたデータ処理プロセスを上記ユーザ機器により上記一時停止することは、
上記ＲＲＭ測定プロセスを上記ユーザ機器により一時停止することを有し、
上記基地局が上記免許不要周波数域を再取得した後に上記データ処理プロセスを上記ユーザ機器により上記再開する段階は、
上記ＲＲＭ測定プロセスを上記ユーザ機器により再開する段階を有する、項目１から４のいずれか一項に記載の、免許不要周波数域がリリースされた後にデータを処理するための方法。
［項目１５］
上記データ処理プロセスは無線リソース管理ＲＲＭ測定プロセスを含み、
上記免許不要周波数域にアタッチされた上記データ処理プロセスを上記ユーザ機器により上記終了することは、
ＲＲＭ測定パラメータを上記ユーザ機器によりリリースすることを有し、
新たなデータ処理プロセスを開始する免許周波数域を上記ユーザ機器により選択する、または、上記基地局が上記免許不要周波数域を再取得した後に新たなデータ処理プロセスを上記開始する段階は、
新たなＲＲＭ測定プロセスを開始する免許周波数域を上記ユーザ機器により選択する、または、上記基地局が上記免許不要周波数域を再取得した後に新たなＲＲＭプロセスを開始する段階を有する、項目１から４、および１４のいずれか一項に記載の、免許不要周波数域がリリースされた後にデータを処理するための方法。
［項目１６］
上記データ処理プロセスはチャネル状態情報ＣＳＩ測定プロセスを含み、
上記免許不要周波数域にアタッチされたデータ処理プロセスを上記ユーザ機器により上記一時停止することは、
上記ＣＳＩ測定プロセスを上記ユーザ機器により一時停止することを有し、
上記基地局が上記免許不要周波数域を再取得した後に上記データ処理プロセスを上記ユーザ機器により上記再開する段階は、
上記ＣＳＩ測定プロセスを上記ユーザ機器により再開する段階を有する、項目１から４のいずれか一項に記載の、免許不要周波数域がリリースされた後にデータを処理するための方法。
［項目１７］
上記データ処理プロセスはチャネル状態情報ＣＳＩ測定プロセスを含み、
上記免許不要周波数域にアタッチされた上記データ処理プロセスを上記ユーザ機器により上記終了することは、
ＣＳＩ測定パラメータを上記ユーザ機器によりリリースすることを有し、
新たなデータ処理プロセスを開始する免許周波数域を上記ユーザ機器により選択する、または、上記基地局が上記免許不要周波数域を再取得した後に新たなデータ処理プロセスを上記開始する段階は、
新たなＣＳＩ測定プロセスを開始する免許周波数域を上記ユーザ機器により選択する、または、上記基地局が上記免許不要周波数域を再取得した後に新たなＣＳＩプロセスを開始する段階を有する、項目１から４、および１６のいずれか一項に記載の、免許不要周波数域がリリースされた後にデータを処理するための方法。
［項目１８］
ユーザ機器であって、
基地局が免許不要周波数域をリリースしたと上記ユーザ機器が判断したとき、上記基地局が上記免許不要周波数域をリリースしてから上記基地局が上記免許不要周波数域を再取得するまでの時間間隔を示す、上記免許不要周波数域がリリースされるリリース時間をモニタリングするよう構成されたモニタリングモジュールと、
上記モニタリングモジュールによりモニタリングされる上記リリース時間が時間閾値を超えていないとき、上記免許不要周波数域にアタッチされたデータ処理プロセスを一時停止し、上記基地局が上記免許不要周波数域を再取得した後に上記データ処理プロセスを再開するよう構成された第１処理モジュールと、
上記モニタリングモジュールによりモニタリングされる上記リリース時間が上記時間閾値を超えているとき、上記免許不要周波数域にアタッチされた上記データ処理プロセスを終了し、新たなデータ処理プロセスを開始する免許周波数域を選択する、または、上記基地局が上記免許不要周波数域を再取得した後に新たなデータ処理プロセスを開始するよう構成された第２処理モジュールと
を備える、ユーザ機器。
［項目１９］
上記基地局により送信された、上記免許不要周波数域がリリースされたことを示すインジケーション情報が受信されたとき、上記基地局が上記免許不要周波数域をリリースしたと判断する、または、上記基地局が上記免許不要周波数域をリリースしたと、上記基地局のパラメータに従って検出するよう構成されたリリース判断モジュールをさらに備える、項目１８に記載のユーザ機器。
［項目２０］
上記モニタリングモジュールは、
待機タイマーを開始して、上記免許不要周波数域がリリースされている上記リリース時間を記録し、上記待機タイマーの時間が切れていないとき、上記リリース時間が上記時間閾値を超えていないと判断する、または、上記待機タイマーの時間が切れた後に、上記リリース時間が上記時間閾値を超えていると判断するよう構成された第１モニタリングモジュール、
または、
上記免許不要周波数域の、上記基地局により送信された特定のリリース時間を受信し、受信された上記リリース時間を、予め設定された時間閾値と比較して、上記受信されたリリース時間が上記予め設定された時間閾値を超えているかを判断するよう構成された第２モニタリングモジュール、
または、
上記基地局により送信された、上記免許不要周波数域がリリースされたことを示すインジケーションを受信し、上記リリースのインジケーションと予め設定されたルールとに従って、上記免許不要周波数域に関する上記基地局のリリース時間を計算し、計算で得られた上記リリース時間を、予め設定された時間閾値と比較して、上記受信されたリリース時間が上記予め設定された時間閾値を超えているかを判断するよう構成された第３モニタリングモジュール
を有する、項目１８または１９に記載のユーザ機器。
［項目２１］
上記待機タイマーは非アクティブ化タイマーを含み、
上記免許不要周波数域の上記特定のリリース時間は、他のデバイスが上記免許不要周波数域を占有している時間と、他のデバイスが上記免許不要周波数域を使用するために確保されている時間と、上記基地局が位置付けられているシステムの、上記免許不要周波数域における無通話時間とのうち少なくとも１つを含む、項目２０に記載のユーザ機器。
［項目２２］
上記データ処理プロセスはハイブリッド自動再送要求ＨＡＲＱプロセスを含み、
上記第１処理モジュールは具体的に、
上記モニタリングモジュールによりモニタリングされる上記リリース時間が上記時間閾値を超えていないとき、物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む上記免許不要周波数域にアタッチされたオペレーションのうち少なくとも１つを実行し、
上記基地局が上記免許不要周波数域を再取得した後に、上記物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む上記免許不要周波数域にアタッチされたオペレーションのうち少なくとも１つを実行する
よう構成されている、項目１８から２１のいずれか一項に記載のユーザ機器。
［項目２３］
上記データ処理プロセスはハイブリッド自動再送要求ＨＡＲＱプロセスを含み、
上記第２処理モジュールは具体的に、
上記モニタリングモジュールによりモニタリングされる上記リリース時間が上記時間閾値を超えているとき、ＨＡＲＱエンティティリセットオペレーションを実行し、または、上記免許不要周波数域を使用するセルに関して非アクティブ化オペレーションを実行し、
新たなＨＡＲＱ処理プロセスを開始する免許周波数域を選択する、または、上記基地局が上記免許不要周波数域を再取得した後に新たなＨＡＲＱ処理プロセスを開始する
よう構成されている、項目１８から２２のいずれか一項に記載のユーザ機器。
［項目２４］
上記データ処理プロセスは間欠受信ＤＲＸプロセスを含み、
上記第１処理モジュールは具体的に、
上記モニタリングモジュールによりモニタリングされる上記リリース時間が上記時間閾値を超えていないとき、各ＤＲＸタイマーの通常動作を維持するオペレーションと、物理ダウンリンク制御チャネル上でのリッスンを一時停止するオペレーションと、ダウンリンク受信を一時停止するオペレーションと、アップリンク送信を一時停止するオペレーションとを含む上記免許不要周波数域にアタッチされたオペレーションのうち少なくとも１つを実行し、
上記基地局が上記免許不要周波数域を再取得した後に、上記基地局が上記免許不要周波数域を再取得した後に、上記物理ダウンリンク制御チャネル上でのリッスンを再開するオペレーションと、ダウンリンク受信を再開するオペレーションと、アップリンク送信を再開するオペレーションとを含む上記免許不要周波数域にアタッチされたオペレーションのうち少なくとも１つを実行する
よう構成されている、項目１８から２１のいずれか一項に記載のユーザ機器。
［項目２５］
上記データ処理プロセスは間欠受信ＤＲＸプロセスを含み、
上記第２処理モジュールは具体的に、
上記モニタリングモジュールによりモニタリングされる上記リリース時間が上記時間閾値を超えているとき、ＨＡＲＱエンティティリセットオペレーションを実行するオペレーションと、上記免許不要周波数域を使用するセルに関して非アクティブ化オペレーションを実行するオペレーションと、各ＤＲＸタイマーを停止するオペレーションとを含む上記免許不要周波数域にアタッチされたオペレーションのうち少なくとも１つを実行し、
新たなＤＲＸ処理プロセスを開始する免許周波数域を選択する、または、免許周波数域で行われているＤＲＸ処理プロセスを維持する、または、上記基地局が上記免許不要周波数域を再取得した後に新たなＤＲＸ処理プロセスを開始する
よう構成されている、項目１８から２１、および２４のいずれか一項に記載のユーザ機器。
［項目２６］
上記免許不要周波数域のセルと上記免許周波数域のセルとが同じＤＲＸパラメータ構成およびＤＲＸオペレーションを使用するとき、上記第２処理モジュールは各ＤＲＸタイマーを停止しない、または、
上記免許不要周波数域のセルと上記免許周波数域のセルとが異なるＤＲＸパラメータを実行するとき、上記第２処理モジュールは各ＤＲＸタイマーを停止する、項目２５に記載のユーザ機器。
［項目２７］
上記データ処理プロセスは自動再送要求ＡＲＱプロセスを含み、
上記第１処理モジュールは具体的に、
上記モニタリングモジュールによりモニタリングされる上記リリース時間が上記時間閾値を超えていないとき、無線リンク制御層ＲＬＣのリオーダリングタイマーを中断するオペレーションと、ポール再送タイマーを中断するオペレーションとを含む上記免許不要周波数域にアタッチされたオペレーションのうち少なくとも１つを実行し、
上記基地局が上記免許不要周波数域を再取得した後に、上記無線リンク制御層の上記リオーダリングタイマーを再開し、上記リオーダリングタイマーの時間が切れた後にＲＬＣステータス報告をトリガするオペレーションと、上記ポール再送タイマーを再開し、上記ポール再送タイマーの時間が切れた後に、ポールビットが与えられたＲＬＣデータユニットの再送をトリガする、または、新たなＲＬＣデータユニットを送信するオペレーションとを含む上記免許不要周波数域にアタッチされたオペレーションのうち少なくとも１つを実行する
よう構成されている、項目１８から２１のいずれか一項に記載のユーザ機器。
［項目２８］
上記データ処理プロセスは自動再送要求ＡＲＱプロセスを含み、
上記第２処理モジュールは具体的に、
上記モニタリングモジュールによりモニタリングされる上記リリース時間が上記時間閾値を超えているとき、リオーダリングタイマーを停止するオペレーションと、ポール再送タイマーを停止するオペレーションとを含む上記免許不要周波数域にアタッチされたオペレーションのうち少なくとも１つを実行し、
新たなＡＲＱ処理プロセスを開始する免許周波数域を選択する、または、上記基地局が上記免許不要周波数域を再取得した後に新たなＡＲＱ処理プロセスを開始する
よう構成されている、項目１８から２１、および２７のいずれか一項に記載のユーザ機器。
［項目２９］
上記データ処理プロセスはランダムアクセス手順を含み、
上記第１処理モジュールは具体的に、
上記モニタリングモジュールによりモニタリングされる上記リリース時間が上記時間閾値を超えていないとき、ランダムアクセス応答ウィンドウを中断するオペレーションと、競合解消タイマーを中断するオペレーションとを含む上記免許不要周波数域にアタッチされたオペレーションのうち少なくとも１つを実行し、
上記基地局が上記免許不要周波数域を再取得した後に、上記ランダムアクセス応答ウィンドウを再開するオペレーションと、上記競合解消タイマーの動作を再開するオペレーションとを含む上記免許不要周波数域にアタッチされたオペレーションのうち少なくとも１つを実行する
よう構成されている、項目１８から２１のいずれか一項に記載のユーザ機器。
［項目３０］
上記データ処理プロセスはランダムアクセス手順を含み、
上記第２処理モジュールは具体的に、
上記モニタリングモジュールによりモニタリングされる上記リリース時間が上記時間閾値を超えているとき、ランダムアクセス応答ウィンドウを停止し、ランダムアクセス応答メッセージの待機を停止するオペレーションと、競合解消タイマーを停止し、競合解消メッセージの待機を停止するオペレーションとを含む上記免許不要周波数域にアタッチされたオペレーションのうち少なくとも１つを実行し、
新たなランダムアクセス手順を開始する免許周波数域を選択する、または、上記基地局が上記免許不要周波数域を再取得した後に新たなランダムアクセス手順を開始する
よう構成されている、項目１８から２１、および２９のいずれか一項に記載のユーザ機器。
［項目３１］
上記データ処理プロセスは無線リソース管理ＲＲＭ測定プロセスを含み、
上記第１処理モジュールは具体的に、
上記モニタリングモジュールによりモニタリングされる上記リリース時間が上記時間閾値を超えていないとき、上記ＲＲＭ測定プロセスを一時停止し、
上記基地局が上記免許不要周波数域を再取得した後に、上記ＲＲＭ測定プロセスを再開する
よう構成されている、項目１８から２１のいずれか一項に記載のユーザ機器。
［項目３２］
上記データ処理プロセスは無線リソース管理ＲＲＭ測定プロセスを含み、
上記第２処理モジュールは具体的に、
上記モニタリングモジュールによりモニタリングされる上記リリース時間が上記時間閾値を超えているとき、ＲＲＭ測定パラメータをリリースし、
新たなＲＲＭ測定プロセスを開始する免許周波数域を選択する、または、上記基地局が上記免許不要周波数域を再取得した後に新たなＲＲＭプロセスを開始する
よう構成されている、項目１８から２１、および３１のいずれか一項に記載のユーザ機器。
［項目３３］
上記データ処理プロセスはチャネル状態情報ＣＳＩ測定プロセスを含み、
上記第１処理モジュールは具体的に、
上記モニタリングモジュールによりモニタリングされる上記リリース時間が上記時間閾値を超えていないとき、上記ＣＳＩ測定プロセスを一時停止し、
上記基地局が上記免許不要周波数域を再取得した後に上記ＣＳＩ測定プロセスを再開する
よう構成されている、項目１８から２１のいずれか一項に記載のユーザ機器。
［項目３４］
上記データ処理プロセスはチャネル状態情報ＣＳＩ測定プロセスを含み、
上記第２処理モジュールは具体的に、
上記モニタリングモジュールによりモニタリングされる上記リリース時間が上記時間閾値を超えているとき、ＣＳＩ測定パラメータをリリースし、
新たなＣＳＩ測定プロセスを開始する免許周波数域を選択する、または、上記基地局が上記免許不要周波数域を再取得した後に新たなＣＳＩプロセスを開始する
よう構成されている、項目１８から２１、および３３のいずれか一項に記載のユーザ機器。
［項目３５］
ユーザ機器であって、
メモリと、
プロセッサと
を備え、
上記プロセッサは、上記メモリに格納されたプログラムを呼び出し、
基地局が免許不要周波数域をリリースしたと判断したとき、上記基地局が上記免許不要周波数域をリリースしてから上記基地局が上記免許不要周波数域を再取得するまでの時間間隔を示す、上記免許不要周波数域がリリースされるリリース時間をモニタリングするプロセスと、
上記リリース時間が時間閾値を超えていないとき、上記免許不要周波数域にアタッチされたデータ処理プロセスを一時停止し、上記基地局が上記免許不要周波数域を再取得した後に上記データ処理プロセスを再開するプロセスと、
上記リリース時間が上記時間閾値を超えているとき、上記免許不要周波数域にアタッチされた上記データ処理プロセスを終了し、新たなデータ処理プロセスを開始する免許周波数域を選択する、または、上記基地局が上記免許不要周波数域を再取得した後に新たなデータ処理プロセスを開始するプロセスと
を実施する、ユーザ機器。
［項目３６］
基地局が免許不要周波数域をリリースしたと上記プロセッサが判断することは、
上記基地局により送信された、上記免許不要周波数域がリリースされたことを示すインジケーション情報を上記ユーザ機器が受信したとき、上記基地局が上記免許不要周波数域をリリースしたと上記プロセッサが判断すること、
または、
上記基地局が上記免許不要周波数域をリリースしたと、上記基地局のパラメータに従って上記プロセッサが検出すること
を備える、項目３５に記載のユーザ機器。
［項目３７］
上記免許不要周波数域がリリースされるリリース時間を上記プロセッサにより上記モニタリングするプロセスは、
待機タイマーを上記プロセッサにより開始して、上記免許不要周波数域がリリースされている上記リリース時間を記録し、上記待機タイマーの時間が切れていないとき、上記リリース時間が上記時間閾値を超えていないと判断する、または、上記待機タイマーの時間が切れた後に、上記リリース時間が上記時間閾値を超えていると判断するプロセス、
または、
上記免許不要周波数域の、上記基地局により送信された特定のリリース時間を上記プロセッサにより受信し、受信された上記リリース時間を、予め設定された時間閾値と比較して、上記受信されたリリース時間が上記予め設定された時間閾値を超えているかを判断するプロセス、
または、
上記基地局により送信された、上記免許不要周波数域がリリースされたことを示すインジケーションを上記プロセッサにより受信し、上記リリースのインジケーションと予め設定されたルールとに従って、上記免許不要周波数域に関する上記基地局のリリース時間を計算し、計算で得られた上記リリース時間を、予め設定された時間閾値と比較して、上記受信されたリリース時間が上記予め設定された時間閾値を超えているかを判断するプロセス
を有する、項目３５または３６に記載のユーザ機器。
［項目３８］
上記待機タイマーは非アクティブ化タイマーを含み、
上記免許不要周波数域の上記特定のリリース時間は、他のデバイスが上記免許不要周波数域を占有している時間と、他のデバイスが上記免許不要周波数域を使用するために確保されている時間と、上記基地局が位置付けられているシステムの、上記免許不要周波数域における無通話時間とのうち少なくとも１つを含む、項目３７に記載のユーザ機器。
［項目３９］
上記データ処理プロセスはハイブリッド自動再送要求ＨＡＲＱプロセスを含み、
上記免許不要周波数域にアタッチされたデータ処理プロセスを上記プロセッサにより上記一時停止することは、
物理ダウンリンク制御チャネル上でのリッスンを一時停止するオペレーションと、ダウンリンク受信を一時停止するオペレーションと、アップリンク送信を一時停止するオペレーションと、ＨＡＲＱバッファを確保するオペレーションと、ダウンリンクＨＡＲＱ再送の受信を一時停止するオペレーションと、ダウンリンクＨＡＲＱフィードバック情報の受信を一時停止するオペレーションと、アップリンクＨＡＲＱ再送の送信を一時停止するオペレーションと、アップリンクＨＡＲＱフィードバック情報の送信を一時停止するオペレーションとを含む上記免許不要周波数域にアタッチされたオペレーションのうち少なくとも１つを上記プロセッサにより実行することを有し、
上記基地局が上記免許不要周波数域を再取得した後に上記データ処理プロセスを上記プロセッサにより上記再開するプロセスは、
上記基地局が上記免許不要周波数域を再取得した後に、上記物理ダウンリンク制御チャネル上でのリッスンを再開するオペレーションと、ダウンリンク受信を再開するオペレーションと、アップリンク送信を再開するオペレーションと、ダウンリンクＨＡＲＱ再送の受信を再開するオペレーションと、ダウンリンクＨＡＲＱフィードバック情報の受信を再開するオペレーションと、アップリンクＨＡＲＱ再送の送信を再開するオペレーションと、アップリンクＨＡＲＱフィードバック情報の送信を再開するオペレーションとを含む上記免許不要周波数域にアタッチされたオペレーションのうち少なくとも１つを上記プロセッサにより実行するプロセスを有する、項目３５から３８のいずれか一項に記載のユーザ機器。
［項目４０］
上記データ処理プロセスはハイブリッド自動再送要求ＨＡＲＱプロセスを含み、
上記免許不要周波数域にアタッチされた上記データ処理プロセスを上記プロセッサにより上記終了することは、
ＨＡＲＱエンティティリセットオペレーションを上記プロセッサにより実行する、または、上記免許不要周波数域を使用するセルに関して非アクティブ化オペレーションを実行することを有し、
新たなデータ処理プロセスを開始する免許周波数域を選択する、または、上記基地局が上記免許不要周波数域を再取得した後に新たなデータ処理プロセスを上記開始するプロセスは、
新たなＨＡＲＱ処理プロセスを開始する免許周波数域を上記プロセッサにより選択する、または、上記基地局が上記免許不要周波数域を再取得した後に新たなＨＡＲＱ処理プロセスを開始するプロセスを有する、項目３５から３９のいずれか一項に記載のユーザ機器。
［項目４１］
上記データ処理プロセスは間欠受信ＤＲＸプロセスを含み、
上記免許不要周波数域にアタッチされたデータ処理プロセスを上記プロセッサにより上記一時停止することは、
各ＤＲＸタイマーの通常動作を維持するオペレーションと、物理ダウンリンク制御チャネル上でのリッスンを一時停止するオペレーションと、ダウンリンク受信を一時停止するオペレーションと、アップリンク送信を一時停止するオペレーションとを含む上記免許不要周波数域にアタッチされたオペレーションのうち少なくとも１つを上記プロセッサにより実行することを有し、
上記基地局が上記免許不要周波数域を再取得した後に上記データ処理プロセスを上記プロセッサにより上記再開するプロセスは、
上記基地局が上記免許不要周波数域を再取得した後に、上記物理ダウンリンク制御チャネル上でのリッスンを再開するオペレーションと、ダウンリンク受信を再開するオペレーションと、アップリンク送信を再開するオペレーションとを含む上記免許不要周波数域にアタッチされたオペレーションのうち少なくとも１つを上記プロセッサにより実行するプロセスを有する、項目３５から３８のいずれか一項に記載のユーザ機器。
［項目４２］
上記データ処理プロセスは間欠受信ＤＲＸプロセスを含み、
上記免許不要周波数域にアタッチされた上記データ処理プロセスを上記プロセッサにより上記終了することは、
ＨＡＲＱエンティティリセットオペレーションを実行するオペレーションと、上記免許不要周波数域を使用するセルに関して非アクティブ化オペレーションを実行するオペレーションと、各ＤＲＸタイマーを停止するオペレーションとを含む上記免許不要周波数域にアタッチされたオペレーションのうち少なくとも１つを上記プロセッサにより実行することを有し、
新たなデータ処理プロセスを開始する免許周波数域を選択する、または、上記基地局が上記免許不要周波数域を再取得した後に新たなデータ処理プロセスを上記開始するプロセスは、
新たなＤＲＸ処理プロセスを開始する免許周波数域を上記プロセッサにより選択する、または、免許周波数域で行われているＤＲＸ処理プロセスを維持する、または、上記基地局が上記免許不要周波数域を再取得した後に新たなＤＲＸ処理プロセスを開始するプロセスを有する、項目３５から３８、および４１のいずれか一項に記載のユーザ機器。
［項目４３］
上記免許不要周波数域のセルと上記免許周波数域のセルとが同じＤＲＸパラメータ構成およびＤＲＸオペレーションを使用するときに、上記免許不要周波数域にアタッチされた上記データ処理プロセスを終了するとき、上記プロセッサは各ＤＲＸタイマーを停止しない、または、
上記免許不要周波数域のセルと上記免許周波数域のセルとが異なるＤＲＸパラメータ構成を実行するときに、上記免許不要周波数域にアタッチされた上記データ処理プロセスを終了するとき、上記プロセッサは各ＤＲＸタイマーを停止する、項目４２に記載のユーザ機器。
［項目４４］
上記データ処理プロセスは自動再送要求ＡＲＱプロセスを含み、
上記免許不要周波数域にアタッチされたデータ処理プロセスを上記プロセッサにより上記一時停止することは、
無線リンク制御層ＲＬＣのリオーダリングタイマーを中断するオペレーションと、ポール再送タイマーを中断するオペレーションとを含む上記免許不要周波数域にアタッチされたオペレーションのうち少なくとも１つを上記プロセッサにより実行することを有し、
上記基地局が上記免許不要周波数域を再取得した後に上記データ処理プロセスを上記プロセッサにより上記再開するプロセスは、
上記基地局が上記免許不要周波数域を再取得した後に、上記無線リンク制御層の上記リオーダリングタイマーを再開し、上記リオーダリングタイマーの時間が切れた後にＲＬＣステータス報告をトリガするオペレーションと、上記ポール再送タイマーを再開し、上記ポール再送タイマーの時間が切れた後に、ポールビットが与えられたＲＬＣデータユニットの再送をトリガする、または、新たなＲＬＣデータユニットを送信するオペレーションとを含む上記免許不要周波数域にアタッチされたオペレーションのうち少なくとも１つを上記プロセッサにより実行するプロセスを有する、項目３５から３８のいずれか一項に記載のユーザ機器。
［項目４５］
上記データ処理プロセスは自動再送要求ＡＲＱプロセスを含み、
上記免許不要周波数域にアタッチされた上記データ処理プロセスを上記プロセッサにより上記終了することは、
リオーダリングタイマーを停止するオペレーションと、ポール再送タイマーを停止するオペレーションとを含む上記免許不要周波数域にアタッチされたオペレーションのうち少なくとも１つを上記プロセッサにより実行することを有し、
新たなデータ処理プロセスを開始する免許周波数域を選択する、または、上記基地局が上記免許不要周波数域を再取得した後に新たなデータ処理プロセスを上記開始するプロセスは、
新たなＡＲＱ処理プロセスを開始する免許周波数域を上記プロセッサにより選択する、または、上記基地局が上記免許不要周波数域を再取得した後に新たなＡＲＱ処理プロセスを開始するプロセスを有する、項目３５から３８、および４４のいずれか一項に記載のユーザ機器。
［項目４６］
上記データ処理プロセスはランダムアクセス手順を含み、
上記免許不要周波数域にアタッチされたデータ処理プロセスを上記プロセッサにより上記一時停止することは、
ランダムアクセス応答ウィンドウを中断するオペレーションと、競合解消タイマーを中断するオペレーションとを含む上記免許不要周波数域にアタッチされたオペレーションのうち少なくとも１つを上記プロセッサにより実行することを有し、
上記基地局が上記免許不要周波数域を再取得した後に上記データ処理プロセスを上記プロセッサにより上記再開するプロセスは、
上記基地局が上記免許不要周波数域を再取得した後に、上記ランダムアクセス応答ウィンドウを再開するオペレーションと、上記競合解消タイマーの動作を再開するオペレーションとを含む上記免許不要周波数域にアタッチされたオペレーションのうち少なくとも１つを上記プロセッサにより実行するプロセスを有する、項目３５から３８のいずれか一項に記載のユーザ機器。
［項目４７］
上記データ処理プロセスはランダムアクセス手順を含み、
上記免許不要周波数域にアタッチされた上記データ処理プロセスを上記プロセッサにより上記終了することは、
ランダムアクセス応答ウィンドウを停止し、ランダムアクセス応答メッセージの待機を停止するオペレーションと、競合解消タイマーを停止し、競合解消メッセージの待機を停止するオペレーションとを含む上記免許不要周波数域にアタッチされたオペレーションのうち少なくとも１つを上記プロセッサにより実行することを有し、
新たなデータ処理プロセスを開始する免許周波数域を上記プロセッサにより選択する、または、上記基地局が上記免許不要周波数域を再取得した後に新たなデータ処理プロセスを上記開始するプロセスは、
新たなランダムアクセス手順を開始する免許周波数域を上記プロセッサにより選択する、または、上記基地局が上記免許不要周波数域を再取得した後に新たなランダムアクセス手順を開始するプロセスを有する、項目３５から３８、および４６のいずれか一項に記載のユーザ機器。
［項目４８］
上記データ処理プロセスは無線リソース管理ＲＲＭ測定プロセスを含み、
上記免許不要周波数域にアタッチされたデータ処理プロセスを上記プロセッサにより上記一時停止することは、
上記ＲＲＭ測定プロセスを上記プロセッサにより一時停止することを有し、
上記基地局が上記免許不要周波数域を再取得した後に上記データ処理プロセスを上記プロセッサにより上記再開するプロセスは、
上記ＲＲＭ測定プロセスを上記プロセッサにより再開するプロセスを有する、項目３５から３８のいずれか一項に記載のユーザ機器。
［項目４９］
上記データ処理プロセスは無線リソース管理ＲＲＭ測定プロセスを含み、
上記免許不要周波数域にアタッチされた上記データ処理プロセスを上記プロセッサにより上記終了することは、
ＲＲＭ測定パラメータを上記プロセッサによりリリースすることを有し、
新たなデータ処理プロセスを開始する免許周波数域を上記プロセッサにより選択する、または、上記基地局が上記免許不要周波数域を再取得した後に新たなデータ処理プロセスを上記開始するプロセスは、
新たなＲＲＭ測定プロセスを開始する免許周波数域を上記プロセッサにより選択する、または、上記基地局が上記免許不要周波数域を再取得した後に新たなＲＲＭプロセスを開始するプロセスを有する、項目３５から３８、および４８のいずれか一項に記載のユーザ機器。
［項目５０］
上記データ処理プロセスはチャネル状態情報ＣＳＩ測定プロセスを含み、
上記免許不要周波数域にアタッチされたデータ処理プロセスを上記プロセッサにより上記一時停止することは、
上記ＣＳＩ測定プロセスを上記プロセッサにより一時停止することを有し、
上記基地局が上記免許不要周波数域を再取得した後に上記データ処理プロセスを上記プロセッサにより上記再開するプロセスは、
上記ＣＳＩ測定プロセスを上記プロセッサにより再開するプロセスを有する、項目３５から３８のいずれか一項に記載のユーザ機器。
［項目５１］
上記データ処理プロセスはチャネル状態情報ＣＳＩ測定プロセスを含み、
上記免許不要周波数域にアタッチされた上記データ処理プロセスを上記プロセッサにより上記終了することは、
ＣＳＩ測定パラメータを上記プロセッサによりリリースすることを有し、
新たなデータ処理プロセスを開始する免許周波数域を上記プロセッサにより選択する、または、上記基地局が上記免許不要周波数域を再取得した後に新たなデータ処理プロセスを上記開始するプロセスは、
新たなＣＳＩ測定プロセスを開始する免許周波数域を上記プロセッサにより選択する、または、上記基地局が上記免許不要周波数域を再取得した後に新たなＣＳＩプロセスを開始するプロセスを有する、項目３５から３８、および５０のいずれか一項に記載のユーザ機器。
［項目５２］
コンピュータ記憶媒体であって、
上記コンピュータ記憶媒体はプログラムを格納し得、
上記プログラムが実行されたとき、項目１から１７のうちいずれか一項に記載の方法のいくつかの、または全ての段階が実行される、コンピュータ記憶媒体。
【図１】
0006381660.tif 000002
【図２】
0006381660.tif 000003
【図３】
0006381660.tif 000004
【図４】
0006381660.tif 000005
【図５】
0006381660.tif 000006